(57)【要約】【課題】太陽電池の受光面に画像を配置して意匠性を向上させる際に、必要な発電性能の維持が可能な印刷画像を作成する。【解決手段】原画像データＤ（Ａ）は、データ変換部２２０を経て、インキ層形成に適したデータＤ（Ｂ）に変換される。プリント部３００は、データＤ（Ｂ）に基づいて透光性シート５に印刷画像１１を形成し、印刷シート１０を作成する。設計条件格納部２４０には、太陽電池３０の発電特性に関する設計条件が格納され、相関情報格納部２５０には、プリント部３００によって形成されるインキ層の被覆面積と太陽電池３０の発電特性との相関情報が格納されている。条件判定部２３０は、相関情報を用いて、印刷画像１１を配置したときの太陽電池３０の発電特性を予測する。予測結果が設計条件を満たしていない場合は、データ修正部２１０が画像データに対して、所定の修正アルゴリズムに基づく修正を施す。【選択図】図１０
2017216766.tif 000002
【特許請求の範囲】
【請求項１】
太陽電池の受光面に配置する印刷画像を作成する装置であって、
原画像を形成するためのデジタルデータを原画像データとして入力する原画像入力部と、
前記原画像データに対して所定の変換処理を施し、インキ層からなる印刷画像を形成するのに適した変換画像データを得る画像変換部と、
前記変換画像データに基づいて、前記太陽電池の受光面もしくは前記太陽電池の受光面に配置するための透光性シートの表面に、インキ層からなる印刷画像を形成するプリント部と、
を備え、
前記画像変換部が、前記変換画像データを前記プリント部に与えた場合に形成される印刷画像の光の透過特性に基づいて、受光面に当該印刷画像が配置された太陽電池の発電特性を予測し、予測した発電特性が前記太陽電池に関する所定の設計条件を満たすように、前記原画像データもしくは前記変換画像データまたはこれらに対して修正を加えた画像データに対して必要な修正処理を施すことを特徴とする太陽電池受光面用の印刷画像作成装置。
【請求項２】
請求項１に記載の太陽電池受光面用の印刷画像作成装置において、
画像変換部が、
原画像データを変換画像データに変換するデータ変換部と、
太陽電池の発電特性に関する設計条件を格納する設計条件格納部と、
プリント部によって形成されるインキ層の被覆面積と太陽電池の発電特性との関係を示す相関情報を格納した相関情報格納部と、
前記相関情報を用いることにより、判定対象となる画像データに基づいて形成される印刷画像を受光面に配置したときの太陽電池の発電特性を予測し、予測した発電特性が前記設計条件を満たすか否かの条件判定を行う条件判定部と、
前記条件判定部により否定的な判定結果が得られた場合に、肯定的な判定結果が得られるよう前記判定対象となる画像データに対して修正処理を施すデータ修正部と、
を有することを特徴とする太陽電池受光面用の印刷画像作成装置。
【請求項３】
請求項２に記載の太陽電池受光面用の印刷画像作成装置において、
条件判定部が、データ修正部による修正前の画像データを判定対象とする条件判定を行うとともに、データ修正部による修正後の画像データを判定対象とする条件判定を行う機能を有し、
データ修正部が、条件判定部により肯定的な判定結果が得られるまでデータ修正を繰り返し実行することを特徴とする太陽電池受光面用の印刷画像作成装置。
【請求項４】
請求項２または３に記載の太陽電池受光面用の印刷画像作成装置において、
プリント部が、変換画像データに基づいて、網点インキ層からなる印刷画像を形成し、
相関情報格納部が、網点面積率と太陽電池の発電特性との関係を示す相関情報を格納しており、
条件判定部が、前記相関情報を用いることにより、判定対象となる画像データに基づいて形成される印刷画像を配置したときの太陽電池の発電特性を予測することを特徴とする太陽電池受光面用の印刷画像作成装置。
【請求項５】
請求項４に記載の太陽電池受光面用の印刷画像作成装置において、
原画像入力部が、ＲＧＢもしくはＣＭＹＫなる各色別の画像データを有する原画像データを入力する機能を有し、
プリント部が、ＣＭＹＫなる各色のインキ層からなる印刷画像を形成する機能を有し、
相関情報格納部が、ＣＭＹＫなる各色の網点面積率の組み合わせと太陽電池の発電特性との対応関係を示す相関情報を格納しており、
条件判定部が、判定対象となる画像データに基づいて特定の網点面積率の組み合わせを決定し、前記相関情報を参照することにより、決定した組み合わせに対応する発電特性を認識し、認識した発電特性に基づいて、判定対象となる画像データに基づいて形成される印刷画像を配置したときの太陽電池の発電特性を予測することを特徴とする太陽電池受光面用の印刷画像作成装置。
【請求項６】
請求項５に記載の太陽電池受光面用の印刷画像作成装置において、
相関情報格納部が、
段階Ａ１：所定の網点面積率で所定色の網点インキ層が均一に分散形成された測定用印刷シートを、複数Ｊ通りのサンプル網点面積率のそれぞれ、かつ、ＣＭＹＫの４通りの色のそれぞれについて用意する段階、
段階Ａ２：各色について、それぞれＪ通りの測定用印刷シートの中の１つを選択することにより、４色の測定用印刷シートの組み合わせを構成し、当該組み合わせに係る４枚の測定用印刷シートを太陽電池の受光面に重ねて配置したときの当該太陽電池の発電特性を実測する処理を、合計「Ｊの４乗通り」の組み合わせについて実行する段階、
段階Ａ３：前記実測により得られた発電特性と、当該実測に用いられた測定用印刷シートのサンプル網点面積率の組み合わせと、の対応関係を示す相関情報を作成する段階、
の各段階を実施することによって作成された相関情報を格納しており、
条件判定部が、ＣＭＹＫの４通りの色のそれぞれについて、前記Ｊ通りのサンプル網点面積率のうち、判定対象となる画像データから導出される本来の網点面積率に最も近似するサンプル網点面積率を最近接サンプル網点面積率として選択することにより、特定のサンプル網点面積率の組み合わせを決定し、決定した組み合わせに対応する相関情報を参照することにより発電特性を予測することを特徴とする太陽電池受光面用の印刷画像作成装置。
【請求項７】
請求項５に記載の太陽電池受光面用の印刷画像作成装置において、
相関情報格納部が、
段階Ｂ１：ＣＭＹＫの４通りの色の網点インキ層が、重畳して、それぞれ所定の網点面積率で均一に分散形成された単一の測定用全色印刷シートを、各色の網点面積率として、それぞれ複数Ｊ通りのサンプル網点面積率を採用することにより、合計「Ｊの４乗通り」の組み合わせについて用意する段階、
段階Ｂ２：段階Ｂ１で用意された「Ｊの４乗通り」の測定用全色印刷シートの中の１枚を選択し、選択した測定用全色印刷シートを太陽電池の受光面に配置したときの当該太陽電池の発電特性を実測する処理を、「Ｊの４乗通り」の測定用全色印刷シートのそれぞれについて実行する段階、
段階Ｂ３：前記実測により得られた発電特性と、当該実測に用いられた測定用全色印刷シートにおけるＣＭＹＫ各色のサンプル網点面積率の組み合わせと、の対応関係を示す相関情報を作成する段階、
の各段階を実施することによって作成された相関情報を格納しており、
条件判定部が、ＣＭＹＫの４通りの色のそれぞれについて、前記Ｊ通りのサンプル網点面積率のうち、判定対象となる画像データから導出される本来の網点面積率に最も近似するサンプル網点面積率を最近接サンプル網点面積率として選択することにより、特定のサンプル網点面積率の組み合わせを決定し、決定した組み合わせに対応する相関情報を参照することにより発電特性を予測することを特徴とする太陽電池受光面用の印刷画像作成装置。
【請求項８】
請求項５に記載の太陽電池受光面用の印刷画像作成装置において、
相関情報格納部が、
段階Ｃ１：所定の網点面積率で所定色の網点インキ層が均一に分散形成された測定用印刷シートを、複数Ｊ通りのサンプル網点面積率のそれぞれ、かつ、ＣＭＹＫの４通りの色のそれぞれについて用意する段階、
段階Ｃ２：段階Ｃ１で用意された測定用印刷シートの中の１枚を選択し、選択した測定用印刷シートを太陽電池の受光面に配置したときの当該太陽電池の発電特性を実測する処理を、用意された各測定用印刷シートのそれぞれについて実行し、これらの実測結果に基づいて、ＣＭＹＫの４通りの色の網点インキ層が重畳して形成された単一の測定用全色印刷シートを太陽電池の受光面に配置したときの当該太陽電池の発電特性を推測する処理を、ＣＭＹＫの各色についてそれぞれＪ通りのサンプル網点面積率を採用した合計「Ｊの４乗通り」の組み合わせの測定用全色印刷シートについて実行する段階、
段階Ｃ３：前記推測により得られた発電特性と、当該推測に用いられた測定用印刷シートのサンプル網点面積率の組み合わせと、の対応関係を示す相関情報を作成する段階、
の各段階を実施することによって作成された相関情報を格納しており、
条件判定部が、ＣＭＹＫの４通りの色のそれぞれについて、前記Ｊ通りのサンプル網点面積率のうち、判定対象となる画像データから導出される本来の網点面積率に最も近似するサンプル網点面積率を最近接サンプル網点面積率として選択することにより、特定のサンプル網点面積率の組み合わせを決定し、決定した組み合わせに対応する相関情報を参照することにより発電特性を予測することを特徴とする太陽電池受光面用の印刷画像作成装置。
【請求項９】
請求項６〜８のいずれかに記載の太陽電池受光面用の印刷画像作成装置において、
段階Ａ２，Ｂ２もしくはＣ２における発電特性の実測時に、測定用印刷シートもしくは測定用全色印刷シートと太陽電池の受光面との間に、所定の拡散シートを介挿させることを特徴とする太陽電池受光面用の印刷画像作成装置。
【請求項１０】
請求項６〜８のいずれかに記載の太陽電池受光面用の印刷画像作成装置において、
段階Ａ２，Ｂ２もしくはＣ２における発電特性の実測時に、測定用印刷シートもしくは測定用全色印刷シートと太陽電池の受光面との間に、所定の拡散シートを介挿させた場合に生じる損失を推測し、実測により得られた発電特性に対して、推測された損失に基づく補正を施すことを特徴とする太陽電池受光面用の印刷画像作成装置。
【請求項１１】
請求項６〜１０のいずれかに記載の太陽電池受光面用の印刷画像作成装置において、
段階Ａ２，Ｂ２もしくはＣ２における発電特性の実測処理に代えて、ＣＭＹＫの各色インキ層の透過スペクトルおよび太陽電池の吸収スペクトルのデータを用いたシミュレーションを実行することにより、太陽電池の発電特性を推測する処理を行い、
段階Ａ３，Ｂ３もしくはＣ３において、前記シミュレーションにより推測された発電特性と、当該推測に用いられた測定用印刷シートもしくは測定用全色印刷シートのサンプル網点面積率の組み合わせと、の対応関係を示す相関情報を作成することを特徴とする太陽電池受光面用の印刷画像作成装置。
【請求項１２】
請求項６〜１１のいずれかに記載の太陽電池受光面用の印刷画像作成装置において、
段階Ａ２，Ｂ２もしくはＣ２において、測定用印刷シートもしくは測定用全色印刷シートを通して所定の基準光を太陽電池に照射したときに、当該太陽電池から出力される電力についての電圧電流特性を実測もしくは推測し、当該電圧電流特性に基づいて、予め定められた設定電圧に応じた電流値を求め、求めた電流値を当該太陽電池の発電特性として用いることを特徴とする太陽電池受光面用の印刷画像作成装置。
【請求項１３】
請求項６〜１１のいずれかに記載の太陽電池受光面用の印刷画像作成装置において、
段階Ａ２，Ｂ２もしくはＣ２において、測定用印刷シートもしくは測定用全色印刷シートを通して所定の基準光を太陽電池に照射したときに、当該太陽電池から出力される電力についての電圧電流特性を実測もしくは推測し、当該電圧電流特性から導出された最適電流値もしくは最適電圧値またはその双方もしくはその積を当該太陽電池の発電特性として用いることを特徴とする太陽電池受光面用の印刷画像作成装置。
【請求項１４】
請求項１３に記載の太陽電池受光面用の印刷画像作成装置において、
電圧電流特性グラフ上に参照点をとり、当該参照点の電圧値を一辺の長さ、電流値を他辺の長さとする矩形を定義したときに、当該矩形の面積が最大となるような参照点を最適点とし、当該最適点の電流値もしくは電圧値を最適電流値もしくは最適電圧値とすることを特徴とする太陽電池受光面用の印刷画像作成装置。
【請求項１５】
請求項６〜１４のいずれかに記載の太陽電池受光面用の印刷画像作成装置において、
条件判定部が、判定対象となる画像データから導出される本来の網点面積率と、選択した最近接サンプル網点面積率と、の差に起因して生じる誤差を補正するために、前記本来の網点面積率に２番目に近似するサンプル網点面積率を次近接サンプル網点面積率として選択し、前記最近接サンプル網点面積率を前記次近接サンプル網点面積率に置換した組み合わせに対応する相関情報を参照することにより、前記補正を行うことを特徴とする太陽電池受光面用の印刷画像作成装置。
【請求項１６】
請求項２または３に記載の太陽電池受光面用の印刷画像作成装置において、
原画像入力部が、複数のセルを面状に並べることにより構成される太陽電池について、その受光面に配置するための原画像を形成するデジタルデータを原画像データとして入力し、
相関情報格納部が、個々のセルの二次元的配置情報と、プリント部によって形成されるインキ層の被覆面積と個々のセルの発電特性との関係を示す相関情報と、を格納しており、
条件判定部が、個々のセルについて、当該セルの受光面に配置される部分領域の画像データに基づいて、当該セルの発電特性を予測することを特徴とする太陽電池受光面用の印刷画像作成装置。
【請求項１７】
請求項１６に記載の太陽電池受光面用の印刷画像作成装置において、
設計条件格納部が、個々のセルについて、それぞれ別個の個別設計条件を格納しており、
条件判定部が、個々のセルについて、それぞれ当該セルについての個別設計条件を満たすか否かの条件判定を行い、
データ修正部が、条件判定部によって否定的な判定結果が得られたセルがあった場合に、当該セルについての個別設計条件が満たされるようにするための修正処理を施すことを特徴とする太陽電池受光面用の印刷画像作成装置。
【請求項１８】
請求項１７に記載の太陽電池受光面用の印刷画像作成装置において、
データ修正部が、否定的な判定結果が得られたセルに対応する部分領域内に配置されている印刷要素の一部もしくは全部を、肯定的な判定結果が得られたセルに対応する部分領域内に移動させるデータ修正を施すことを特徴とする太陽電池受光面用の印刷画像作成装置。
【請求項１９】
請求項１８に記載の太陽電池受光面用の印刷画像作成装置において、
データ修正部が、より多くの光を必要とする個別設計条件が設定されているセルに対応する部分領域内に配置されている印刷要素を、より少ない光を必要とする個別設計条件が設定されているセルに対応する部分領域内に移動させるデータ修正を施すことを特徴とする太陽電池受光面用の印刷画像作成装置。
【請求項２０】
請求項１７に記載の太陽電池受光面用の印刷画像作成装置において、
上方から下方に向かって複数のセルが並べられた状態での利用が想定される太陽電池について、下方に配置されるセルほど、より多くの光を必要とする個別設計条件が設定されていることを特徴とする太陽電池受光面用の印刷画像作成装置。
【請求項２１】
請求項２０に記載の太陽電池受光面用の印刷画像作成装置において、
否定的な判定結果が得られたセルに対応する部分領域内に配置されている印刷要素の一部を、より上方に位置する肯定的な判定結果が得られたセルに対応する部分領域内に移動させるデータ修正を施すことを特徴とする太陽電池受光面用の印刷画像作成装置。
【請求項２２】
請求項１７に記載の太陽電池受光面用の印刷画像作成装置において、
第１の端部から第２の端部に向かって直列接続された複数のセルを有し、第１の端部には第１の電極が接続され、第２の端部には第２の電極が接続されており、前記第１の電極の電気抵抗が前記第２の電極の電気抵抗よりも大きくなるような設定がなされている太陽電池について、前記第２の端部に近い位置に配置されたセルほど、より多くの光を必要とする個別設計条件が設定されていることを特徴とする太陽電池受光面用の印刷画像作成装置。
【請求項２３】
請求項２２に記載の太陽電池受光面用の印刷画像作成装置において、
否定的な判定結果が得られたセルに対応する部分領域内に配置されている印刷要素の一部を、前記第１の端部により近い位置に配置された肯定的な判定結果が得られたセルに対応する部分領域内に移動させるデータ修正を施すことを特徴とする太陽電池受光面用の印刷画像作成装置。
【請求項２４】
請求項１６に記載の太陽電池受光面用の印刷画像作成装置において、
相関情報格納部が、所定の長手方向軸に沿って伸びる細長い矩形状のセルを、前記長手方向軸に対して直交する直交軸方向に並べて配置することにより構成される太陽電池について、個々のセルの二次元的配置情報を格納しており、
データ修正部が、原画像内に、前記長手方向軸に沿って配置された文字列からなる印刷要素が含まれていた場合に、当該文字列の縦書き／横書きの仕様を変更することにより、当該文字列の配置方向を前記直交軸方向に変更するデータ修正を施すことを特徴とする太陽電池受光面用の印刷画像作成装置。
【請求項２５】
請求項２，３または１６のいずれかに記載の太陽電池受光面用の印刷画像作成装置において、
データ修正部が、原画像全体もしくは原画像に含まれている特定の印刷要素に対して縮小処理もしくは拡大処理を行うデータ修正を施すことを特徴とする太陽電池受光面用の印刷画像作成装置。
【請求項２６】
請求項１〜１７のいずれかに記載の太陽電池受光面用の印刷画像作成装置において、
原画像入力部が、それぞれ所定の画素値が定義された画素の集合体からなるデジタルデータを原画像データとして入力し、
画像変換部が、前記原画像データに基づいて、網点の集合体からなる網点画像を形成するための変換画像データを得る変換処理を行い、
プリント部が、前記変換画像データに基づいて、網点インキ層からなる印刷画像を形成することを特徴とする太陽電池受光面用の印刷画像作成装置。
【請求項２７】
請求項２６に記載の太陽電池受光面用の印刷画像作成装置において、
原画像入力部が、ＲＢＧなる各色別の画素値が定義された画素の集合体からなるデジタルデータを原画像データとして入力し、
画像変換部が、前記原画像データに基づいて、ＣＭＹＫなる各色別の画素値が定義された画素の集合体からなる中間画像データを作成し、更に、この中間画像データに基づいて、ＣＭＹＫなる各色の網点の集合体からなる網点画像を形成するための変換画像データを得る変換処理を行い、
プリント部が、前記変換画像データに基づいて、ＣＭＹＫなる各色の網点インキ層からなる印刷画像を形成することを特徴とする太陽電池受光面用の印刷画像作成装置。
【請求項２８】
請求項２６または２７に記載の太陽電池受光面用の印刷画像作成装置において、
画像変換部が、変換画像データに対して、網点画像を構成する網点の一部を間引く修正処理を施すことを特徴とする太陽電池受光面用の印刷画像作成装置。
【請求項２９】
請求項２６または２７に記載の太陽電池受光面用の印刷画像作成装置において、
画像変換部が、変換画像データに対して、網点画像の一部の領域もしくは全部の領域の解像度を低下させる修正処理を施すことを特徴とする太陽電池受光面用の印刷画像作成装置。
【請求項３０】
請求項２６または２７に記載の太陽電池受光面用の印刷画像作成装置において、
画像変換部が、変換画像データに対して、網点画像の一部の領域もしくは全部の領域に存在する網点の二次元的な空間分布を不均一化する修正処理を施すことを特徴とする太陽電池受光面用の印刷画像作成装置。
【請求項３１】
請求項３０に記載の太陽電池受光面用の印刷画像作成装置において、
画像変換部が、変換画像データに対して、網点画像上に定義された所定の局所領域内に分散している複数の網点を、当該局所領域内の特定点に接近させる方向に移動させる修正処理を施すことを特徴とする太陽電池受光面用の印刷画像作成装置。
【請求項３２】
請求項２７に記載の太陽電池受光面用の印刷画像作成装置において、
画像変換部が、原画像データに対して、原画像の一部もしくは全部を構成する特定領域の色調を変更する修正処理を施すことを特徴とする太陽電池受光面用の印刷画像作成装置。
【請求項３３】
請求項３２に記載の太陽電池受光面用の印刷画像作成装置において、
画像変換部が、原画像の一部もしくは全部を構成する特定領域について、Ｃ色成分およびＭ色成分を減少させ、Ｙ色成分を増加させる修正処理を施すことを特徴とする太陽電池受光面用の印刷画像作成装置。
【請求項３４】
請求項２７に記載の太陽電池受光面用の印刷画像作成装置において、
画像変換部が、原画像の一部もしくは全部を構成する特定領域について、ＣＭＹの３色合成成分をＫ色成分に置換するＧＣＲ処理に基づく修正処理を施すことを特徴とする太陽電池受光面用の印刷画像作成装置。
【請求項３５】
請求項２７に記載の太陽電池受光面用の印刷画像作成装置において、
画像変換部が、原画像の一部もしくは全部を構成する特定領域について、Ｋ色成分をＣＭＹの３色合成成分に置換する逆ＧＣＲ処理に基づく修正処理を施すことを特徴とする太陽電池受光面用の印刷画像作成装置。
【請求項３６】
請求項２７に記載の太陽電池受光面用の印刷画像作成装置において、
画像変換部が、原画像の一部もしくは全部を構成する特定領域について、ＣＭＹの３色合成成分をＫ色成分に置換するＧＣＲ処理に基づく第１の修正処理と、Ｋ色成分をＣＭＹの３色合成成分に置換する逆ＧＣＲ処理に基づく第２の修正処理と、のいずれかを選択的に施す機能を有し、前記特定領域内の画素の平均画素値が所定値α未満である場合には前記第１の修正処理を施し、所定値α以上である場合には前記第２の修正処理を施すことを特徴とする太陽電池受光面用の印刷画像作成装置。
【請求項３７】
請求項３６に記載の太陽電池受光面用の印刷画像作成装置において、
画素値の範囲を０％〜１００％の範囲に換算した場合に、所定値αを、８０％〜９０％の範囲内の所定値に設定したことを特徴とする太陽電池受光面用の印刷画像作成装置。
【請求項３８】
請求項１〜３７のいずれかに記載の太陽電池受光面用の印刷画像作成装置において、
印刷画像のサイズと太陽電池の受光面のサイズとが異なる場合には、印刷画像を太陽電池の受光面に重ねて配置したときに両者が重なる重畳領域を定め、画像変換部が、印刷画像の前記重量領域についての光の透過特性に基づいて、前記重量領域についての太陽電池の発電特性の予測を行うことを特徴とする太陽電池受光面用の印刷画像作成装置。
【請求項３９】
請求項１〜３８のいずれかに記載の太陽電池受光面用の印刷画像作成装置において、
画像変換部が、アモルファスシリコンを用いた屋内用の太陽電池の発電特性を予測し、予測した発電特性が前記太陽電池に関する所定の設計条件を満たすように、修正処理を施すことを特徴とする太陽電池受光面用の印刷画像作成装置。
【請求項４０】
請求項１〜３９のいずれかに記載の太陽電池受光面用の印刷画像作成装置における原画像入力部および画像変換部としてコンピュータを機能させるプログラム。
【請求項４１】
請求項１〜３９のいずれかに記載の太陽電池受光面用の印刷画像作成装置によって作成された印刷画像が形成された印刷シートと、この印刷シートの背面に配置された拡散シートと、この拡散シートの背面に配置された太陽電池と、を有することを特徴とする発電機能をもった表示パネル。
【請求項４２】
請求項１〜３９のいずれかに記載の太陽電池受光面用の印刷画像作成装置によって作成された印刷画像が形成された拡散シートと、この拡散シートの背面に配置された太陽電池と、を有することを特徴とする発電機能をもった表示パネル。
【請求項４３】
請求項１〜３９のいずれかに記載の太陽電池受光面用の印刷画像作成装置によって作成された印刷画像が受光面に形成された太陽電池を有することを特徴とする発電機能をもった表示パネル。
【請求項４４】
請求項４１〜４３のいずれかに記載の表示パネルと、この表示パネルを立てた状態で収容して保持するスタンドと、このスタンドに取り付けられ、前記表示パネルの太陽電池が発生した電力を外部に供給する電気回路と、この電気回路から供給された電力によって動作する電気機器と、を有することを特徴とする電力自給機能をもった電気機器装置。
【請求項４５】
請求項４４に記載の電気機器装置において、
電気機器として、所定の情報を電波として送信もしくは受信する機能をもった通信モジュールが組み込まれていることを特徴とする電力自給機能をもった電気機器装置。
【請求項４６】
請求項５に記載の太陽電池受光面用の印刷画像作成装置の相関情報格納部に格納される相関情報を作成する方法であって、
段階Ａ１：所定の網点面積率で所定色の網点インキ層が均一に分散形成された測定用印刷シートを、複数Ｊ通りのサンプル網点面積率のそれぞれ、かつ、ＣＭＹＫの４通りの色のそれぞれについて用意する段階と、
段階Ａ２：各色について、それぞれＪ通りの測定用印刷シートの中の１つを選択することにより、４色の測定用印刷シートの組み合わせを構成し、当該組み合わせに係る４枚の測定用印刷シートを太陽電池の受光面に重ねて配置したときの当該太陽電池の発電特性を実測する処理を、合計「Ｊの４乗通り」の組み合わせについて実行する段階と、
段階Ａ３：前記実測により得られた発電特性と、当該実測に用いられた測定用印刷シートのサンプル網点面積率の組み合わせと、の対応関係を示す相関情報を作成する段階と、
を有することを特徴とする太陽電池受光面用の印刷画像作成装置用の相関情報作成方法。
【請求項４７】
請求項５に記載の太陽電池受光面用の印刷画像作成装置の相関情報格納部に格納される相関情報を作成する方法であって、
段階Ｂ１：ＣＭＹＫの４通りの色の網点インキ層が、重畳して、それぞれ所定の網点面積率で均一に分散形成された単一の測定用全色印刷シートを、各色の網点面積率として、それぞれ複数Ｊ通りのサンプル網点面積率を採用することにより、合計「Ｊの４乗通り」の組み合わせについて用意する段階と、
段階Ｂ２：段階Ｂ１で用意された「Ｊの４乗通り」の測定用全色印刷シートの中の１枚を選択し、選択した測定用全色印刷シートを太陽電池の受光面に配置したときの当該太陽電池の発電特性を実測する処理を、「Ｊの４乗通り」の測定用全色印刷シートのそれぞれについて実行する段階と、
段階Ｂ３：前記実測により得られた発電特性と、当該実測に用いられた測定用全色印刷シートにおけるＣＭＹＫ各色のサンプル網点面積率の組み合わせと、の対応関係を示す相関情報を作成する段階と、
を有することを特徴とする太陽電池受光面用の印刷画像作成装置用の相関情報作成方法。
【請求項４８】
請求項５に記載の太陽電池受光面用の印刷画像作成装置の相関情報格納部に格納される相関情報を作成する方法であって、
段階Ｃ１：所定の網点面積率で所定色の網点インキ層が均一に分散形成された測定用印刷シートを、複数Ｊ通りのサンプル網点面積率のそれぞれ、かつ、ＣＭＹＫの４通りの色のそれぞれについて用意する段階と、
段階Ｃ２：段階Ｃ１で用意された測定用印刷シートの中の１枚を選択し、選択した測定用印刷シートを太陽電池の受光面に配置したときの当該太陽電池の発電特性を実測する処理を、用意された各測定用印刷シートのそれぞれについて実行し、これらの実測結果に基づいて、ＣＭＹＫの４通りの色の網点インキ層が重畳して形成された単一の測定用全色印刷シートを太陽電池の受光面に配置したときの当該太陽電池の発電特性を推測する処理を、ＣＭＹＫの各色についてそれぞれＪ通りのサンプル網点面積率を採用した合計「Ｊの４乗通り」の組み合わせの測定用全色印刷シートについて実行する段階と、
段階Ｃ３：前記推測により得られた発電特性と、当該推測に用いられた測定用印刷シートのサンプル網点面積率の組み合わせと、の対応関係を示す相関情報を作成する段階と、
を有することを特徴とする太陽電池受光面用の印刷画像作成装置用の相関情報作成方法。
【請求項４９】
請求項４６〜４８のいずれかに記載の相関情報作成方法において、
段階Ａ２，Ｂ２もしくはＣ２における発電特性の実測時に、測定用印刷シートもしくは測定用全色印刷シートと太陽電池の受光面との間に、所定の拡散シートを介挿させることを特徴とする太陽電池受光面用の印刷画像作成装置用の相関情報作成方法。
【請求項５０】
請求項４６〜４８のいずれかに記載の相関情報作成方法において、
段階Ａ２，Ｂ２もしくはＣ２における発電特性の実測時に、測定用印刷シートもしくは測定用全色印刷シートと太陽電池の受光面との間に、所定の拡散シートを介挿させた場合に生じる損失を推測し、実測により得られた発電特性に対して、推測された損失に基づく補正を施すことを特徴とする太陽電池受光面用の印刷画像作成装置用の相関情報作成方法。
【請求項５１】
請求項４６〜５０のいずれかに記載の相関情報作成方法において、
段階Ａ２，Ｂ２もしくはＣ２における発電特性の実測処理に代えて、ＣＭＹＫの各色インキ層の透過スペクトルおよび太陽電池の吸収スペクトルのデータを用いたシミュレーションを実行することにより、太陽電池の発電特性を推測する処理を行い、
段階Ａ３，Ｂ３もしくはＣ３において、前記シミュレーションにより推測された発電特性と、当該推測に用いられた測定用印刷シートもしくは測定用全色印刷シートのサンプル網点面積率の組み合わせと、の対応関係を示す相関情報を作成することを特徴とする太陽電池受光面用の印刷画像作成装置用の相関情報作成方法。
【請求項５２】
太陽電池の受光面に配置する印刷画像を作成する方法であって、
コンピュータが、原画像を形成するためのデジタルデータを原画像データとして入力する原画像入力段階と、
コンピュータが、前記原画像データに対して所定の変換処理を施し、インキ層からなる印刷画像を形成するのに適した変換画像データを得る画像変換段階と、
印刷機が、前記変換画像データに基づいて、前記太陽電池の受光面もしくは前記太陽電池の受光面に配置するための透光性シートの表面に、インキ層からなる印刷画像を形成するプリント段階と、
を有し、
前記画像変換段階において、コンピュータが、前記変換画像データを前記印刷機に与えた場合に形成される印刷画像の光の透過特性に基づいて、受光面に当該印刷画像が配置された太陽電池の発電特性を予測し、予測した発電特性が前記太陽電池に関する所定の設計条件を満たすように、前記原画像データもしくは前記変換画像データまたはこれらに対して修正を加えた画像データに対して必要な修正処理を施すことを特徴とする太陽電池受光面用の印刷画像作成方法。
【請求項５３】
太陽電池の受光面に配置する印刷画像の適否を判定する判定装置であって、
原画像を形成するためのデジタルデータを原画像データとして入力する原画像入力部と、
太陽電池の発電特性に関する設計条件を格納する設計条件格納部と、
前記原画像データに基づく印刷によって形成されるインキ層の被覆面積と太陽電池の発電特性との関係を示す相関情報を格納した相関情報格納部と、
前記相関情報を用いることにより、前記原画像データに基づいて形成される印刷画像を受光面に配置したときの太陽電池の発電特性を予測し、予測した発電特性が前記設計条件を満たすか否かの条件判定を行う条件判定部と、
を備えることを特徴とする太陽電池受光面用の印刷画像の適否判定装置。
【発明の詳細な説明】
【技術分野】
【０００１】
本発明は、太陽電池の受光面に配置する印刷画像を作成する装置に関し、特に、原画像データに基づいてインキ層からなる印刷画像を形成するための印刷画像作成装置に関する。
【背景技術】
【０００２】
世界的な規模で広がっている地球温暖化問題への取り組みにおいて、太陽電池の果たす役割は益々重要になってきており、近年は、屋外設置型の大型な太陽電池だけでなく、屋内設置型や携帯型の電子機器に対する電力供給用の中型や小型の太陽電池の需要も増えている。従来の電子機器は、化学電池（放電のみを行う一次電池や、充放電を繰り返し行うことができる二次電池）からの電力供給を受けて動作するのが一般的であったが、今後は、太陽電池を組み込んだ電子機器も広く普及してゆくものと期待されている。
【０００３】
太陽電池は、一次電池のような使い捨てではなく、二次電池のような充電作業も不要であり、環境負荷も小さいという利点がある。また、発電には光が必要になるが、光が照射されている限り発電が可能である。一方、一般的な電子機器は、人間が使う物である以上、ある程度の照明環境下で利用されることが前提になる。したがって、太陽電池の発電量に見合う電力しか消費しない省電力型の電子機器の場合、太陽電池さえ組み込んでおけば、人間が利用する環境下で十分な電力供給が可能になる。このような設計思想に基づいて、既に、電卓や腕時計などの小型電子機器には、太陽電池を組み込んで動作するものが少なくない。最近は、もう少しサイズが大きな中型電子機器にも、太陽電池を組み込んで電力供給を行う試みがなされている。
【０００４】
一般に、太陽電池の発電量を大きくするためには、その受光面の面積を広くする必要がある。したがって、たとえば、何らかの表示媒体の表示面に太陽電池を埋め込むことは、大きな発電量を得る上では理にかなっている。しかしながら、太陽電池には、その受光面が意匠性に劣るという潜在的な欠点がある。これは、発電効率を高めるため、太陽電池の受光面は光を吸収しやすい色（黒色・青色・茶色などの濃厚色）にせざるを得ないという事情があるためである。実際、市販されている多くの太陽電池は、その表面が暗い色をしており、見た目が悪い。
【０００５】
一般に、屋外に設置される大型の太陽電池の場合、屋外構造物として把握されるため、見た目の悪さは許容されている。また、電卓などの小型機器であれば、太陽電池受光面の占有面積は比較的小さいため、製品全体の意匠性をそれほど損なうことはない。これに対して、今後普及が見込まれている中型機器（屋内で利用される卓上機器、壁掛機器など）の場合、発電効率を高めるために受光面を大きくすればするほど、製品全体の意匠性を低下させてしまうことになる。
【０００６】
このような問題を解決するため、たとえば、下記の特許文献１には、表面に凹凸が形成された拡散層を太陽電池の受光面に配置して、発電効率を維持させたまま意匠性を向上させる技術が開示されている。また、特許文献２には、太陽電池のセルの背面に着色粒子を有する着色層を配置し、セル間の隙間から着色層が覗く構成をとることにより意匠性を向上させる技術が開示されており、特許文献３には、太陽電池の背面に第１着色層を配置するとともに、前面に拡散層および第２着色層を配置することにより意匠性を向上させる技術が開示されている。更に、特許文献４には、太陽電池の前面に拡散層とともに意匠層を配置し、この意匠層に、文字、絵柄、キャラクターなどの意匠デザインを施すことにより、意匠性を向上させる技術が開示されている。
【先行技術文献】
【特許文献】
【０００７】
【特許文献１】特開２０１４−０４９７４８号公報
【特許文献２】特開２０１４−０４９７５２号公報
【特許文献３】特開２０１４−１４３３８４号公報
【特許文献４】特開２０１６−０２５２４７号公報
【発明の概要】
【発明が解決しようとする課題】
【０００８】
上述したように、太陽電池の意匠性を向上させるには、その前面（受光面）に何らかの意匠層を配置するのが最も効果的である。特に、文字、絵柄、キャラクターなどの任意の画像からなる意匠層を配置するようにすれば、チラシ、ポスター、カレンダーといった一般の商業印刷物と同程度にまで、意匠デザインの自由度を向上させることができる。この場合、意匠層は、既存の印刷技術を利用して形成することができるため、既存設備を利用した量産化も可能になる。
【０００９】
しかしながら、太陽電池としての機能面を考慮すると、意匠層の配置は好ましいことではない。意匠層は所望の色をもったインキ層から構成されるため、観察者に対しては、何らかの画像を提示して意匠性を向上させる機能を果たすことになるが、太陽電池に対しては、その受光面に入射する光の一部を反射したり吸収したりしてしまうため、発電効率を低下させる負の機能を果たすことになる。結局、太陽電池が組み込まれた製品について、発電効率と意匠性はトレードオフの関係にあり、実用上は、当該製品に組み込まれる太陽電池にとって必要とされる性能が発揮できる範囲内で、意匠性を向上させるための工夫を施す、という対応が必要になる。
【００１０】
ただ、太陽電池やそこから電力を取り出すための電気回路の設計に携わるのは、回路設計の知識をもった設計技術者であるのに対し、意匠層として表現される原画像を作成するのは、意匠デザインの設計に長けたデザイナーである。このため、実際には、デザイナーが太陽電池の発電性能を考慮しながら原画像を作成したり、設計技術者が原画像のデザインを意図しながら回路設計を行ったりすることは困難である。特に、産業上は、多種多様な製品にそれぞれ最適な性能をもった太陽電池を組み込み、かつ、そこに多種多様な意匠デザインを施すことが要求される。したがって、これまでの技術では、個々の製品に組み込まれる太陽電池に、本来必要とされる性能を維持させつつ、所望の意匠デザインをもつ画像を当該太陽電池の受光面に配置して意匠性を向上させるには、設計技術者とデザイナーとにおいて密なる連携作業を行う必要があり、多大な労力が必要になる。
【００１１】
そこで本発明は、様々な製品に太陽電池を組み込んで発電機能をもたせ、その受光面に画像を配置して意匠性を向上させる際に、与えられた任意の原画像に基づいて、当該太陽電池に必要とされる性能の維持が可能な印刷画像を作成することができる装置を提供することを目的とする。
【課題を解決するための手段】
【００１２】
(1)   本発明の第１の態様は、太陽電池の受光面に配置する印刷画像を作成する太陽電池受光面用の印刷画像作成装置において、
原画像を形成するためのデジタルデータを原画像データとして入力する原画像入力部と、
原画像データに対して所定の変換処理を施し、インキ層からなる印刷画像を形成するのに適した変換画像データを得る画像変換部と、
変換画像データに基づいて、太陽電池の受光面もしくは太陽電池の受光面に配置するための透光性シートの表面に、インキ層からなる印刷画像を形成するプリント部と、
を設け、
画像変換部が、変換画像データをプリント部に与えた場合に形成される印刷画像の光の透過特性に基づいて、受光面に当該印刷画像が配置された太陽電池の発電特性を予測し、予測した発電特性が太陽電池に関する所定の設計条件を満たすように、原画像データもしくは変換画像データまたはこれらに対して修正を加えた画像データに対して必要な修正処理を施すようにしたものである。
【００１３】
(2)   本発明の第２の態様は、上述した第１の態様に係る太陽電池受光面用の印刷画像作成装置において、
画像変換部に、
原画像データを変換画像データに変換するデータ変換部と、
太陽電池の発電特性に関する設計条件を格納する設計条件格納部と、
プリント部によって形成されるインキ層の被覆面積と太陽電池の発電特性との関係を示す相関情報を格納した相関情報格納部と、
相関情報を用いることにより、判定対象となる画像データに基づいて形成される印刷画像を受光面に配置したときの太陽電池の発電特性を予測し、予測した発電特性が設計条件を満たすか否かの条件判定を行う条件判定部と、
条件判定部により否定的な判定結果が得られた場合に、肯定的な判定結果が得られるよう判定対象となる画像データに対して修正処理を施すデータ修正部と、
を設けるようにしたものである。
【００１４】
(3)   本発明の第３の態様は、上述した第２の態様に係る太陽電池受光面用の印刷画像作成装置において、
条件判定部が、データ修正部による修正前の画像データを判定対象とする条件判定を行うとともに、データ修正部による修正後の画像データを判定対象とする条件判定を行う機能を有し、
データ修正部が、条件判定部により肯定的な判定結果が得られるまでデータ修正を繰り返し実行するようにしたものである。
【００１５】
(4)   本発明の第４の態様は、上述した第２または第３の態様に係る太陽電池受光面用の印刷画像作成装置において、
プリント部が、変換画像データに基づいて、網点インキ層からなる印刷画像を形成し、
相関情報格納部が、網点面積率と太陽電池の発電特性との関係を示す相関情報を格納しており、
条件判定部が、相関情報を用いることにより、判定対象となる画像データに基づいて形成される印刷画像を配置したときの太陽電池の発電特性を予測するようにしたものである。
【００１６】
(5)   本発明の第５の態様は、上述した第４の態様に係る太陽電池受光面用の印刷画像作成装置において、
原画像入力部が、ＲＧＢもしくはＣＭＹＫなる各色別の画像データを有する原画像データを入力する機能を有し、
プリント部が、ＣＭＹＫなる各色のインキ層からなる印刷画像を形成する機能を有し、
相関情報格納部が、ＣＭＹＫなる各色の網点面積率の組み合わせと太陽電池の発電特性との対応関係を示す相関情報を格納しており、
条件判定部が、判定対象となる画像データに基づいて特定の網点面積率の組み合わせを決定し、相関情報を参照することにより、決定した組み合わせに対応する発電特性を認識し、認識した発電特性に基づいて、判定対象となる画像データに基づいて形成される印刷画像を配置したときの太陽電池の発電特性を予測するようにしたものである。
【００１７】
(6)   本発明の第６の態様は、上述した第５の態様に係る太陽電池受光面用の印刷画像作成装置において、
相関情報格納部に、
段階Ａ１：所定の網点面積率で所定色の網点インキ層が均一に分散形成された測定用印刷シートを、複数Ｊ通りのサンプル網点面積率のそれぞれ、かつ、ＣＭＹＫの４通りの色のそれぞれについて用意する段階、
段階Ａ２：各色について、それぞれＪ通りの測定用印刷シートの中の１つを選択することにより、４色の測定用印刷シートの組み合わせを構成し、当該組み合わせに係る４枚の測定用印刷シートを太陽電池の受光面に重ねて配置したときの当該太陽電池の発電特性を実測する処理を、合計「Ｊの４乗通り」の組み合わせについて実行する段階、
段階Ａ３：上記実測により得られた発電特性と、当該実測に用いられた測定用印刷シートのサンプル網点面積率の組み合わせと、の対応関係を示す相関情報を作成する段階、
の各段階を実施することによって作成された相関情報を格納するようにし、
条件判定部が、ＣＭＹＫの４通りの色のそれぞれについて、上記Ｊ通りのサンプル網点面積率のうち、判定対象となる画像データから導出される本来の網点面積率に最も近似するサンプル網点面積率を最近接サンプル網点面積率として選択することにより、特定のサンプル網点面積率の組み合わせを決定し、決定した組み合わせに対応する相関情報を参照することにより発電特性を予測するようにしたものである。
【００１８】
(7)   本発明の第７の態様は、上述した第５の態様に係る太陽電池受光面用の印刷画像作成装置において、
相関情報格納部が、
段階Ｂ１：ＣＭＹＫの４通りの色の網点インキ層が、重畳して、それぞれ所定の網点面積率で均一に分散形成された単一の測定用全色印刷シートを、各色の網点面積率として、それぞれ複数Ｊ通りのサンプル網点面積率を採用することにより、合計「Ｊの４乗通り」の組み合わせについて用意する段階、
段階Ｂ２：段階Ｂ１で用意された「Ｊの４乗通り」の測定用全色印刷シートの中の１枚を選択し、選択した測定用全色印刷シートを太陽電池の受光面に配置したときの当該太陽電池の発電特性を実測する処理を、「Ｊの４乗通り」の測定用全色印刷シートのそれぞれについて実行する段階、
段階Ｂ３：上記実測により得られた発電特性と、当該実測に用いられた測定用全色印刷シートにおけるＣＭＹＫ各色のサンプル網点面積率の組み合わせと、の対応関係を示す相関情報を作成する段階、
の各段階を実施することによって作成された相関情報を格納しており、
条件判定部が、ＣＭＹＫの４通りの色のそれぞれについて、上記Ｊ通りのサンプル網点面積率のうち、判定対象となる画像データから導出される本来の網点面積率に最も近似するサンプル網点面積率を最近接サンプル網点面積率として選択することにより、特定のサンプル網点面積率の組み合わせを決定し、決定した組み合わせに対応する相関情報を参照することにより発電特性を予測するようにしたものである。
【００１９】
(8)   本発明の第８の態様は、上述した第５の態様に係る太陽電池受光面用の印刷画像作成装置において、
相関情報格納部が、
段階Ｃ１：所定の網点面積率で所定色の網点インキ層が均一に分散形成された測定用印刷シートを、複数Ｊ通りのサンプル網点面積率のそれぞれ、かつ、ＣＭＹＫの４通りの色のそれぞれについて用意する段階、
段階Ｃ２：段階Ｃ１で用意された測定用印刷シートの中の１枚を選択し、選択した測定用印刷シートを太陽電池の受光面に配置したときの当該太陽電池の発電特性を実測する処理を、用意された各測定用印刷シートのそれぞれについて実行し、これらの実測結果に基づいて、ＣＭＹＫの４通りの色の網点インキ層が重畳して形成された単一の測定用全色印刷シートを太陽電池の受光面に配置したときの当該太陽電池の発電特性を推測する処理を、ＣＭＹＫの各色についてそれぞれＪ通りのサンプル網点面積率を採用した合計「Ｊの４乗通り」の組み合わせの測定用全色印刷シートについて実行する段階、
段階Ｃ３：上記推測により得られた発電特性と、当該推測に用いられた測定用印刷シートのサンプル網点面積率の組み合わせと、の対応関係を示す相関情報を作成する段階、
の各段階を実施することによって作成された相関情報を格納しており、
条件判定部が、ＣＭＹＫの４通りの色のそれぞれについて、上記Ｊ通りのサンプル網点面積率のうち、判定対象となる画像データから導出される本来の網点面積率に最も近似するサンプル網点面積率を最近接サンプル網点面積率として選択することにより、特定のサンプル網点面積率の組み合わせを決定し、決定した組み合わせに対応する相関情報を参照することにより発電特性を予測するようにしたものである。
【００２０】
(9)   本発明の第９の態様は、上述した第６〜第８の態様に係る太陽電池受光面用の印刷画像作成装置において、
段階Ａ２，Ｂ２もしくはＣ２における発電特性の実測時に、測定用印刷シートもしくは測定用全色印刷シートと太陽電池の受光面との間に、所定の拡散シートを介挿させるようにしたものである。
【００２１】
(10)  本発明の第１０の態様は、上述した第６〜第８の態様に係る太陽電池受光面用の印刷画像作成装置において、
段階Ａ２，Ｂ２もしくはＣ２における発電特性の実測時に、測定用印刷シートもしくは測定用全色印刷シートと太陽電池の受光面との間に、所定の拡散シートを介挿させた場合に生じる損失を推測し、実測により得られた発電特性に対して、推測された損失に基づく補正を施すようにしたものである。
【００２２】
(11)  本発明の第１１の態様は、上述した第６〜第１０の態様に係る太陽電池受光面用の印刷画像作成装置において、
段階Ａ２，Ｂ２もしくはＣ２における発電特性の実測処理に代えて、ＣＭＹＫの各色インキ層の透過スペクトルおよび太陽電池の吸収スペクトルのデータを用いたシミュレーションを実行することにより、太陽電池の発電特性を推測する処理を行い、
段階Ａ３，Ｂ３もしくはＣ３において、上記シミュレーションにより推測された発電特性と、当該推測に用いられた測定用印刷シートもしくは測定用全色印刷シートのサンプル網点面積率の組み合わせと、の対応関係を示す相関情報を作成するようにしたものである。
【００２３】
(12)  本発明の第１２の態様は、上述した第６〜第１１の態様に係る太陽電池受光面用の印刷画像作成装置において、
段階Ａ２，Ｂ２もしくはＣ２において、測定用印刷シートもしくは測定用全色印刷シートを通して所定の基準光を太陽電池に照射したときに、当該太陽電池から出力される電力についての電圧電流特性を実測もしくは推測し、当該電圧電流特性に基づいて、予め定められた設定電圧に応じた電流値を求め、求めた電流値を当該太陽電池の発電特性として用いるようにしたものである。
【００２４】
(13)  本発明の第１３の態様は、上述した第６〜第１１の態様に係る太陽電池受光面用の印刷画像作成装置において、
段階Ａ２，Ｂ２もしくはＣ２において、測定用印刷シートもしくは測定用全色印刷シートを通して所定の基準光を太陽電池に照射したときに、当該太陽電池から出力される電力についての電圧電流特性を実測もしくは推測し、当該電圧電流特性から導出された最適電流値もしくは最適電圧値またはその双方もしくはその積を当該太陽電池の発電特性として用いるようにしたものである。
【００２５】
(14)  本発明の第１４の態様は、上述した第１３の態様に係る太陽電池受光面用の印刷画像作成装置において、
電圧電流特性グラフ上に参照点をとり、当該参照点の電圧値を一辺の長さ、電流値を他辺の長さとする矩形を定義したときに、当該矩形の面積が最大となるような参照点を最適点とし、当該最適点の電流値もしくは電圧値を最適電流値もしくは最適電圧値とするようにしたものである。
【００２６】
(15)  本発明の第１５の態様は、上述した第６〜第１４の態様に係る太陽電池受光面用の印刷画像作成装置において、
条件判定部が、判定対象となる画像データから導出される本来の網点面積率と、選択した最近接サンプル網点面積率と、の差に起因して生じる誤差を補正するために、上記本来の網点面積率に２番目に近似するサンプル網点面積率を次近接サンプル網点面積率として選択し、最近接サンプル網点面積率を次近接サンプル網点面積率に置換した組み合わせに対応する相関情報を参照することにより、上記補正を行うようにしたものである。
【００２７】
(16)  本発明の第１６の態様は、上述した第２または第３の態様に係る太陽電池受光面用の印刷画像作成装置において、
原画像入力部が、複数のセルを面状に並べることにより構成される太陽電池について、その受光面に配置するための原画像を形成するデジタルデータを原画像データとして入力し、
相関情報格納部が、個々のセルの二次元的配置情報と、プリント部によって形成されるインキ層の被覆面積と個々のセルの発電特性との関係を示す相関情報と、を格納しており、
条件判定部が、個々のセルについて、当該セルの受光面に配置される部分領域の画像データに基づいて、当該セルの発電特性を予測するようにしたものである。
【００２８】
(17)  本発明の第１７の態様は、上述した第１６の態様に係る太陽電池受光面用の印刷画像作成装置において、
設計条件格納部が、個々のセルについて、それぞれ別個の個別設計条件を格納しており、
条件判定部が、個々のセルについて、それぞれ当該セルについての個別設計条件を満たすか否かの条件判定を行い、
データ修正部が、条件判定部によって否定的な判定結果が得られたセルがあった場合に、当該セルについての個別設計条件が満たされるようにするための修正処理を施すようにしたものである。
【００２９】
(18)  本発明の第１８の態様は、上述した第１７の態様に係る太陽電池受光面用の印刷画像作成装置において、
データ修正部が、否定的な判定結果が得られたセルに対応する部分領域内に配置されている印刷要素の一部もしくは全部を、肯定的な判定結果が得られたセルに対応する部分領域内に移動させるデータ修正を施すようにしたものである。
【００３０】
(19)  本発明の第１９の態様は、上述した第１８の態様に係る太陽電池受光面用の印刷画像作成装置において、
データ修正部が、より多くの光を必要とする個別設計条件が設定されているセルに対応する部分領域内に配置されている印刷要素を、より少ない光を必要とする個別設計条件が設定されているセルに対応する部分領域内に移動させるデータ修正を施すようにしたものである。
【００３１】
(20)  本発明の第２０の態様は、上述した第１７の態様に係る太陽電池受光面用の印刷画像作成装置において、
上方から下方に向かって複数のセルが並べられた状態での利用が想定される太陽電池について、下方に配置されるセルほど、より多くの光を必要とする個別設計条件が設定されているようにしたものである。
【００３２】
(21)  本発明の第２１の態様は、上述した第２０の態様に係る太陽電池受光面用の印刷画像作成装置において、
否定的な判定結果が得られたセルに対応する部分領域内に配置されている印刷要素の一部を、より上方に位置する肯定的な判定結果が得られたセルに対応する部分領域内に移動させるデータ修正を施すようにしたものである。
【００３３】
(22)  本発明の第２２の態様は、上述した第１７の態様に係る太陽電池受光面用の印刷画像作成装置において、
第１の端部から第２の端部に向かって直列接続された複数のセルを有し、第１の端部には第１の電極が接続され、第２の端部には第２の電極が接続されており、第１の電極の電気抵抗が第２の電極の電気抵抗よりも大きくなるような設定がなされている太陽電池について、第２の端部に近い位置に配置されたセルほど、より多くの光を必要とする個別設計条件が設定されているようにしたものである。
【００３４】
(23)  本発明の第２３の態様は、上述した第２２の態様に係る太陽電池受光面用の印刷画像作成装置において、
否定的な判定結果が得られたセルに対応する部分領域内に配置されている印刷要素の一部を、第１の端部により近い位置に配置された肯定的な判定結果が得られたセルに対応する部分領域内に移動させるデータ修正を施すようにしたものである。
【００３５】
(24)  本発明の第２４の態様は、上述した第１６の態様に係る太陽電池受光面用の印刷画像作成装置において、
相関情報格納部が、所定の長手方向軸に沿って伸びる細長い矩形状のセルを、長手方向軸に対して直交する直交軸方向に並べて配置することにより構成される太陽電池について、個々のセルの二次元的配置情報を格納しており、
データ修正部が、原画像内に、上記長手方向軸に沿って配置された文字列からなる印刷要素が含まれていた場合に、当該文字列の縦書き／横書きの仕様を変更することにより、当該文字列の配置方向を上記直交軸方向に変更するデータ修正を施すようにしたものである。
【００３６】
(25)  本発明の第２５の態様は、上述した第２，第３，第１６の態様に係る太陽電池受光面用の印刷画像作成装置において、
データ修正部が、原画像全体もしくは原画像に含まれている特定の印刷要素に対して縮小処理もしくは拡大処理を行うデータ修正を施すようにしたものである。
【００３７】
(26)  本発明の第２６の態様は、上述した第１〜第１７の態様に係る太陽電池受光面用の印刷画像作成装置において、
原画像入力部が、それぞれ所定の画素値が定義された画素の集合体からなるデジタルデータを原画像データとして入力し、
画像変換部が、原画像データに基づいて、網点の集合体からなる網点画像を形成するための変換画像データを得る変換処理を行い、
プリント部が、変換画像データに基づいて、網点インキ層からなる印刷画像を形成するようにしたものである。
【００３８】
(27)  本発明の第２７の態様は、上述した第２６の態様に係る太陽電池受光面用の印刷画像作成装置において、
原画像入力部が、ＲＢＧなる各色別の画素値が定義された画素の集合体からなるデジタルデータを原画像データとして入力し、
画像変換部が、原画像データに基づいて、ＣＭＹＫなる各色別の画素値が定義された画素の集合体からなる中間画像データを作成し、更に、この中間画像データに基づいて、ＣＭＹＫなる各色の網点の集合体からなる網点画像を形成するための変換画像データを得る変換処理を行い、
プリント部が、変換画像データに基づいて、ＣＭＹＫなる各色の網点インキ層からなる印刷画像を形成するようにしたものである。
【００３９】
(28)  本発明の第２８の態様は、上述した第２６または第２７の態様に係る太陽電池受光面用の印刷画像作成装置において、
画像変換部が、変換画像データに対して、網点画像を構成する網点の一部を間引く修正処理を施すようにしたものである。
【００４０】
(29)  本発明の第２９の態様は、上述した第２６または第２７の態様に係る太陽電池受光面用の印刷画像作成装置において、
画像変換部が、変換画像データに対して、網点画像の一部の領域もしくは全部の領域の解像度を低下させる修正処理を施すようにしたものである。
【００４１】
(30)  本発明の第３０の態様は、上述した第２６または第２７の態様に係る太陽電池受光面用の印刷画像作成装置において、
画像変換部が、変換画像データに対して、網点画像の一部の領域もしくは全部の領域に存在する網点の二次元的な空間分布を不均一化する修正処理を施すようにしたものである。
【００４２】
(31)  本発明の第３１の態様は、上述した第３０の態様に係る太陽電池受光面用の印刷画像作成装置において、
画像変換部が、変換画像データに対して、網点画像上に定義された所定の局所領域内に分散している複数の網点を、当該局所領域内の特定点に接近させる方向に移動させる修正処理を施すようにしたものである。
【００４３】
(32)  本発明の第３２の態様は、上述した第２７の態様に係る太陽電池受光面用の印刷画像作成装置において、
画像変換部が、原画像データに対して、原画像の一部もしくは全部を構成する特定領域の色調を変更する修正処理を施すようにしたものである。
【００４４】
(33)  本発明の第３３の態様は、上述した第３２の態様に係る太陽電池受光面用の印刷画像作成装置において、
画像変換部が、原画像の一部もしくは全部を構成する特定領域について、Ｃ色成分およびＭ色成分を減少させ、Ｙ色成分を増加させる修正処理を施すようにしたものである。
【００４５】
(34)  本発明の第３４の態様は、上述した第２７の態様に係る太陽電池受光面用の印刷画像作成装置において、
画像変換部が、原画像の一部もしくは全部を構成する特定領域について、ＣＭＹの３色合成成分をＫ色成分に置換するＧＣＲ処理に基づく修正処理を施すようにしたものである。
【００４６】
(35)  本発明の第３５の態様は、上述した第２７の態様に係る太陽電池受光面用の印刷画像作成装置において、
画像変換部が、原画像の一部もしくは全部を構成する特定領域について、Ｋ色成分をＣＭＹの３色合成成分に置換する逆ＧＣＲ処理に基づく修正処理を施すようにしたものである。
【００４７】
(36)  本発明の第３６の態様は、上述した第２７の態様に係る太陽電池受光面用の印刷画像作成装置において、
画像変換部が、原画像の一部もしくは全部を構成する特定領域について、ＣＭＹの３色合成成分をＫ色成分に置換するＧＣＲ処理に基づく第１の修正処理と、Ｋ色成分をＣＭＹの３色合成成分に置換する逆ＧＣＲ処理に基づく第２の修正処理と、のいずれかを選択的に施す機能を有し、特定領域内の画素の平均画素値が所定値α未満である場合には第１の修正処理を施し、所定値α以上である場合には第２の修正処理を施すようにしたものである。
【００４８】
(37)  本発明の第３７の態様は、上述した第３６の態様に係る太陽電池受光面用の印刷画像作成装置において、
画素値の範囲を０％〜１００％の範囲に換算した場合に、所定値αを、８０％〜９０％の範囲内の所定値に設定したものである。
【００４９】
(38)  本発明の第３８の態様は、上述した第１〜第３７の態様に係る太陽電池受光面用の印刷画像作成装置において、
印刷画像のサイズと太陽電池の受光面のサイズとが異なる場合には、印刷画像を太陽電池の受光面に重ねて配置したときに両者が重なる重畳領域を定め、画像変換部が、印刷画像の上記重量領域についての光の透過特性に基づいて、上記重量領域についての太陽電池の発電特性の予測を行うようにしたものである。
【００５０】
(39)  本発明の第３９の態様は、上述した第１〜第３８の態様に係る太陽電池受光面用の印刷画像作成装置において、
画像変換部が、アモルファスシリコンを用いた屋内用の太陽電池の発電特性を予測し、予測した発電特性が太陽電池に関する所定の設計条件を満たすように、修正処理を施すようにしたものである。
【００５１】
(40)  本発明の第４０の態様は、上述した第１〜第３９の態様に係る太陽電池受光面用の印刷画像作成装置における原画像入力部および画像変換部を、コンピュータにプログラムを組み込むことにより構成したものである。
【００５２】
(41)  本発明の第４１の態様は、上述した第１〜第３９の態様に係る太陽電池受光面用の印刷画像作成装置によって作成された印刷画像が形成された印刷シートと、この印刷シートの背面に配置された拡散シートと、この拡散シートの背面に配置された太陽電池と、によって、発電機能をもった表示パネルを構成したものである。
【００５３】
(42)  本発明の第４２の態様は、上述した第１〜第３９の態様に係る太陽電池受光面用の印刷画像作成装置によって作成された印刷画像が形成された拡散シートと、この拡散シートの背面に配置された太陽電池と、によって、発電機能をもった表示パネルを構成したものである。
【００５４】
(43)  本発明の第４３の態様は、上述した第１〜第３９の態様に係る太陽電池受光面用の印刷画像作成装置によって作成された印刷画像が受光面に形成された太陽電池によって、発電機能をもった表示パネルを構成したものである。
【００５５】
(44)  本発明の第４４の態様は、上述した第４１〜第４３の態様に係る表示パネルと、この表示パネルを立てた状態で収容して保持するスタンドと、このスタンドに取り付けられ、表示パネルの太陽電池が発生した電力を外部に供給する電気回路と、この電気回路から供給された電力によって動作する電気機器と、によって、電力自給機能をもった電気機器装置を構成したものである。
【００５６】
(45)  本発明の第４５の態様は、上述した第４４の態様に係る電気機器装置において、
電気機器として、所定の情報を電波として送信もしくは受信する機能をもった通信モジュールを組み込むことにより、電力自給機能をもった電気機器装置を構成したものである。
【００５７】
(46)  本発明の第４６の態様は、上述した第５の態様に係る太陽電池受光面用の印刷画像作成装置の相関情報格納部に格納される相関情報を、
段階Ａ１：所定の網点面積率で所定色の網点インキ層が均一に分散形成された測定用印刷シートを、複数Ｊ通りのサンプル網点面積率のそれぞれ、かつ、ＣＭＹＫの４通りの色のそれぞれについて用意する段階と、
段階Ａ２：各色について、それぞれＪ通りの測定用印刷シートの中の１つを選択することにより、４色の測定用印刷シートの組み合わせを構成し、当該組み合わせに係る４枚の測定用印刷シートを太陽電池の受光面に重ねて配置したときの当該太陽電池の発電特性を実測する処理を、合計「Ｊの４乗通り」の組み合わせについて実行する段階と、
段階Ａ３：上記実測により得られた発電特性と、当該実測に用いられた測定用印刷シートのサンプル網点面積率の組み合わせと、の対応関係を示す相関情報を作成する段階と、
によって作成するようにしたものである。
【００５８】
(47)  本発明の第４７の態様は、上述した第５の態様に係る太陽電池受光面用の印刷画像作成装置の相関情報格納部に格納される相関情報を、
段階Ｂ１：ＣＭＹＫの４通りの色の網点インキ層が、重畳して、それぞれ所定の網点面積率で均一に分散形成された単一の測定用全色印刷シートを、各色の網点面積率として、それぞれ複数Ｊ通りのサンプル網点面積率を採用することにより、合計「Ｊの４乗通り」の組み合わせについて用意する段階と、
段階Ｂ２：段階Ｂ１で用意された「Ｊの４乗通り」の測定用全色印刷シートの中の１枚を選択し、選択した測定用全色印刷シートを太陽電池の受光面に配置したときの当該太陽電池の発電特性を実測する処理を、「Ｊの４乗通り」の測定用全色印刷シートのそれぞれについて実行する段階と、
段階Ｂ３：上記実測により得られた発電特性と、当該実測に用いられた測定用全色印刷シートにおけるＣＭＹＫ各色のサンプル網点面積率の組み合わせと、の対応関係を示す相関情報を作成する段階と、
によって作成するようにしたものである。
【００５９】
(48)  本発明の第４８の態様は、上述した第５の態様に係る太陽電池受光面用の印刷画像作成装置の相関情報格納部に格納される相関情報を、
段階Ｃ１：所定の網点面積率で所定色の網点インキ層が均一に分散形成された測定用印刷シートを、複数Ｊ通りのサンプル網点面積率のそれぞれ、かつ、ＣＭＹＫの４通りの色のそれぞれについて用意する段階と、
段階Ｃ２：段階Ｃ１で用意された測定用印刷シートの中の１枚を選択し、選択した測定用印刷シートを太陽電池の受光面に配置したときの当該太陽電池の発電特性を実測する処理を、用意された各測定用印刷シートのそれぞれについて実行し、これらの実測結果に基づいて、ＣＭＹＫの４通りの色の網点インキ層が重畳して形成された単一の測定用全色印刷シートを太陽電池の受光面に配置したときの当該太陽電池の発電特性を推測する処理を、ＣＭＹＫの各色についてそれぞれＪ通りのサンプル網点面積率を採用した合計「Ｊの４乗通り」の組み合わせの測定用全色印刷シートについて実行する段階と、
段階Ｃ３：上記推測により得られた発電特性と、当該推測に用いられた測定用印刷シートのサンプル網点面積率の組み合わせと、の対応関係を示す相関情報を作成する段階と、
によって作成するようにしたものである。
【００６０】
(49)  本発明の第４９の態様は、上述した第４６〜第４８の態様に係る相関情報作成方法において、
段階Ａ２，Ｂ２もしくはＣ２における発電特性の実測時に、測定用印刷シートもしくは測定用全色印刷シートと太陽電池の受光面との間に、所定の拡散シートを介挿させるようにしたものである。
【００６１】
(50)  本発明の第５０の態様は、上述した第４６〜第４８の態様に係る相関情報作成方法において、
段階Ａ２，Ｂ２もしくはＣ２における発電特性の実測時に、測定用印刷シートもしくは測定用全色印刷シートと太陽電池の受光面との間に、所定の拡散シートを介挿させた場合に生じる損失を推測し、実測により得られた発電特性に対して、推測された損失に基づく補正を施すようにしたものである。
【００６２】
(51)  本発明の第５１の態様は、上述した第４６〜第５０の態様に係る相関情報作成方法において、
段階Ａ２，Ｂ２もしくはＣ２における発電特性の実測処理に代えて、ＣＭＹＫの各色インキ層の透過スペクトルおよび太陽電池の吸収スペクトルのデータを用いたシミュレーションを実行することにより、太陽電池の発電特性を推測する処理を行い、
段階Ａ３，Ｂ３もしくはＣ３において、上記シミュレーションにより推測された発電特性と、当該推測に用いられた測定用印刷シートもしくは測定用全色印刷シートのサンプル網点面積率の組み合わせと、の対応関係を示す相関情報を作成するようにしたものである。
【００６３】
(52)  本発明の第５２の態様は、太陽電池の受光面に配置する印刷画像を作成する太陽電池受光面用の印刷画像作成方法において、
コンピュータが、原画像を形成するためのデジタルデータを原画像データとして入力する原画像入力段階と、
コンピュータが、原画像データに対して所定の変換処理を施し、インキ層からなる印刷画像を形成するのに適した変換画像データを得る画像変換段階と、
印刷機が、変換画像データに基づいて、太陽電池の受光面もしくは太陽電池の受光面に配置するための透光性シートの表面に、インキ層からなる印刷画像を形成するプリント段階と、
を行い、
画像変換段階において、コンピュータが、変換画像データを印刷機に与えた場合に形成される印刷画像の光の透過特性に基づいて、受光面に当該印刷画像が配置された太陽電池の発電特性を予測し、予測した発電特性が太陽電池に関する所定の設計条件を満たすように、原画像データもしくは変換画像データまたはこれらに対して修正を加えた画像データに対して必要な修正処理を施すようにしたものである。
【００６４】
(53)  本発明の第５３の態様は、太陽電池の受光面に配置する印刷画像の適否を判定する太陽電池受光面用の印刷画像の適否判定装置において、
原画像を形成するためのデジタルデータを原画像データとして入力する原画像入力部と、
太陽電池の発電特性に関する設計条件を格納する設計条件格納部と、
原画像データに基づく印刷によって形成されるインキ層の被覆面積と太陽電池の発電特性との関係を示す相関情報を格納した相関情報格納部と、
相関情報を用いることにより、原画像データに基づいて形成される印刷画像を受光面に配置したときの太陽電池の発電特性を予測し、予測した発電特性が設計条件を満たすか否かの条件判定を行う条件判定部と、
を設けるようにしたものである。
【発明の効果】
【００６５】
本発明に係る太陽電池受光面用の印刷画像作成装置では、用意された原画像データは、画像変換部によって、インキ層からなる印刷画像を形成するのに適した変換画像データに変換され、この変換画像データに基づいて透光性シートの表面に印刷画像が形成される。しかも、画像変換部は、変換画像データによって形成される印刷画像の光の透過特性に基づいて、受光面に当該印刷画像が配置された太陽電池の発電特性を予測する機能を有し、予測した発電特性が太陽電池に関する所定の設計条件を満たすように必要な修正処理を施す機能を有している。
【００６６】
このため、たとえば、デザイナーが太陽電池の技術的な性能を全く考慮せずに作成した原画像に基づいて透光性シート上にインキ層からなる印刷画像を形成し、これを太陽電池の受光面に配置したとしても、実際に形成される印刷画像は、画像変換部の予測機能および修正処理機能により、所定の設計条件を満たす画像であることが保証されることになる。すなわち、原画像をそのまま利用して印刷画像を形成した場合に、太陽電池が所定の設計条件を満たすと予想される場合には、画像変換部による修正は不要であるが、設計条件が満たされないと予想される場合には、画像変換部によって、設計条件が満たされるような修正が施されることになる。
【００６７】
したがって、本発明によれば、様々な製品に太陽電池を組み込んで発電機能をもたせ、その受光面に画像を配置して意匠性を向上させる際に、与えられた任意の原画像に基づいて、当該太陽電池に必要とされる性能の維持が可能な印刷画像を作成することができる。
【図面の簡単な説明】
【００６８】
【図１】印刷シート１０，拡散シート２０，太陽電池３０の３層によって構成される表示パネルＰを示す分解斜視図である。
【図２】図１に示す構成に、更に、電気回路４０および電気機器５０を付加した製品の構成を示すブロック図である。
【図３】図１に示す表示パネルＰをスタンド７０に収容する形態を示す斜視図である。
【図４】図３に示すスタンド７０およびその変形例を示す横断面図である。
【図５】一般的な室内照明光の発光スペクトルの一例を示すグラフである。
【図６】一般的な印刷用インキの反射スペクトルの一例を示すグラフである。
【図７】太陽電池まで到達する透過光スペクトルの一例を示すグラフである。
【図８】太陽電池の吸収スペクトルの一例を示すグラフである。
【図９】太陽電池の種別ごとの吸収スペクトルのバリエーションを示すグラフである。
【図１０】本発明の基本的な実施形態に係る太陽電池受光面用の印刷画像作成装置の構成を示すブロック図である。
【図１１】図１０に示す相関情報格納部２５０に格納される相関情報を作成するために用いる測定用印刷シートのバリエーションを示す平面図である。
【図１２】図１１に示す測定用印刷シートを利用して相関情報を作成するための測定の原理を示す斜視図である。
【図１３】図１２に示す測定に基づいて相関情報を構成する最適電流値Ｉを決定する方法を示すグラフである。
【図１４】一般的な太陽電池のセル構成を示す平面図である。
【図１５】一般的な太陽電池のセル構成およびこの太陽電池からの電力供給形態を示すブロック図である。
【図１６】複数のセルを有する太陽電池についてのセルごとの遮光特性を示す第１のグラフである。
【図１７】複数のセルを有する太陽電池についてのセルごとの遮光特性を示す第２のグラフである。
【図１８】複数のセルを有する太陽電池についてのセルごとの遮光特性を示す第３のグラフである。
【図１９】図１０に示すデータ修正部２１０における印刷要素の移動に基づく修正形態を示すための原画像Ａおよびその修正画像Ａ′の平面図である。
【図２０】図１０に示すデータ修正部２１０における文字列の縦書き／横書きの仕様変更に基づく修正形態を示すための原画像Ａおよびその修正画像Ａ′の平面図である。
【図２１】図１０に示すデータ修正部２１０における網点間引処理に基づく修正形態の一例を示す平面図である。
【図２２】透過光の照射領域の分散によって生じる特異な現象を示す平面図である。
【図２３】網点の解像度を低下させることにより、太陽電池の発電効率を向上させる修正形態を示す平面図である。
【図２４】網点を不均一化することにより、太陽電池の発電効率を向上させる修正形態を示す平面図である。
【図２５】図１０に示すデータ修正部２１０における網点分布の不均一化処理に基づく修正形態を示す平面図である。
【図２６】図１０に示すデータ修正部２１０における色調変更処理に基づく修正形態を示す平面図である。
【図２７】一般的なＧＣＲ処理の原理を示すグラフである。
【図２８】図１０に示すデータ修正部２１０におけるＧＣＲ処理に基づく修正と太陽電池の発電効率との関係を示す表である。
【図２９】図１０に示すデータ修正部２１０におけるＧＣＲ処理／逆ＧＣＲ処理に基づく修正切替の態様を示す図である。
【発明を実施するための形態】
【００６９】
以下、本発明を図示する実施形態に基づいて説明する。
【００７０】
＜＜＜  §１．  太陽電池を組み込んだ製品  ＞＞＞
本発明は、太陽電池の意匠性を向上させるためにその受光面に配置する印刷画像を作成する印刷画像作成装置に係るものであるが、ここでは説明の便宜上、印刷画像および太陽電池を組み込んだ具体的な製品の構造を、その例を示しながら簡単に説明しておく。
【００７１】
図１は、印刷シート１０，拡散シート２０，太陽電池３０の３層によって構成される表示パネルＰを示す分解斜視図である。ここでは、説明の便宜上、この表示パネルＰの各構成要素について、図の左側に位置する面を前面、図の右側に位置する面を背面と呼ぶことにする。図示の例の場合、太陽電池３０は、平板状のセル３１〜３６を並べることによって構成されており、個々のセル３１〜３６がそれぞれ独立した発電機能を有している。各セル３１〜３６の前面が受光面になる。
【００７２】
前述したとおり、太陽電池の受光面は光を吸収しやすい濃厚色にせざるを得ないという事情があり、各セル３１〜３６の前面は暗い色をしており意匠性に乏しい。印刷シート１０および拡散シート２０は、意匠性を改善するために付加された構成要素である。
【００７３】
印刷シート１０は、たとえば、ポリエステル系樹脂、ポリカーボネート系樹脂、ポリオレフィン系樹脂などの樹脂からなる透光性シートの表面に、インキ層からなる印刷画像１１を形成したものである。図示の例の場合、印刷画像１１は、「PATENT」なる文字列１１ａ，キャラクター絵柄１１ｂ，星印１１ｃという３つの印刷要素によって構成されている。本発明に係る印刷画像作成装置は、この印刷画像１１を作成するための装置である。
【００７４】
拡散シート２０は、印刷シート１０を透過してきた照明光を拡散する役割を果たすシートであり、観察者に対して、太陽電池３０の受光面を白っぽく見せる効果を奏する。拡散シート２０は必須の構成要素ではないが、印刷画像１１の背景を白っぽくして意匠性を向上させるためには、印刷シート１０と太陽電池３０との間に設けるようにするのが好ましい。拡散シート２０としては、やはり、ポリエステル系樹脂、ポリカーボネート系樹脂、ポリオレフィン系樹脂などの透光性フィルムの表面に凹凸構造を形成したものを用いることができる。
【００７５】
一方、太陽電池３０についても、様々なタイプのものを利用することができる。現在、実用的に利用されている太陽電池としては、無機系材料として、結晶シリコン、アモルファスシリコン（ａ−Ｓｉ），化合物半導体（ＣＩＧＳ，ＣｄＳ）などを用いたものが知られており、有機系材料として、色素増感（ＤＣＳ），有機薄膜（ＯＰＶ），ペロブスカイトなどを用いたものが知られている。本発明は、いずれのタイプの太陽電池に対しても適用可能である。もっとも、本発明は、屋内設置型や携帯型の製品に組み込まれる太陽電池への利用に特に適しており、このような用途に利用される太陽電池には、軽量かつフレキシブルという特性を生かしたアモルファスシリコン（ａ−Ｓｉ），色素増感（ＤＣＳ），有機薄膜（ＯＰＶ），ペロブスカイトなどが主に利用されている。
【００７６】
図２は、図１に示す表示パネルＰに、更に、電気回路４０および電気機器５０を付加した製品の構成を示すブロック図である。図１に示す表示パネルＰは、印刷シート１０，拡散シート２０，太陽電池３０の３層構造体によって構成され、何らかの表示媒体として機能する物品である。すなわち、この表示パネルＰは、ユーザ（観察者）に対して、印刷シート１０に形成された印刷画像１１を提示する役割を果たす。
【００７７】
ここに示す例の場合、印刷画像１１（インキ層）は、印刷シート１０の背面（図の右側面）に形成されており、拡散シート２０の前面に接触している。また、拡散シート２０の光拡散用の凹凸構造は、その前面（図の左側面）に形成されている。これは、一般的に、このような構成を採ると、印刷画像１１が最も見やすく、美観をもって観察されるためである。すなわち、印刷画像１１は、できるだけ拡散シート２０の表面近くに配置すると見やすくなるので、印刷シート１０の背面に形成するのが好ましい。なお、実用上は、拡散シート２０の背面（図の右側面）にも空気層形成用の凹凸構造（光拡散用の凹凸構造に比べて小さな凹凸でよい）を形成し、拡散シート２０の両面が凹凸構造を有するようにするのが好ましい。これは、拡散シート２０と太陽電池３０との間に空気層を形成すると、印刷画像１１がより見やすくなるためである。
【００７８】
一方、太陽電池３０は、印刷シート１０および拡散シート２０を透過した外部からの光を受けて発電する機能を有している。もっとも、実用上は、太陽電池３０に発生した電荷を外部に取り出して利用するために、電気回路４０が必要になる。この電気回路４０は、太陽電池３０による発生電荷を一時的に蓄積するための蓄電素子を有し、外部に対して電力を安定供給する役割を果たす。この太陽電池用の電気回路４０は、種々のものが公知であるため、ここでは詳しい説明は省略するが、実用上、太陽電池３０と電気回路４０との協働動作により発電が行われることになる。
【００７９】
図２に示す製品には、更に、この電気回路４０からの電力供給を受けて動作する電気機器５０が備わっている。電気機器５０としては、たとえば、電子時計や電子カレンダーなどの表示機器、電子オルゴールなどの発音機器、ビーコンなどの電波発生機器、その他、様々な機器を用いることができる。結局、図２に示す製品は、外部電源なしで電気的な動作を行う何らかの装置ということになる。なお、電気回路４０内の蓄電素子として、リチウムイオン電池などの比較的蓄電容量の大きな素子を用いた場合は、暗い環境下でも蓄電された電力で電気機器５０を動作させることが可能であるが、蓄電容量の小さな素子を用いた場合は、蓄電素子と外部出力端子との間にスイッチを設けて蓄積された電荷の自己放電を抑制するようにするのが好ましい。具体的には、充電時には当該スイッチをＯＦＦ状態にし、電気機器５０に対する給電時には当該スイッチをＯＮにする切替動作を行えばよい。
【００８０】
必要に応じて、電圧センサや照度センサなどを併用し、スイッチのＯＮ／ＯＦＦ制御に利用することもできる。たとえば、供給電圧や周囲照度が基準レベル以下になった場合には給電スイッチを自動的にＯＦＦするようにしておけば、供給電圧や周囲照度が基準レベルに復帰したときに、給電スイッチを直ちにＯＮにして給電を続行することができるようになる。また、電気回路４０内に２種類の蓄電素子を用意して並列接続し、それぞれについて別個のスイッチを設けてもよい。たとえば、太陽電池３０からの発電電力を蓄電する目的の第１の蓄電素子（大容量の蓄積に適した蓄電池など）と、電気機器５０に電力を安定供給する目的の第２の蓄電素子（小容量であっても、一時的な瞬発力を発揮できるようなキャパシタなど）を設け、太陽電池３０と第１の蓄電素子との間に第１のスイッチを介在させ、第２の蓄電素子と電気機器５０との間に第２のスイッチを介在させるようにする。そして、第１のスイッチは、太陽電池３０の発電電圧が低下したときにはＯＦＦにする制御を行い、第２のスイッチは、電気機器５０に対する給電が必要なときにだけＯＮにする制御を行うようにすれば、周囲照度が低下したときに生じる自己放電を防止するとともに、電気機器５０の負荷抵抗を介した自己放電を抑制することができるようになる。
【００８１】
ここで、当該装置の本来の機能を果たす動作は電気機器５０の部分によって実行されることになるが、表示パネルＰおよび電気回路４０の部分が「表示媒体＋電源」の機能を果たすことになる。すなわち、ユーザに対しては、表示パネルＰの印刷画像１１によって何らかの情報提示が行われ、太陽電池３０および電気回路４０によって、電気機器５０を動作させるために必要な電源機能が確保されることになる。
【００８２】
もちろん、この装置は、暗い室内に置かれた場合、太陽電池３０による発電が行われないため動作できないが、「人間が明るい環境で使用する装置」という前提であれば、特に支障は生じない。逆言すれば、通常、人間が使用しない暗い環境では給電が停止するため、自動的なスイッチ機能（夜間は自動停止するタイマー機能）を備えた装置としてのメリットが得られることになる。
【００８３】
図３は、表示パネルＰをスタンド７０に収容する形態を示す斜視図である。スタンド７０は、図示のとおり、平板状の台座部７１とその上面に設けられた支持体７２によって構成される。支持体７２は、表示パネルＰをその周囲四方から支持する構造体であり、上面には上面開口部７３が、前面には前面開口部７４が、それぞれ設けられている。
【００８４】
表示パネルＰは、印刷シート１０，拡散シート２０，太陽電池３０の３層構造体であり、図示のとおり、３層を積層状態にして上面開口部７３から挿入することにより支持体７２内部に収容することができる。しかも、収容した状態で、表示パネルＰの前面は前面開口部７４から露出した状態になるため、ユーザは印刷シート１０の背面に形成された印刷画像１１を観察することができる。また、前面開口部７４から取り込まれた外光の一部は、印刷シート１０および拡散シート２０を透過して太陽電池３０まで到達し、発電に寄与することができる。
【００８５】
図４は、図３に示すスタンド７０およびその変形例を示す横断面図である。図４(a) は、図３に示すスタンド７０の支持体７２に表示パネルＰを収容した状態を示す横断面図であり、前面開口部７４が上方となる向きに描かれている。図示のとおり、支持体７２は、背面側壁部７２Ｂ、左面側壁部７２Ｌ、右面側壁部７２Ｒを有しており、内部に印刷シート１０，拡散シート２０，太陽電池３０の３層構造体からなる表示パネルＰが収容されている。なお、太陽電池３０の内部断面は、実際には、より複雑な構造をしているが、ここでは説明の便宜上、詳細な内部構造の図示は省略してある。ユーザは前面開口部７４から、印刷シート１０の背面（図の下側面）に形成された印刷画像１１を観察することができる。外光は、前面開口部７４から支持体７２の内部へと侵入し、印刷シート１０および拡散シート２０を透過して太陽電池３０に吸収される。
【００８６】
図４(b) は、図４(a) に示すスタンド７０に対して、若干の変形を施したスタンド７０′に表示パネルＰを収容した状態を示す横断面図である。スタンド７０′の支持体７２′が、背面側壁部７２Ｂ′、左面側壁部７２Ｌ′、右面側壁部７２Ｒ′を有している点は、図４(a) に示すスタンド７０と同様であるが、支持体７２′の左面側壁部７２Ｌ′の内面には、内側に向かって突き出した区切用突起部７２Ｐ１が設けられ、支持体７２′の右面側壁部７２Ｒ′の内面には、内側に向かって突き出した区切用突起部７２Ｐ２が設けられている。この区切用突起部７２Ｐ１，７２Ｐ２は、拡散シート２０の背面（図の下側面）と太陽電池３０の前面（図の上側面）との間に空隙部Ｖを確保するための区切りとして機能する。
【００８７】
図４(a) に示す支持体７２が、印刷シート１０，拡散シート２０，太陽電池３０の３層を相互に密着状態で支持するのに対して、図４(b) に示す支持体７２′は、印刷シート１０と拡散シート２０とを密着状態で支持するものの、太陽電池３０については、空隙部Ｖを挟んで若干後ろの位置に支持することになる。ユーザが前面開口部７４を通して印刷画像１１を観察する場合、図４(a) に示すように、拡散シート２０と太陽電池３０とが密着していると背景がやや黒っぽく観察されるが、図４(b) に示すように、拡散シート２０と太陽電池３０との間に空隙部Ｖが介在していると背景がより白っぽく観察されるようになり、意匠性を向上させることができる。
【００８８】
図４(a) ，(b) のいずれの構造を採用した場合でも、表示パネルＰを構成する印刷シート１０，拡散シート２０，太陽電池３０は、上面開口部７３を通して、スタンド７０から独立して抜き差しすることができるため、必要に応じて容易に交換することができる。
【００８９】
図４(c) は、図４(b) に示すスタンド７０′の背面に、更に、電気回路４０およびビーコン５１（いずれもブロック図で示す）を付加した製品を示す図である。図には示されていないが、太陽電池３０と電気回路４０との間には必要な配線が施されており、また、電気回路４０とビーコン５１との間にも必要な配線が施されている。この図４(c) に示す製品は、図２に示す製品における電気機器５０としてビーコン５１を用いた例であり、ビーコン装置としての機能を果たすことになる。ただ、電気回路４０およびビーコン５１は、実際には、背面側壁部７２Ｂ′に埋め込まれた部品によって構成することができ、ユーザから見た外観は、表示パネルＰを収容したスタンド７０′として把握される。
【００９０】
ビーコン５１は、ユーザが所持する携帯型電子機器（たとえば、スマートフォンなど）に対して電波による近距離通信を行うことができ、インターネットを通じて様々な情報を伝達することができる。もちろん、ビーコン５１に無線ＬＡＮ機能を付加すれば、インターネットから取得した情報を電波として発信する無線通信モジュールを実現できる。一般に、ビーコン装置は、ユーザの目に触れない場所に設置されることが多いが、図４(c) に示すビーコン装置は、スタンド型の表示媒体として、ユーザの目に積極的に触れる場所に置くことができる。
【００９１】
印刷画像１１としては、任意の画像を利用することができるので、たとえば、「ビーコンです。スマホを受信モードにして下さい。」のようなメッセージを含む印刷画像１１を用いることにすれば、ユーザにスタンド７０′がビーコン装置である旨を積極的に報知することができ、ビーコン５１が発する情報をユーザに積極的に受信させる効果が得られる。ビーコン５１の動作に必要な電力は太陽電池３０から供給されるため、外部からの電源供給は不要になり、自己給電型の機器として機能することができる。もちろん、真夜中の消灯状態の室内など、外光が全く得られない環境では、必要な電力供給を行うことはできないが、そのような環境下でユーザがビーコン信号を受信する操作を行うケースは極めて少ないと考えられるので、実用上、何ら支障は生じない。
【００９２】
このように、図４(c) に示す装置は、図１に示す表示パネルＰと、この表示パネルＰを立てた状態で収容して保持するスタンド７０′と、このスタンド７０′に取り付けられ、表示パネルＰの太陽電池３０が発生した電力を外部に供給する電気回路４０と、この電気回路４０から供給された電力によって動作する電気機器５０と、を有する電力自給機能をもった電気機器装置ということになる。特に、図示の例は、電気機器５０として、所定の情報を電波として送信する機能をもったビーコン５１を組み込んだ例であり、電力自給機能をもったビーコン装置として機能する。もちろん、電気機器５０としては、情報を送信する機能をもったビーコンだけでなく、所定の情報を電波として送信もしくは受信する機能をもった様々な通信モジュールを用いることが可能である。
【００９３】
しかも、外観は、図３に示す例のように、スタンド式の表示媒体の形態をとっており、太陽電池３０の受光面の面積を比較的大きく設定しても、広い表示面を有する表示媒体として把握されるために違和感はない。また、印刷シート１０を設けることにより意匠性にも優れた物品になる。そして、本来のビーコン装置としての動作に必要な電力は、太陽電池３０によって賄われるため、電池交換も不要になる。
【００９４】
現在、一般に利用されているビーコン装置は、位置情報の発信機能のみをもつものが多いが、今後は、無線信号の受信、蓄積、中継機能などの付加機能を備えたビーコン装置も普及してゆくものと予想される。このような付加機能を備えたビーコン装置では、消費電力も増加することになるが、図３に示すようなスタンド式の表示媒体の形態を採用すれば、必要に応じて、表示パネルＰの部分の面積を広くして発電量を増加させる対応が可能である。
【００９５】
もちろん、このような表示媒体の形態をとったビーコン装置では、表示内容（印刷画像１１によって提示される内容）に関連づけた情報を無線送信することも可能になる。また、表示パネルＰの部分の面積を広くすれば、装置全体を違和感なく大型化することができるので、種々のセンサを組み込んで、センサが検知した情報を無線送信することも容易にできる。
【００９６】
なお、図３，図４には、表示パネルＰをスタンド７０，７０′に収容して利用する形態を示したが、もちろん、スタンド７０，７０′を用いずに表示パネルＰのみを単独で利用することも可能である。たとえば、図１に示す３層構造体からなる表示パネルＰを、各種案内板として用いることもできるし、トイレや非常口を示す標識として用いることも可能である。あるいは、レストランなどでメニューとして利用することもできるし、消火器台などに組み込むことも可能である。また、発電機能を有しているため、たとえば、各種リモコン用の操作パネルとして利用することも可能である。
【００９７】
要するに、図１に示す３層構造体は、太陽電池３０の受光面を、そのまま表示媒体の表示面（印刷画像１１を表示する面）として利用することができるので、発電機能をもった表示媒体として様々な用途への利用が期待できる。
【００９８】
なお、図１に示す３層構造体は、相互の位置関係が自由に変化しないように、何らかの手段で相互に固定された状態になるようにするのが好ましい。これは、印刷シート１０，拡散シート２０，太陽電池３０が相互に自由に動く構造にすると、印刷画像１１の見た目が変化してしまうためである。
【００９９】
たとえば、印刷シート１０と拡散シート２０との距離が、近づいたり離れたりして変化すると、ユーザによって観察される印刷画像１１は濃く見えたり薄く見えたりして変化してしまう。一方、拡散シート２０と太陽電池３０との距離が、近づいたり離れたりして変化すると、ユーザによって観察される印刷画像１１の背景の色が濃くなったり（黒っぽくなったり）薄くなったり（白っぽくなったり）して変化してしまう。また、印刷シート１０，拡散シート２０，太陽電池３０が相互に自由に動くと、太陽電池３０の発電効率にも変動が生じるため、安定した電力供給を行う上でも好ましくない。
【０１００】
図３に示すようなスタンド７０もしくは図４に示すスタンド７０′を用意し、そこに収容する表示パネルＰの外寸と、スタンド７０，７０′の内寸を適切に設定すれば、印刷シート１０，拡散シート２０，太陽電池３０を相互に固定することができる。この場合、太陽電池３０は、スタンド７０，７０′から取り外せないように固定するのが好ましい。これは、一般に、太陽電池３０はユーザの手に触れられないようにしておいた方が、故障の原因を誘発するリスクを低減できるためである。同様に、拡散シート２０もスタンド７０，７０′から取り外せないように固定するのが好ましい。これは、常に拡散シート２０によって太陽電池３０が隠された状態とし、ユーザに太陽電池３０の存在を気づかれないようにし、太陽電池３０がユーザに触れられるリスクを低減するための配慮である。
【０１０１】
したがって、図３に例示するようなスタンド７０を用いる実施例を製品化する場合、実用上は、拡散シート２０および太陽電池３０を、スタンド７０の内側に接着剤などを用いて固定するようにし、印刷シート１０のみを自由に交換できる形態にしておくのが好ましい。そうすれば、ユーザから見ると、拡散シート２０および太陽電池３０は、スタンド７０と一体化した構造物と認識され、スタンド７０に印刷シート１０を差し込んだ製品として認識されることになり、写真立てなどの一般的な製品と同種のものとして違和感なしに受け入れられる。
【０１０２】
製品によっては、逆に、印刷シート１０をスタンド７０の内側に接着剤などを用いて固定するようにし、拡散シート２０と太陽電池３０を自由に交換できる形態にしておくことも可能である。この場合、拡散シート２０と太陽電池３０は、両者が一体となるようにパッケージ化しておくのが好ましい。印刷シート１０をスタンド７０に固定しておく形態を採ると、スタンド７０の枠の部分（前面開口部７４の周囲部分）の形状、色、模様などのデザインを、印刷シート１０上の印刷画像１１に合わせて設計することができるので、印刷画像１１およびスタンド７０についてデザイン的な整合性・一体感を確保することが可能になる。
【０１０３】
もちろん、印刷シート１０と拡散シート２０との双方をスタンド７０の内側に接着剤などを用いて固定するようにし、太陽電池３０のみを交換できる形態にしても、印刷画像１１およびスタンド７０についてデザイン的な整合性・一体感を確保することが可能である。
【０１０４】
以上、印刷シート１０，拡散シート２０，太陽電池３０の３層からなる表示パネルＰを、スタンド７０によって支持する実施例を述べたが、表示パネルＰを製品化する場合、必ずしもスタンド７０を用いる構成を採る必要はない。ただ、スタンド７０を用いない場合は、３層構造体がバラバラにならないように、何らかの方法で相互に固定されるようにするのが好ましい。
【０１０５】
最も単純な固定方法は、印刷シート１０と拡散シート２０との間や、拡散シート２０と太陽電池３０との間に接着剤を充填し、３層を相互に貼り合わせる方法である。もちろん、必要があれば、電気回路４０や電気機器５０（ビーコン５１など）も一緒に接着するようにしてもよい。ただ、印刷シート１０と拡散シート２０との間に接着剤層が介在することになると、印刷画像１１に対して背景となる面（拡散シート２０の前面）が離れ、画像の輪郭部分の鮮明さが失われることになる。また、拡散シート２０の凹凸構造に接着剤が充填されてしまうと、光の拡散機能が損なわれる弊害もある。
【０１０６】
そこで、実用上は、３層からなる表示パネルＰ全体を何らかの方法でパッケージ化するのが好ましい。たとえば、透明のプラスチックシートや透明プラスチック層などで外面をそっくり覆うような加工を施すことができる。具体的には、全体をパッケージフィルムで覆う、パッケージ用の袋に入れる、シュリンクフィルムで覆う、液状材料で被覆したのちに固化する、などを加工方法を採ることができる。
【０１０７】
別法として、３層からなる表示パネルＰの前後に透明板を配置し、これら透明板を何らかの方法で相互に固定する方法を採ることもできる。具体的には、前面透明板／印刷シート１０／拡散シート２０／太陽電池３０／背面透明板という順序で５層構造体を重ね、前面透明板と背面透明板との間を、たとえばボルトで固定する方法を採ることができる。あるいは、蓋付きの透明なケースに３層からなる表示パネルＰを収容することもできる。表示パネルＰを収容して蓋を閉じた状態において、表示パネルＰの外寸とケースの内寸とがほぼ同じになるように設計しておけば、３層からなる表示パネルＰをケース内に固定状態で支持することができる。
【０１０８】
なお、いずれの方法を採る場合も、表示パネルＰの前面，背面，側面を含めた全外周面が被覆されるようにするのが好ましい。外周面全体をそっくり被覆するようにすれば、剥がれにくく、ユーザの手が太陽電池３０に直接触れることを防ぐことができ、太陽電池３０が破損するのを防止する役割も果たすことができる。また、印刷シート１０の前面（表示面）は、できるだけ全面を一様に被覆するようにするのが好ましい。表示面を部分的に被覆したり、表示面にシュリンクフィルムなどの封部があったりすると、印刷画像１１の見た目が悪くなるだけでなく、太陽電池３０の発電特性にも影響を与えることになり好ましくない。
【０１０９】
したがって、シュリンクフィルムなどで全体を被覆する場合は、封部を前面（表示面）ではなく、側面や背面（太陽電池３０側）に設けるようにするのが好ましい。同様に、表示パネルＰを蓋付きの透明なケースに収容する構成を採る場合は、蓋の部分を前面（表示面）ではなく、側面や背面（太陽電池３０側）に設けるようにするのが好ましい。また、前面透明板と背面透明板とで挟んで固定する場合は、これら２枚の透明板の平面的な大きさを、印刷シート１０，拡散シート２０，太陽電池３０よりもひと回り大きく設計するのが好ましい。
【０１１０】
以上、図１に例示するように、印刷画像１１が形成された印刷シート１０と、この印刷シート１０の背面に配置された拡散シート２０と、この拡散シート２０の背面に配置された太陽電池３０と、を有する発電機能をもった表示パネルを製品化する際の工夫を種々述べたが、表示パネルは、必ずしもこのような３層構造体によって構成する必要はない。
【０１１１】
たとえば、印刷画像１１を拡散シート２０の前面もしくは背面に形成するようにすれば、印刷シート１０を省略することができる。印刷シート１０を省略した実施例では、表示パネルは、印刷画像１１が形成された拡散シート２０と、この拡散シート２０の背面に配置された太陽電池３０と、の２層構造体によって構成されることになる。この場合、本発明に係る印刷画像作成装置は、拡散シート２０の表面に形成される印刷画像を作成する役割を果たす。
【０１１２】
更に単純化する場合は、印刷画像１１を太陽電池３０の前面（受光面）に直接形成するようにすれば、印刷シート１０だけでなく拡散シート２０も省略することができる。この場合、表示パネルは、印刷画像１１が受光面に形成された太陽電池３０のみの１層構造体によって構成されることになり、本発明に係る印刷画像作成装置は、太陽電池３０の受光面に形成される印刷画像を作成する役割を果たす。
【０１１３】
もちろん、拡散シート２０を省略して、印刷シート１０と太陽電池３０とによる２層構造体を構成することも可能である。この場合、印刷シート１０を接着剤によって太陽電池３０の前面に接着するようにすれば、接着剤層が拡散シート２０と同様の拡散機能を果たすことができる。
【０１１４】
また、背景の白さをより際立たせるために、拡散シート２０に、蛍光増白剤や青系色素（染料や顔料）を添加してもよい。一般に、紫外〜青色の波長域成分は、太陽電池における発電への寄与が低いため、蛍光増白剤や青系色素を添加しても、発電効率を低下させる問題は生じない。もちろん、背景の白さをより際立たせるためには、複数枚の拡散シート２０を積層する構造を採用したり、拡散シート２０の内部に拡散剤を添加したり、拡散シート２０の表裏両面に凹凸構造を設けたりすることも可能である。なお、拡散シート２０の表裏両面に凹凸構造を設け、かつ、その一方の面に印刷画像１１を印刷する際には、インキ層によって凹凸構造が埋められてしまうため、凹凸が小さい面側に印刷するのが好ましい。
【０１１５】
＜＜＜  §２．  太陽電池を組み込んだ製品の発電効率  ＞＞＞
§１では、図２に示すように、表示パネルＰに電気回路４０や電気機器５０を付加した製品の例をいくつか紹介した。ここでは、このような製品における太陽電池の発電効率について述べておく。
【０１１６】
図１に示す表示パネルＰの場合、外光が太陽電池３０の受光面（図の左側面）にまで到達して発電に寄与するためには、印刷シート１０および拡散シート２０を透過する必要がある。その過程で大きな障害となるのが、印刷画像１１である。印刷画像１１は、インキ層から構成されており、太陽電池３０まで進行する外光を遮蔽する役割を果たす。一般的なカラー画像の場合、印刷画像１１は、ＣＭＹＫなる各色のインキ層から構成されており、これらのインキ層はいずれも太陽電池３０への外光の進行を阻害する働きをする。
【０１１７】
もっとも、インキ層が形成されている領域は、外光を完全に遮蔽するわけではなく、外光の一部はインキ層によって反射し、一部はインキ層によって吸収され、残りの一部がインキ層を透過することになる。なお、実際には、印刷シート１０や拡散シート２０による反射や吸収も生じることになる。したがって、図１に示す表示パネルＰの場合、印刷シート１０の前面（図の左側の面）に照射された外光の一部は、印刷シート１０、印刷画像１１（インキ層）、拡散シート２０の各界面で反射してしまい、発電には寄与しない。また、太陽電池３０に向かって各シートの内部へと進行した光も、その一部は、インキ層を含む印刷シート１０および拡散シート２０の材料によって吸収されてしまい、発電には寄与しない。結局、太陽電池３０の受光面に到達する光は、上記反射や吸収の影響を受けずに残った光ということになる。
【０１１８】
ただ、このような光の進行プロセスにおいて、太陽電池３０の受光面への到達を阻む最も大きな阻害要因は、印刷画像１１を構成するインキ層である。実用上、印刷シート１０の元になるシート（印刷画像１１を形成する前のシート）や拡散シート２０には、できるだけ透明度の高い透光性シートが用いられる。したがって、これら透光性シートによる反射や吸収による光のロスはインキ層によるロスに比べれば小さい。これに対して、インキ層は、表面での光の反射率や内部に透過した光の吸収率が、透明性シートに比べて格段に高くなり、発電に寄与する光に大きなロスを生じさせる。
【０１１９】
このように、太陽電池３０の受光面にインキ層からなる印刷画像１１を配置すれば、製品としての意匠性を高める効果は得られるが、太陽電池の発電効率を低下させる要因になってしまう。このように、発電効率と意匠性はトレードオフの関係にあり、実用上は、個々の製品ごとに、発電効率と意匠性とのバランスをうまくとった設計が必要になる。本発明は、このような点に着目し、デザイナーが作成した原画像に基づいて、必要に応じて修正を加えることにより、個々の製品に組み込まれた太陽電池に必要とされる性能の維持が可能な印刷画像を作成する装置を提供するものである。
【０１２０】
より具体的には、本発明に係る印刷画像作成装置は、原画像をそのまま印刷することにより形成される印刷画像１１（インキ層）を太陽電池３０の受光面に配置した場合に、太陽電池３０の発電特性がどうなるかを、当該印刷画像１１の光の透過特性に基づいて予測し、予測した発電特性が太陽電池３０に関する所定の設計条件を満たすように、原画像に対して必要な修正処理を施す機能を有している。
【０１２１】
太陽電池３０の発電特性を予測するには、太陽電池３０に到達する光の強度だけでなく、その波長（スペクトル）も考慮する必要がある。これは、太陽電池の発電効率が、受けた光の波長にも依存するためである。そこで、以下、図１に示す表示パネルＰについて、太陽電池３０の発電特性の予測を行う方法の基本原理を簡単に述べておく。
【０１２２】
まず、印刷シート３０の前面に照射される外光のスペクトルを定める。もちろん、製品としての個々の表示パネルＰが実際に置かれる照明環境は、千差万別である。たとえば、日中の屋外に置かれた場合は、外光は太陽光であるから、そのスペクトルは白色のブロードなものになる。また、日中の室内に置かれた場合は、外光は太陽光と室内照明光とを融合したものになり、夜間の室内に置かれた場合は、外光は室内照明光のみになる。ただ、本発明を実施する上では、個々の製品の典型的な利用形態を想定し、そのような利用形態における典型的な照明環境を考慮した設計条件を設定すれば十分である。
【０１２３】
たとえば、図３に示すようなスタンド型のビーコン装置であれば、事務室などの一般的な室内照明環境を想定した設計を行えばよい。図５は、一般的な室内照明光の発光スペクトルの一例として、ＬＥＤ照明の発光スペクトルの例を示すグラフである。ここでは、説明の便宜上、この図５に例示する発光スペクトルをもったＬＥＤ照明からの光が外光として、印刷シート１０の前面に照射された場合を考えてみよう。上述したとおり、実際には、発電に寄与する光に大きなロスを生じさせる要因は、印刷画像１１（インキ層）の存在にあるので、ここでは、インキ層によるロスのみを考えてみる。
【０１２４】
図６は、一般的な印刷用インキの反射スペクトルの一例を示すグラフである。図にＣＭＹＫと記されたグラフは、それぞれＣＭＹＫなる各色のインキ層の反射スペクトルである。各色のインキは、それぞれ各色を観察者に提示する役割を果たすので、それぞれ固有の色に対応する波長域の反射率が高くなっている。Ｋ色のインキは、黒を表現するインキであるため、ほぼ全波長域に渡って、反射率は０に近くなっている。したがって、図５に示すような発光スペクトルをもつ外光を印刷画像１１に照射した場合、まず、ＣＭＹＫなる各色のインキ層が形成されている領域ごとに、図６の各色のインキの反射率に応じた成分が反射してしまい、発電には寄与しなくなる。
【０１２５】
そして、反射せずに残った成分については、そのままインキ層の内部を進行することになるが、その一部はインキ層によって吸収されてしまう。ここでは、各インキの吸収スペクトルのグラフの提示は省略するが、一般に、インキの吸収スペクトルの形は、反射スペクトルを逆転した形状を有している。たとえば、Ｋ色のインキの吸収スペクトルは、ほぼ全波長域に渡って高い吸収率を示すグラフになる。こうして、インキ層による吸収を受けずに最後まで残った光成分が、太陽電池３０の受光面まで到達することになる。
【０１２６】
したがって、印刷画像１１を形成するＣＭＹＫ各色のインキ層の二次元的な分布（実用上は、各インキ層を構成する網点分布）が把握できれば、理論的には、太陽電池３０の受光面上の各位置にまで到達する透過光のスペクトルを求めることができる。たとえば、特定の位置に到達する透過光のスペクトルは、図５に示す外光の発光スペクトルから、当該特定の位置に形成されているインキ層についての反射スペクトルおよび吸収スペクトルを減じることにより得ることができる。
【０１２７】
ここでは、こうして得られた「太陽電池３０の受光面上の特定の位置にまで到達した透過光のスペクトル」が、図７のグラフのようなものになったとしよう。もちろん、この図７に示すグラフの形は、当該特定の位置に形成されているインキ層に応じて定まることになるので、印刷画像１１として図１に例示するような絵柄のカラー画像を用いた場合、太陽電池３０の受光面上の個々の位置について、それぞれ異なる形をもった透過光スペクトルが得られることになる。したがって、この図７に示す透過光スペクトルに基づいて太陽電池３０の発電効率を予測する場合、ある程度の面積をもった部分領域（たとえば、図１に示す例の場合、個々のセル３１〜３６ごとの部分領域）についての平均的な透過光スペクトルを算出すればよい。
【０１２８】
一方、太陽電池３０の発電効率にも、光の波長依存性があるため、太陽電池３０の発電効率を求めるためには、太陽電池の吸収スペクトルを考慮する必要がある。図８は、太陽電池の吸収スペクトルの一例を示すグラフである。図示のとおり、太陽電池の吸光度はその波長に依存しており、吸収された光が発電に寄与することになる。したがって、太陽電池３０の特定の部分領域についての発電効率は、当該部分領域に到達した光の平均的な透過光スペクトル（図７）と太陽電池の吸収スペクトル（図８）との積として与えられることになる。
【０１２９】
もちろん、太陽電池の吸収スペクトルは、当該太陽電池の材質によって大きく異なる。図９は、太陽電池の種別ごとの吸収スペクトルのバリエーションを示すグラフである。図９(a) は、色素増感太陽電池（ＤＳＣ）の吸収スペクトルの一例を示し、図９(b) は、アモルファスシリコン太陽電池（ａ−Ｓｉ）の吸収スペクトルの一例を示し、図９(c) は、結晶シリコン太陽電池（ｃ−Ｓｉ）の吸収スペクトルの一例を示す。このように、吸収スペクトルのグラフの形は、個々の太陽電池によって様々なので、特定の製品についての太陽電池の発電効率を予測するには、当該製品に組み込まれている太陽電池に固有の吸収スペクトルのグラフが必要になる。
【０１３０】
結局、図１に例示するような表示パネルＰを製品として設計する際には、当該製品にとって典型的な照明環境を想定して適切な外光スペクトル（図５）を定め、当該製品に用いられる印刷画像１１およびそれを形成するインキ層の反射および吸収スペクトル（図６）に基づいてロス成分を予測し、外光スペクトルからロス成分を除くことにより太陽電池３０まで到達する透過光スペクトル（図７）を求め、最後に、当該太陽電池３０に固有の吸収スペクトル（図８）と透過光スペクトル（図７）との積として、当該太陽電池３０の発電効率を算出することができる。
【０１３１】
本発明に係る印刷画像作成装置は、このような基本原理に基づいて、特定の画像を印刷して印刷画像１１として太陽電池３０の受光面に配置した場合の発電効率を予測し（実際に印刷を行う前に予測し）、予測結果が太陽電池３０に関する所定の設計条件（たとえば、ビーコン５１を動作させるために必要な電力を供給するための最低条件）を満たしていない場合には、実際に印刷を行う前に修正を施す処理を行う機能を有している。このような機能をもった印刷画像作成装置の構成について、以下、§３以降において詳述する。
【０１３２】
＜＜＜  §３．  本発明に係る印刷画像作成装置  ＞＞＞
ここでは、本発明に係る印刷画像作成装置の基本的な実施形態を説明する。図１０は、この基本的な実施形態に係る印刷画像作成装置の構成を示すブロック図である。この装置は、デザイナー等が作成した原画像Ａに基づいて、太陽電池３０の受光面に配置する印刷画像１１を作成する処理を行う装置であり、必要に応じて、原画像Ａに対して修正処理を施し、修正後の画像に基づいて印刷画像１１を作成する機能を有している。
【０１３３】
図１０に示すとおり、この印刷画像作成装置は、原画像入力部１００と、画像変換部２００と、プリント部３００とを備えている。原画像入力部１００は、原画像Ａを形成するためのデジタルデータを原画像データＤ（Ａ）として入力する構成要素である。たとえば、原画像Ａを作成するデザイナーが、パソコンに組み込まれた画像作成ソフトウェアを利用して、ディスプレイ画面上で原画像Ａを作成した場合、原画像入力部１００は、当該パソコンから出力されるデータファイルを原画像データＤ（Ａ）として取り込む処理を行う。図１に示す印刷画像１１は、この原画像Ａに基づいて印刷された画像ということになる。
【０１３４】
画像変換部２００は、原画像入力部１００によって入力された原画像データに対して所定の変換処理を施し、インキ層からなる印刷画像１１を形成するのに適した変換画像データＤ（Ｂ）を生成する処理を行う構成要素である。上例の場合、原画像データＤ（Ａ）は、画像作成ソフトウェアによって作成されたデータであり、通常、ディスプレイ画面に表示するのに適した形式のデータ（たとえば、ＲＧＢの三原色で表現された画素の集合体データ）によって構成されている。画像変換部２００は、このような原画像データＤ（Ａ）を、プリント部３００でインキ層を形成するのに適した形式の変換画像データＤ（Ｂ）（たとえば、ＣＭＹＫなる各色のインキ層の網点を示すデータ）に変換する処理を実行する。
【０１３５】
また、画像変換部２００は、変換画像データＤ（Ｂ）をプリント部３００に与えた場合に形成される印刷画像１１の光の透過特性に基づいて、受光面に当該印刷画像１１が配置された太陽電池３０の発電特性を予測する機能も有しており、更に、予測した発電特性が当該太陽電池３０に関する所定の設計条件を満たすように、原画像データＤ（Ａ）もしくは変換画像データＤ（Ｂ）、またはこれらに対して修正を加えた画像データに対して必要な修正処理を施す機能も有している。
【０１３６】
プリント部３００は、画像変換部２００から与えられる変換画像データＤ（Ｂ）に基づいて、太陽電池３０の受光面に配置するための透光性シート５の表面に、インキ層からなる印刷画像１１を形成する処理を行う。透光性シート５は、印刷シート１０の元になる材料シートであり、§１で述べたように、種々の樹脂からなる透明なシートや透明な基板によって構成されている。プリント部３００によって、透光性シート５の表面にインキ層からなる印刷画像１１が形成されたものが、印刷シート１０になる。図１に示すとおり、この印刷シート１０と拡散シート２０と太陽電池３０の３層構造体によって、表示パネルＰが構成されることになる。
【０１３７】
なお、§１で述べたとおり、印刷画像１１は、拡散シート２０の表面に形成することも可能である。この場合、プリント部３００は、透光性シート５の代わりに、拡散シート２０の表面にインキ層からなる印刷画像１１を形成することになり、表示パネルＰは、印刷画像１１が形成された拡散シート２０と太陽電池３０との２層構造によって構成することができる。また、印刷画像１１は、太陽電池の受光面に形成することも可能である。この場合、プリント部３００は、透光性シート５の代わりに、太陽電池３０の受光面に直接的にインキ層からなる印刷画像１１を形成することになり、表示パネルＰは、印刷画像１１が形成された太陽電池３０の１層構造によって構成することができる。もちろん、印刷シート１０に拡散層を形成してもよい。
【０１３８】
続いて、画像変換部２００のより詳細な構成を説明する。図示のとおり、画像変換部２００は、データ修正部２１０，データ変換部２２０，条件判定部２３０，設計条件格納部２４０，相関情報格納部２５０を有している。以下、これらの各構成要素の機能について説明する。
【０１３９】
まず、データ変換部２２０は、原画像入力部１００が入力した原画像データＤ（Ａ）を変換画像データＤ（Ｂ）に変換する役割を果たす構成要素である。表示パネルＰを商業製品として製造する場合、通常、原画像Ａは、デザイナーがパソコン用の画像作成ソフトウェアを利用して、ディスプレイ画面上で作成することになり、原画像データＤ（Ａ）は、当該ソフトウェアから出力されるデジタルデータになる。この原画像データＤ（Ａ）のデータフォーマットは、当該ソフトウェアに固有の専用フォーマットである場合もあるし、汎用の画像データ用フォーマットである場合もある。
【０１４０】
データ変換部２２０は、このような様々なフォーマットで記述されている原画像データＤ（Ａ）を、プリント部３００における印刷処理に適したフォーマットで記述されている変換画像データＤ（Ｂ）に変換する処理を行う。ここでは、説明の便宜上、原画像データＤ（Ａ）が、それぞれ所定の画素値が定義された画素の集合体からなるデジタルデータであり、プリント部３００が、与えられた変換画像データＤ（Ｂ）に基づいて、網点インキ層からなる印刷画像１１を形成する印刷機であるものとしよう。この場合、データ変換部２２０は、画素の集合体を示す原画像データＤ（Ａ）に基づいて、網点の集合体からなる網点画像を形成するための変換画像データＤ（Ｂ）を生成する変換処理を行うことになる。
【０１４１】
より具体的には、原画像Ａがカラー画像の場合、原画像入力部１００によって入力される原画像データＤ（Ａ）は、たとえば、ＲＧＢなる３原色についての各色別の画素値が定義された画素の集合体からなるデジタルデータになる。一方、プリント部３００は、通常、ＣＭＹＫなる４色のインキを用いて、印刷対象物の表面に網点インキ層を形成することにより印刷を行う。もちろん、プリント部３００としては、その他の特色インキを用いて印刷を行う印刷機を用いることもできるが、ここでは、プリント部３００が、ＣＭＹＫなる４色インキを用いて印刷を行う典型例を述べることにする。
【０１４２】
この場合、データ変換部２２０は、ＲＧＢなる３原色についての各色別の画素値が定義された画素の集合体を示す原画像データＤ（Ａ）に基づいて、ＣＭＹＫなる各色の網点の集合体からなる網点画像を形成するための変換画像データＤ（Ｂ）を生成する変換処理を行うことになる。実際には、ＲＧＢの３原色の画素値をＣＭＹＫの４色の画素値に変換することにより、ＣＭＹＫの各色についての各色別の画素値が定義された画素の集合体からなる中間画像データを作成した上で、更に、当該中間画像データを、それぞれ所定の大きさをもつ各色の網点の集合体を示す網点画像データに変換し、当該網点画像データを変換画像データＤ（Ｂ）として出力する処理が行われる。もちろん、原画像入力部１００が入力した原画像データＤ（Ａ）が、もともとＣＭＹＫの画素値データであった場合には、当該原画像データＤ（Ａ）を直接網点画像データに変換して、変換画像データＤ（Ｂ）とすればよい。
【０１４３】
プリント部３００は、こうして与えられた変換画像データＤ（Ｂ）に基づいて、透光性シート５の表面（上述したとおり、拡散シート２０の表面や太陽電池３０の受光面でもよい）に、ＣＭＹＫなる各色の網点インキ層からなる印刷画像１１を形成する。
【０１４４】
なお、ＲＧＢ形式の原画像データＤ（Ａ）を、ＣＭＹＫ形式の中間画像データに変換し、更に、ＣＭＹＫ形式の変換画像データＤ（Ｂ）に変換するための具体的な処理は、一般的な網点印刷の技術として古くから知られている処理であるため、ここでは具体的な処理内容についての説明は省略する。このように、上述したデータ変換部２２０による変換処理の内容自体は、公知の技術であるが、本発明に係る画像変換部２００の特徴は、更に、データ修正部２１０，条件判定部２３０，設計条件格納部２４０，相関情報格納部２５０が付加されている点にある。
【０１４５】
設計条件格納部２４０は、太陽電池の発電特性に関する設計条件を格納する構成要素である。図１０に示す例の場合、プリント部３００によって形成する予定の印刷画像１１の配置対象となる特定の太陽電池３０に関する設計条件が、設計条件格納部２４０内に予め設定されることになる。したがって、この印刷画像作成装置を利用するユーザ（たとえば、表示パネルＰの設計担当者）は、予め、製品化予定となっている表示パネルＰの用途等を考慮して、内蔵される太陽電池３０の発電特性に関する設計条件を定め、これを設計条件格納部２４０に設定する作業を行っておく必要がある。
【０１４６】
設計条件格納部２４０に設定する設計条件としては、たとえば「所定の照明環境下において供給可能な電力の下限値」のような具体的な数値を設定することができる。具体的には、表示パネルＰからの電力供給を受けて動作する予定の電気機器５０が必要とする消費電力の値が既知であれば、当該消費電力の値を設計条件として設定することができる。このように、設計条件格納部２４０には、印刷画像１１と太陽電池３０とを有する実際の製品に要求される発電特性に関する条件が、個々の製品ごとにそれぞれ個別に設定されることになる。
【０１４７】
一方、相関情報格納部２５０は、プリント部３００によって形成されるインキ層の被覆面積（絶対的な面積であってもよいし、被覆率や網点面積率のような相対的な面積であってもよい。）と太陽電池の発電特性との関係を示す相関情報を格納する構成要素である。ここに示す実施例の場合、プリント部３００は、ＣＭＹＫなる４色のインキを用いて、印刷対象物の表面にＣＭＹＫなる４色の網点インキ層を形成する機能を有している。したがって、相関情報格納部２５０に格納される相関情報は、ＣＭＹＫなる４色のインキ層の被覆面積と太陽電池の発電特性との関係を示す情報になる。
【０１４８】
もちろん、この相関情報の内容は、プリント部３００が用いるインキの特性や太陽電池３０の種別に依存するものになるので、相関情報格納部２５０に格納されている相関情報は、特定のプリント部３００（特定のインキ）と特定の太陽電池３０（特定の種別の太陽電池）との組み合わせについて意味のあるものになる。したがって、これらの組み合わせが複数種類存在する場合には、相関情報格納部２５０にも、複数種類の相関情報を用意しておく必要がある。また、図５に示すような特定の外光スペクトルおよびその照度を想定して発電特性を定義する必要がある。この相関情報の具体的な内容については、§４において詳述する。
【０１４９】
条件判定部２３０は、相関情報格納部２５０に格納されている相関情報を用いることにより、判定対象となる画像データに基づいて形成される印刷画像１１を受光面に配置したときの太陽電池の発電特性を、特定の条件で外光を照射した場合を想定して予測し、予測した発電特性が、設計条件格納部２４０に格納されている設計条件を満たすか否かの条件判定を行う構成要素である。
【０１５０】
上例の場合、変換画像データＤ（Ｂ）は、所定の大きさ（面積）をもつＣＭＹＫ各色の網点の集合体を示す網点画像データであり、ＣＭＹＫ各色のインキ層の被覆面積（網点面積率）を示すデータになっている。そこで、インキ層の被覆面積と太陽電池の発電特性との関係を示す相関情報を参照すれば、当該網点画像データに基づいて印刷された印刷画像を配置したときの太陽電池の発電特性を予測することができ、当該発電特性が、設計条件格納部２４０に格納されている設計条件を満たすか否かの条件判定を行うことができる。
【０１５１】
条件判定部２３０による判定の結果、設計条件を満たしている旨の肯定的な判定結果が得られた場合は、データ変換部２２０によって変換された変換画像データＤ（Ｂ）（原画像データＤ（Ａ）と実体的には同一内容のデータ）をそのままプリント部３００へ引き渡して、印刷画像１１を印刷させればよい。当該印刷画像１１を配置した場合でも、太陽電池３０の発電特性が設計条件を満たす旨の予測がなされているので、太陽電池３０は設計条件どおりの発電機能を発揮することができる。
【０１５２】
一方、条件判定部２３０による判定の結果、設計条件を満たさない旨の否定的な判定結果が得られた場合は、そのまま判定対象となる画像データに基づいて印刷を行うと、太陽電池３０は設計条件どおりの発電機能を発揮することができなくなる。データ修正部２１０は、このような場合に判定対象となる画像データに対する修正を行う構成要素である。すなわち、データ修正部２１０は、条件判定部２３０により否定的な判定結果が得られた場合に、肯定的な判定結果が得られるよう判定対象となる画像データに対して修正処理を施すことになる。
【０１５３】
なお、ここでいう「判定対象となる画像データ」とは、そのデータフォーマットの形式的な相違を問わず、実体的に同一内容のデータであれば、同一の「判定対象となる画像データ」と呼ばれるべきデータを意味している。たとえば、デザイナーが作成した原画像データＤ（Ａ）と、データ変換部２２０においてこれを変換することによって得られる変換画像データＤ（Ｂ）とは、前者がＲＧＢ形式のいわゆるラスターデータであるのに対して、後者はＣＭＹＫの網点画像データであり、データフォーマットは異なっているが、後者は前者に対して所定のアルゴリズムに基づく変換処理を施すことにより一義的に得られるデータであり、この場合の原画像データＤ（Ａ）と変換画像データＤ（Ｂ）とは、「判定対象となる画像データ」としては同一の画像データである。同様に、データ変換部２２０内で生成されるＣＭＹＫ形式のラスターデータからなる中間画像データも、データＤ（Ａ），Ｄ（Ｂ）と同一の画像データである。
【０１５４】
したがって、条件判定部２３０による判定処理には、原画像データＤ（Ａ）を用いてもよいし、変換画像データＤ（Ｂ）を用いてもよいし、データ変換部２２０の内部で生成される中間画像データを用いてもよい。いずれの場合も、「判定対象となる画像データ」としては同じものになる。ただ、相関情報を用いて太陽電池の発電特性を予測するためには、インキ層の被覆面積に関する情報を取得する必要があるため、実用上は、データ変換部２２０による変換後の変換画像データＤ（Ｂ）、すなわち、網点画像データを用いて判定処理を行うのが好ましい。この場合、変換画像データＤ（Ｂ）に対して得られた判定結果は、変換前の原画像データＤ（Ａ）や中間画像データについても適用されることになる。
【０１５５】
同様の理由により、データ修正部２１０による修正処理も、変換前の原画像データＤ（Ａ）に対して行ってもよいし、変換後の変換画像データＤ（Ｂ）に対して行ってもよいし、中間画像データに対して行ってもよい。上例の場合、変換前の原画像データＤ（Ａ）はＲＧＢ形式のラスターデータであるため、原画像データＤ（Ａ）に対する修正処理は、ＲＧＢ形式のラスターデータに対して行われることになり、修正後の原画像データＤ（Ａ）に対してデータ変換部２２０における変換処理が行われ、修正後の変換画像データＤ（Ｂ）が生成されることになる。プリント部３００には、この修正後の変換画像データＤ（Ｂ）が与えられ、印刷画像１１が形成される。一方、変換後の変換画像データＤ（Ｂ）に対して修正を行う場合は、ＣＭＹＫの各色についての網点画像データに対して修正処理が行われることになる。この場合、原画像データＤ（Ａ）は修正されずに残ることになる。もちろん、ＣＭＹＫ形式のラスターデータである中間画像データに対して修正を行った場合は、修正後の中間画像データに基づいて変換画像データＤ（Ｂ）が生成される。
【０１５６】
ここに示す実施例の場合、条件判定部２３０は、データ修正部２１０による修正前の画像データを判定対象とする条件判定を行うとともに、データ修正部２１０による修正後の画像データを判定対象とする条件判定を行う機能を有しており、データ修正部２１０は、条件判定部２３０により肯定的な判定結果が得られるまでデータ修正を繰り返し実行する。したがって、最終的にプリント部３００に与えられる変換画像データＤ（Ｂ）は、必ず条件判定部２３０によって肯定的な判定がなされた画像データになる。
【０１５７】
結局、表示パネルＰを組み込んだ種々の製品の設計者は、図１０に示す印刷画像作成装置を利用するにあたり、まず、設計対象となる製品に組み込まれる太陽電池の発電特性に関する設計条件を設計条件格納部２４０に設定する作業を行えばよい。上述したとおり、実際の製品に要求される発電特性は、個々の製品ごとにそれぞれ異なるので、設計条件は個々の製品ごとにそれぞれ個別に設定されることになる。
【０１５８】
一方、相関情報格納部２５０にも、製品に利用する太陽電池３０についての相関情報を設定しておく必要があるが、この相関情報は、印刷画像１１を構成するインキ層の被覆面積と太陽電池の発電特性との関係を示す情報であるから、プリント部３００および太陽電池３０が特定されれば一義的に定まる情報になる。したがって、常に同じプリント部３００を用いて印刷画像１１を形成し、常に同じ種別の（同じ発電特性をもつ）太陽電池３０を利用して製品を構成するのであれば、当該プリント部３００および当該太陽電池３０の組み合わせに応じた相関情報を相関情報格納部２５０に用意しておけば足り、設計者が相関情報を毎回設定する必要はない。
【０１５９】
このような準備をしておけば、デザイナーが、意匠性のみを考慮して原画像Ａを作成したとしても、設計条件を満足する印刷画像１１が自動的に作成される。すなわち、原画像Ａに対応する原画像データＤ（Ａ）は、原画像入力部１００によって入力された後、画像変換部２００によってインキ層からなる印刷画像１１を形成するのに適した変換画像データＤ（Ｂ）に変換されることになるが、このとき、当該画像データを利用してそのまま印刷した場合に設計条件を満たすか否かの判定が行われ、条件を満たさない場合には、データ修正部２１０による修正が施されることになる。したがって、プリント部３００に提供される画像データは、必ず設計条件を満たすデータになり、印刷された印刷画像１１を太陽電池３０の受光面に配置した製品は、必ず設計条件を満たす製品になる。
【０１６０】
なお、図１に示す例は、印刷画像１１のサイズと太陽電池３０の受光面のサイズとが同一の例であるが、実際には、両者のサイズが異なるケースもある。たとえば、印刷シート１０として、太陽電池３０の受光面より大きなサイズのシートを用い、当該印刷シート１０の全面に印刷画像１１を形成した場合、印刷画像１１のサイズは太陽電池３０の受光面より大きくなる。逆に、印刷シート１０として、太陽電池３０の受光面より小さなサイズのシートを用いた場合、当該シート１０に形成する印刷画像１１のサイズは太陽電池３０の受光面より小さくなる。
【０１６１】
このように、印刷画像１１のサイズと太陽電池３０の受光面のサイズとが異なる場合には、印刷画像１１を太陽電池３０の受光面に重ねて配置したときに両者が重なる重畳領域を定めるようにし、画像変換部２００は、印刷画像１１の上記重量領域のみについて光の透過特性を演算し、上記重量領域のみについて太陽電池３０の発電特性の予測処理を行えばよい。
【０１６２】
このように、本発明に係る太陽電池受光面用の印刷画像作成装置によれば、様々な製品に太陽電池を組み込んで発電機能をもたせ、その受光面に画像を配置して意匠性を向上させる際に、原画像に基づいて、当該太陽電池に必要とされる性能の維持が可能な印刷画像を作成することができる。
【０１６３】
なお、図１０に示す印刷画像作成装置は、実際には、印刷機および当該印刷機にデータを提供するコンピュータによって実現することができる。具体的には、図１０に示すプリント部３００は、ＣＭＹＫの４色のインキを用いて網点印刷を行う網点印刷機によって構成することができ、原画像入力部１００および画像変換部２００は、この網点印刷機に与える印刷用の画像データを準備するとともに、必要に応じて、当該画像データに対する条件判定や修正を行うためのプログラムを組み込んだコンピュータによって構成することができる。
【０１６４】
また、この図１０に示す印刷画像作成装置を用いて印刷画像１１を作成するプロセスは、太陽電池３０の受光面に配置する印刷画像１１を作成する方法として把握することができる。当該方法は、コンピュータが、原画像Ａを形成するためのデジタルデータを原画像データＤ（Ａ）として入力する原画像入力段階と、コンピュータが、この原画像データＤ（Ａ）に対して所定の変換処理を施し、インキ層からなる印刷画像１１を形成するのに適した変換画像データＤ（Ｂ）を得る画像変換段階と、印刷機（プリント３００）が、変換画像データＤ（Ｂ）に基づいて、太陽電池３０の受光面もしくは太陽電池３０の受光面に配置するための透光性シート５，２０の表面に、インキ層からなる印刷画像１１を形成するプリント段階と、を有している。
【０１６５】
そして、当該方法の特徴は、画像変換段階において、コンピュータが、変換画像データＤ（Ｂ）を印刷機に与えた場合に形成される印刷画像１１の光の透過特性に基づいて、受光面に当該印刷画像１１が配置された太陽電池３０の発電特性を予測し、予測した発電特性が太陽電池３０に関する所定の設計条件を満たすように、原画像データＤ（Ａ）もしくは変換画像データＤ（Ｂ）またはこれらに対して修正を加えた画像データに対して必要な修正処理を施す点にある。
【０１６６】
なお、この図１０に示す印刷画像作成装置の一部は、太陽電池の受光面に配置する印刷画像の適否を判定する、太陽電池受光面用の印刷画像の適否判定装置として利用することも可能である。具体的には、図１０に示す構成要素のうち、原画像Ａを形成するためのデジタルデータを原画像データＤ（Ａ）として入力する原画像入力部１００と、太陽電池３０の発電特性に関する設計条件を格納する設計条件格納部２４０と、原画像データＤ（Ａ）に基づく印刷によって形成されるインキ層の被覆面積と太陽電池３０の発電特性との関係を示す相関情報を格納した相関情報格納部２５０と、この相関情報を用いることにより、原画像データＤ（Ａ）に基づいて形成される印刷画像１１を受光面に配置したときの太陽電池３０の発電特性を予測し、予測した発電特性が設計条件を満たすか否かの条件判定を行う条件判定部２３０と、によって太陽電池受光面用の印刷画像の適否判定装置を構成することができる。条件判定部２３０による判定結果は、オペレータに報知される。
【０１６７】
この適否判定装置は、データ修正部２１０を有していないため、条件判定部２３０において否定的な判定がなされた場合に、判定対象となった画像に対して自動的な修正を行うことはできないが、少なくとも、所定の設計条件を満たしていない旨の判定結果が提示されるので、オペレータは、必要に応じて、手作業により画像データに対する修正を行うことができる。
【０１６８】
＜＜＜  §４．  相関情報の具体的内容  ＞＞＞
図１０に示す印刷画像作成装置において、条件判定部２３０は、相関情報格納部２５０に格納されている相関情報を用いることにより、判定対象となる画像データに基づいて形成される印刷画像１１を受光面に配置したときの太陽電池３０の発電特性を予測する。ここで、相関情報とは、プリント部３００によって形成されるインキ層の被覆面積（絶対的な面積であってもよいし、被覆率や網点面積率のような相対的な面積であってもよい。）と太陽電池３０の発電特性との関係を示す情報であり、条件判定部２３０は、判定対象となる画像データに基づいて、印刷画像１１として形成されるインキ層の被覆面積を求め、更に相関情報を利用して、当該被覆面積に応じた太陽電池３０の発電特性を予測することになる。
【０１６９】
別言すれば、この相関情報を利用すれば、インキ層から構成される印刷画像１１の光の透過特性（透過スペクトル）を予測することができるので、印刷画像１１の前面に照射される外光として、たとえば図５に例示するようなスペクトルをもった所定強度（たとえば、２００ルックスの照度）の基準光を想定すれば、図７に例示するような透過光スペクトルを求めることができ、更に、この透過光スペクトルと図８に例示するような太陽電池３０の量子効率スペクトルとの積を計算すれば、太陽電池３０の発電特性を予測することができる。あるいは、所定の単位領域ごとに透過光のＣＭＹＫ成分の平均を求め、当該平均に対する太陽電池３０の吸収特性に基づいて当該単位領域についての発電特性を求め、こうして求めた各単位領域の発電特性の総和として、太陽電池３０全体の発電特性を予測してもよい。また、ＣＭＹＫの各色が占めている面積をそれぞれ算出し、この算出値に基づいて太陽電池の発電効率を推測することもできる。
【０１７０】
§３で述べた実施例の場合、プリント部３００は、ＣＭＹＫなる４色のインキを用いて網点を形成する処理を行うので、相関情報としては、ＣＭＹＫの各インキ層の被覆面積と太陽電池３０の発電特性との関係を示す情報を用意しておく必要がある。もちろん、同じ色のインキであっても、メーカーや型番によって光の透過特性は異なるので、上記予測を行う際には、プリント部３００が実際に用いるＣＭＹＫの各インキについての相関情報を用意しておけばよい。そうすれば、プリント部３００が当該ＣＭＹＫの各インキを用いて印刷を行う限り、適切な発電特性の予測が可能になる。
【０１７１】
たとえば、図１に示す実施例の場合に、太陽電池３０の１つの部分領域を構成するセル３１についての発電特性を予測するには、まず、このセル３１の受光面に配置される印刷画像１１の対応部分について、プリント部３００に与える予定の変換画像データＤ（Ｂ）に基づいてＣＭＹＫの各インキ層による被覆面積を求め、どの程度の領域が、ＣＭＹＫの各インキ層によって被覆されるかを算出すればよい。相関情報は、各インキ層の被覆面積と太陽電池３０の発電特性との関係を示す情報であるから、各インキ層の被覆面積が算出できれば、相関情報を参照することにより、太陽電池３０の発電特性を予測することができる。
【０１７２】
なお、§３で述べた実施例のように、プリント部３００が、変換画像データＤ（Ｂ）に基づいて、網点インキ層からなる印刷画像１１を形成する場合は、インキ層の被覆面積を示す情報として、網点面積率を用いるようにするのが好ましい。網点印刷を行うプリント部３００に対しては、変換画像データＤ（Ｂ）として、網点面積率（所定領域内における網点からなるインキ層が占有する面積の割合）の二次元分布を示すデータが用いられるので、相関情報格納部２５０に、網点面積率と太陽電池の発電特性との関係を示す相関情報を格納しておけば、条件判定部２３０は、この相関情報を用いることにより、変換画像データＤ（Ｂ）を判定対象として、当該画像データに基づいて形成される印刷画像１１を配置したときの太陽電池３０の発電特性を比較的単純な処理で予測することができる。
【０１７３】
すなわち、§３で述べた実施例では、原画像入力部１００は、ＲＧＢなる各色別の画像データを有する原画像データＤ（Ａ）を入力する機能を有しているが、プリント部３００は、ＣＭＹＫなる各色の網点インキ層からなる印刷画像１１を形成する機能を有している。したがって、相関情報格納部２５０に、ＣＭＹＫなる各色の網点面積率の組み合わせと太陽電池の発電特性との対応関係を示す相関情報を格納しておくようにしておけば、条件判定部２３０は、網点画像を印刷させるための変換画像データＤ（Ｂ）を判定対象として、太陽電池３０の発電特性を予測することができる。
【０１７４】
具体的には、条件判定部２３０は、判定対象となる変換画像データＤ（Ｂ）に基づいて、ＣＭＹＫなる各色についての特定の網点面積率の組み合わせを決定し、相関情報格納部２５０に格納されている相関情報を参照することにより、決定した組み合わせに対応する発電特性を認識し、認識した発電特性に基づいて、判定対象となる画像データに基づいて形成される印刷画像１１を配置したときの太陽電池３０の発電特性を予測する処理を行うことができる。
【０１７５】
相関情報格納部２５０に格納すべき相関情報は、プリント部３００が実際に用いる各インキの反射スペクトルや吸収スペクトルなどの物理的な特性データと、太陽電池３０の吸収スペクトルや発電効率などの物理的な特性データと、標準的な外光として想定する基準光のスペクトルや照度を示す特性データと、が用意できれば、理論的には、これらのデータを用いた演算によって求めることができる。ただ、実際には、透光性シート５や拡散シート２０による反射や吸収など、様々なファクターが関与してくるため、理論的な演算によって正確な相関情報を求める作業は、かなり複雑で労力を要する作業になる。
【０１７６】
そこで実用上は、ＣＭＹＫなる各色のそれぞれについて、何通りかの測定用印刷シートを実際に印刷し、この測定用印刷シートを適宜組み合わせて受光面に配置したときの太陽電池３０の発電特性を実測することにより、ＣＭＹＫなる各色の網点面積率の組み合わせと太陽電池の発電特性との対応関係を示す相関情報を用意するのが好ましい。以下、このような方法で、相関情報格納部２５０に格納すべき相関情報を作成する具体的な手順を説明する。
【０１７７】
まず、段階Ａ１として、所定の網点面積率で所定色の網点インキ層が均一に分散形成された測定用印刷シート（いわゆる、平網のシート）を、複数Ｊ通りのサンプル網点面積率のそれぞれについて、かつ、ＣＭＹＫの４通りの色のそれぞれについて用意する。図１１は、Ｊ＝６に設定することにより用意された２４通りの測定用印刷シートのバリエーションを示す平面図である。１行目に示す６枚の測定用印刷シートＣ（０％）〜Ｃ（１００％）は、いずれもＣ色インキからなる網点が、それぞれ網点面積率０％，２０％，４０％，６０％，８０％，１００％（サンプル網点面積率）で印刷されたＣ版の平網シートである。
【０１７８】
同様に、２行目に示す６枚の測定用印刷シートＭ（０％）〜Ｍ（１００％）はＭ色インキからなる網点を、３行目に示す６枚の測定用印刷シートＹ（０％）〜Ｙ（１００％）はＹ色インキからなる網点を、４行目に示す６枚の測定用印刷シートＫ（０％）〜Ｋ（１００％）はＫ色インキからなる網点を、それぞれ所定の網点面積率で印刷した平網シートである。
【０１７９】
これら２４枚の測定用印刷シートは、いずれも、図１０に示す印刷画像作成装置におけるプリント部３００によって、透光性シート５の表面に印刷された印刷シート１０に相当するものである。別言すれば、印刷に用いる変換画像データＤ（Ｂ）として、各色の各網点面積率の平網画像（同一の大きさの網点を均一に分布するように形成した画像）を印刷するためのデータを用いて透光性シート５上に印刷画像１１を形成した印刷シート１０ということになる。
【０１８０】
したがって、たとえば、測定用印刷シートＣ（２０％）上には、Ｃ色のインキ層からなる同一サイズの網点が一様に分散形成されており、その網点による被覆面積が全体の２０％を占めていることになる。また、測定用印刷シートＣ（１００％）上には、隣接する網点が融合して、全面にＣ色のインキ層が形成されていることになる。なお、図１１には、説明の便宜上、測定用印刷シートＣ（０％），Ｍ（０％），Ｙ（０％），Ｋ（０％）をそれぞれ異なるシートとして描いているが、実際には、網点面積率０％のシートには、インキ層は形成されていないので、これらのシートは、実際には、印刷前の透光性シート５に相当するものである。したがって、実際には、２４通りのシートではなく、２１通りのシートを用意すれば足りるが、ここでは、原理説明を行うため、便宜上、測定用印刷シートＣ（０％），Ｍ（０％），Ｙ（０％），Ｋ（０％）をそれぞれ異なるシートとして取り扱った説明を行う。
【０１８１】
続いて、段階Ａ２として、各色について、それぞれＪ通りの測定用印刷シートの中の１つを選択することにより、４色の測定用印刷シートの組み合わせを構成し、当該組み合わせに係る４枚の測定用印刷シートを太陽電池３０の受光面に重ねて配置したときの当該太陽電池３０の発電特性を実測する処理を、合計「Ｊの４乗通り」の組み合わせについて実行する。上述したように、図１１に示す例は、Ｊ＝６に設定した例であり、ＣＭＹＫの各色について、それぞれ６通りの測定用印刷シートの中の１つを選択することになる。
【０１８２】
図１２は、このような実測の原理を示す斜視図である。太陽電池３０の上方には、４枚の測定用印刷シート１０Ｃ，１０Ｍ，１０Ｙ，１０Ｋが重ねて配置されている。ここで、シート１０Ｃは、図１１の１行目に描かれている６枚のＣ色シートのいずれか１枚であり、シート１０Ｍは、図１１の２行目に描かれている６枚のＭ色シートのいずれか１枚であり、シート１０Ｙは、図１１の３行目に描かれている６枚のＹ色シートのいずれか１枚であり、シート１０Ｋは、図１１の４行目に描かれている６枚のＫ色シートのいずれか１枚である。各色について、それぞれ６通りの選択肢があるので、４枚の測定用印刷シートの組み合わせは、全部で「６の４乗通り（１２９６通り）」になる。
【０１８３】
基本原理としては、これら４枚の測定用印刷シート１０Ｃ，１０Ｍ，１０Ｙ，１０Ｋを、太陽電池３０の上面（受光面）に積層状態で配置し、上方から基準光を照射して、そのときの太陽電池３０の発電特性を実測すればよい。基準光としては、「所定の標準光源（たとえば、図５のグラフに示す発光スペクトルを有するＬＥＤ照明光源）を所定の照度（たとえば、２００ルックス）で照射したときの光」として予め設定しておけばよい。こうして照射された基準光のうち、一部は４枚の測定用印刷シートによって反射もしくは吸収されてしまうが、残りの一部が太陽電池３０の受光面まで到達して発電に寄与する。最後に、段階Ａ３として、上記実測により得られた発電特性と、当該実測に用いられた測定用印刷シートのサンプル網点面積率の組み合わせと、の対応関係を示す相関情報を作成すればよい。
【０１８４】
ただ、図１２に示すように、４枚のシートを積層した状態で測定すると、シート自体による吸収の影響により、若干の測定誤差が生じることになる。すなわち、照射された基準光は、インキ層だけではなく、シート自身による吸収も受けることになる。したがって、４枚のシートを積層した状態で測定すると、シート自身による吸収量が４倍になり、１枚の印刷シート１０を想定した相関情報を得る上では、誤差が生じることになる。
【０１８５】
そこで、実際には、図１２に基本原理として示す方法Ａの代わりに、次のような代替方法Ｂを採るのが好ましい。まず、段階Ｂ１として、ＣＭＹＫの４通りの色の網点インキ層が、重畳して、それぞれ所定の網点面積率（ｃ％，ｍ％，ｙ％，ｋ％）で均一に分散形成された単一の測定用全色印刷シート１０（ｃ％，ｍ％，ｙ％，ｋ％）を用意する。このとき、ＣＭＹＫ各色の網点面積率として、それぞれ複数Ｊ通りのサンプル網点面積率を採用することにより、合計「Ｊの４乗通り」の組み合わせのそれぞれについての測定用全色印刷シート１０（ｃ％，ｍ％，ｙ％，ｋ％）を用意するようにする。
【０１８６】
この測定用全色印刷シート１０（ｃ％，ｍ％，ｙ％，ｋ％）は、図１０に示す印刷画像作成装置におけるプリント部３００によって、１枚の透光性シート５の表面に、Ｃ色のインキを網点面積率ｃ％、Ｍ色のインキを網点面積率ｍ％、Ｙ色のインキを網点面積率ｙ％、Ｋ色のインキを網点面積率ｋ％でそれぞれ重畳して平網印刷したものである。上例のように、Ｊ＝６に設定した場合、ＣＭＹＫ各色の網点面積率として、それぞれ６通りのサンプル網点面積率が設定されることになるので、合計「６の４乗枚（１２９６枚）」の測定用全色印刷シート１０（ｃ％，ｍ％，ｙ％，ｋ％）が用意される。
【０１８７】
次に、段階Ｂ２として、上記段階Ｂ１で用意された「Ｊの４乗通り」の測定用全色印刷シート（Ｊ＝６の場合、１２９６枚のシート）の中の１枚を選択し、選択した測定用全色印刷シート１０（ｃ％，ｍ％，ｙ％，ｋ％）を太陽電池３０の受光面に重ねて配置し、この測定用全色印刷シート１０（ｃ％，ｍ％，ｙ％，ｋ％）を通して基準光を太陽電池３０に照射したときの当該太陽電池３０の発電特性を実測する処理を、「Ｊの４乗通り」の測定用全色印刷シートのそれぞれについて実行する。そして、最後に、段階Ｂ３として、上記実測により得られた発電特性と、当該実測に用いられた定用全色印刷シート１０（ｃ％，ｍ％，ｙ％，ｋ％）におけるＣＭＹＫ各色のサンプル網点面積率の組み合わせと、の対応関係を示す相関情報を作成すればよい。
【０１８８】
このように、測定用全色印刷シート１０（ｃ％，ｍ％，ｙ％，ｋ％）を用いた測定を行えば、基準光が太陽電池３０に到達するまでに透過するシートは１層分だけになるので、シート自身による吸収量が４倍になることに起因する誤差を抑制することができる。ただ、図１２に示すように４枚のシート１０Ｃ，１０Ｍ，１０Ｙ，１０Ｋを積層して測定する方法を採る場合は、図１１に示すような２４通りの測定用印刷シートを用意すれば足りるが、測定用全色印刷シート１０（ｃ％，ｍ％，ｙ％，ｋ％）を用いて測定する方法を採る場合は、全部で６の４乗通り（１２９６通り）のシートを用意しておく必要があり、シートを準備する作業負担は増えることになる。
【０１８９】
このような作業負担を軽減する方法として、次のような別法Ｃを採ることも可能である。まず、段階Ｃ１として、所定の網点面積率で所定色の網点インキ層が均一に分散形成された測定用印刷シートを、複数Ｊ通りのサンプル網点面積率のそれぞれ、かつ、ＣＭＹＫの４通りの色のそれぞれについて用意する。この段階Ｃ１は、前述した段階Ａ１と全く同じであり、Ｊ＝６に設定した場合、図１１に示すような２４通り（実際には、前述したとおり、２１通りでよい）の測定用印刷シートが用意される。
【０１９０】
次に、段階Ｃ２として、上記段階Ｃ１で用意された測定用印刷シートの中の１枚を選択し、選択した測定用印刷シートのみを太陽電池３０の受光面に配置したときの当該太陽電池３０の発電特性を実測する処理を、用意された各測定用印刷シートのそれぞれについて実行する。別言すれば、図１１に示す各測定用印刷シートについて、それぞれ太陽電池３０の発電特性が実測されることになる。
【０１９１】
そこで、これらの実測結果に基づいて、ＣＭＹＫの４通りの色の網点インキ層が重畳して形成された単一の測定用全色印刷シート（実在のシートではなく、あくまでも仮想のシート）を、太陽電池３０の受光面に配置したときの当該太陽電池３０の発電特性を推測する処理を、ＣＭＹＫの各色についてそれぞれＪ通りのサンプル網点面積率を採用した合計「Ｊの４乗通り」の組み合わせの測定用全色印刷シートについて実行する。要するに、前述した段階Ｂ２の実測（実在の測定用全色印刷シートを用いた測定）によって得られる結果を、図１１に示す測定用印刷シート（単色の印刷シート）を用いた実測結果に基づいて推定する処理が行われることになる。
【０１９２】
図１１に示す測定用印刷シート（単色の印刷シート）を用いた実測結果は、いずれも、特定のある１色のインキ層による吸収の影響とシート自身による吸収の影響とを受けた測定結果になる。したがって、これら実測結果に基づいて所定の演算を行うことにより、４色のインキ層による吸収の影響とシート自身による吸収の影響とを受けた場合の測定結果を、演算による推定値として得ることができる。前述した段階Ｂ２を実施する場合は、「Ｊの４乗通り」の測定用全色印刷シートを用意する段階Ｂ１が必要があるのに対して、段階Ｃ２を実施する場合、図１１に例示する単色の印刷シートを用意する段階Ｃ１を行えば足りるので、シートを準備する作業負担は大幅に低減される。
【０１９３】
最後に、段階Ｃ３として、上記段階Ｃ２における推測により得られた発電特性と、当該推測に用いられた測定用印刷シートのサンプル網点面積率の組み合わせと、の対応関係を示す相関情報を作成する段階を行えばよい。
【０１９４】
以上、図１２に示す実測モデルを参照しながら、図１０に示す相関情報格納部２５０に格納される相関情報を作成する具体的な方法Ａ，Ｂ，Ｃを説明したが、もちろん、相関情報を作成する方法は上述した方法に限定されるものではない。本発明で用いる相関情報は、プリント部３００によって形成されるインキ層の被覆面積と太陽電池３０の発電特性との関係を示す情報であれば足り、その作成方法は特に限定されるものではない。
【０１９５】
太陽電池３０の発電特性を示す測定値としては、供給可能な電圧値や電流値、あるいはその積である電力値などの測定値を用いることができるが、実際には、これらの値は太陽電池３０に接続する負荷によって変動する。すなわち、実際の製品では、図２に示すように、太陽電池３０が発電した電力は、電気回路４０を介して電気機器５０に供給されるため、太陽電池３０から供給される電圧値や電流値は、電気回路４０の特性や電気機器５０の負荷抵抗などに応じて変わることになる。
【０１９６】
そこで、実用上は、たとえば、上述した段階Ａ２，Ｂ２，Ｃ２において、測定用印刷シートもしくは測定用全色印刷シートを通して所定の基準光を太陽電池３０に照射したときに、当該太陽電池３０から出力される電力についての電圧電流特性を実測し、当該電圧電流特性に基づいて、予め定められた設定電圧に応じた電流値を当該太陽電池の発電特性として用いるようにすればよい。
【０１９７】
図１３(a) に示すグラフＧ１は、太陽電池３０に特定の光を照射したときに得られる電圧／電流特性を示すグラフＧ１である。このグラフＧ１は、太陽電池３０の出力段に接続する負荷抵抗を変化させることによって測定することができ、このようなグラフを自動的に測定する測定装置が市販されている。負荷抵抗を増加させれば、太陽電池３０の出力端子間の電圧Ｖは増加するが、出力電流Ｉ（図のグラフでは太陽電池の単位面積あたりの電流密度）は減少する。逆に、負荷抵抗を減少させれば、出力電圧Ｖは減少するが、出力電流Ｉは増加する。グラフＧ１は、このような出力電流Ｉ（電流密度）と出力電圧Ｖとの関係を示している。
【０１９８】
ここで、出力電圧がＶａの場合、グラフＧ１上の参照点ａに対応する特性が得られるため、電流密度はＩａになる。同様に、出力電圧がＶｂの場合、グラフＧ１上の参照点ｂに対応する特性が得られるため、電流密度はＩｂになる。図２に示すように、太陽電池３０が発電した電力は、まず、電気回路４０に与えられることになるが、通常、電気回路４０には、固有の最適な入力電圧値が設定されている。このような場合、当該最適な入力電圧値を所定の設定電圧として定めておき、図１３(a) に示すようなグラフＧ１に基づいて、当該設定電圧に応じた電流値を求め、当該電流値を発電特性を示す値として利用すればよい。
【０１９９】
すなわち、上述した段階Ａ２，Ｂ２，Ｃ２において、図１３(a) に示すようなグラフＧ１が太陽電池３０の発電特性として実測されれば、予め定められた所定の設定電圧に応じた電流値を当該太陽電池の発電特性を示す数値として利用することができる。たとえば、所定の設定電圧として、電圧Ｖａを定めておけば、これに応じた電流密度Ｉａ（電流値）が発電特性を示す電流値となり、電圧Ｖｂを定めておけば、これに応じた電流密度Ｉｂ（電流値）が発電特性を示す電流値となる。
【０２００】
一方、電圧値を固定しない運用をとる場合は、太陽電池３０から供給される最適電流値を太陽電池３０の発電特性として利用することもできる。この最適電流値は、太陽電池３０から最大の供給電力が得られる電流値として定まる。以下、この最適電流値を決定する方法を図１３のグラフを用いて説明する。
【０２０１】
一般に、太陽電池３０を効率的に利用するという観点からは、グラフＧ１上に最大の電力供給が行われるような参照点を設定するのが好ましい。電力Ｗは電圧Ｖと電流Ｉの積として与えられる量であるから、結局、グラフ上において、参照点を右上頂点、原点Ｏを左下頂点とする矩形を定めた場合に、当該矩形の面積が最大となるような参照点を設定すればよいことになる。
【０２０２】
たとえば、図１３(a) の場合、参照点を点ａに設定した場合、点ａを右上頂点とする矩形は図にハッチングを施した図形になる。一方、参照点を点ｂに設定した場合、点ｂを右上頂点とする矩形は破線で示す図形になる。図から前者の面積の方が後者の面積よりも大きいことが明らかであるから、供給電力を大きくして太陽電池３０の発電機能をできるだけ効率的に利用する、という観点では、参照点を点ａに設定し、電気機器５０に対しては、電圧Ｖａ，電流密度Ｉａという条件で電力供給がなされるような電気回路４０を設計するのが好ましいことになる。
【０２０３】
ここでは、矩形の面積が最大となる位置に参照点を設定したとき（すなわち、最大の電力供給が可能になるような設定をしたとき）に得られる電流Ｉ（電流密度）を最適電流値と呼び、その時の電圧Ｖを最適電圧値と呼ぶことにする。たとえば、図１３(a) にハッチングを施して示す矩形が、面積が最大となる矩形であるとすれば、このグラフＧ１に示す特性を示す太陽電池の発電特性としては、最適電流値（電流密度）Ｉａを用いることができる。同様に、図１３(b) のグラフＧ２に示す特性を示す太陽電池の発電特性は、図にハッチングを施す矩形が最大矩形であるならば、参照点ｃについての最適電流値（電流密度）Ｉｃが与えられることになり、図１３(c) のグラフＧ３に示す特性を示す太陽電池の発電特性は、図にハッチングを施す矩形が最大矩形であるならば、参照点ｄについての最適電流値（電流密度）Ｉｄが与えられることになるので、これら最適電流値を発電特性として用いることができる。もちろん、最適電流値の代わりに最適電圧値を発電特性として用いることもできるし、その両方を発電特性として用いることもできるし、両者の積（最適電力値）を発電特性として用いることもできる。
【０２０４】
なお、図１３のグラフＧ１，Ｇ２，Ｇ３を比較すればわかるとおり、ハッチングが施された矩形の面積を大きくするためには（別言すれば、より大きな電力供給を行うためには）、できるだけショルダー部分が右上方向に張り出した形状のグラフが得られるのが好ましい。一般に、このグラフのショルダー部分の張り出し度合いは、Fill Factorと呼ばれており、図１３(a) に示すグラフＧ１はFill Factorが大きいグラフ、図１３(c) に示すグラフＧ３はFill Factorが小さいグラフということになる。一般的な太陽電池の特性としては、Fill Factorが大きい特性が得られるものの方が好ましいとされている。
【０２０５】
上述したとおり、図１２に示す基本原理に基づく方法Ａにおける相関情報を作成するプロセスの段階Ａ２では、全１２９６通りの測定用印刷シートの組み合わせについて、当該組み合わせに係る４枚の測定用印刷シートを太陽電池３０の受光面に重ねて配置し、それぞれの場合について、太陽電池３０の発電特性を実測する処理が行われることになる。そして、ここで述べる実施例の場合は、太陽電池３０の最適電流値をその発電特性として実測する処理が行われる。
【０２０６】
具体的には、４枚の測定用印刷シート１０Ｃ，１０Ｍ，１０Ｙ，１０Ｋを通して所定の基準光を太陽電池３０に照射したときに、当該太陽電池３０から出力される電力についての電圧電流特性を実測し、当該電圧電流特性から導出された最適電流値を当該太陽電池３０の発電特性として用いることになる。最適電流値は、図１３のグラフを用いて説明したように、電圧電流特性グラフ上に参照点をとり、当該参照点の電圧値を一辺の長さ、電流値を他辺の長さとする矩形を定義したときに、当該矩形の面積が最大となるような参照点を最適点とし、当該最適点の電流値を最適電流値とすることにより求めることができる。
【０２０７】
なお、太陽電池の両出力端子に負荷抵抗を接続し、この負荷抵抗の値を徐々に変化させながら、両出力端子間の出力電圧および出力電流を自動的に測定し、その測定結果に基づいて、現照明環境間における太陽電池の最適電流値や最適電圧値を自動的に決定する測定装置が市販されている。したがって、前述した段階Ａ２，Ｂ２，Ｃ２の実測を行う作業者は、このような市販の装置を用いた測定により、個々の組み合わせに対する最適電流値や最適電圧値を得ることができる。
【０２０８】
ここでは、前述した段階Ａ２において、測定用印刷シート１０Ｃとして図１１に示すシートＣ（ｃ％）を用い、測定用印刷シート１０Ｍとして図１１に示すシートＭ（ｍ％）を用い、測定用印刷シート１０Ｙとして図１１に示すシートＹ（ｙ％）を用い、測定用印刷シート１０Ｋとして図１１に示すシートＫ（ｋ％）を用いて得られた最適電流値を「最適電流値Ｉ（ｃ，ｍ，ｙ，ｋ）」と呼ぶことにする。ここで、ｃ％，ｍ％，ｙ％，ｋ％は、０％，２０％，４０％，６０％，８０％，１００％のいずれか（サンプル網点面積率）になり、たとえば、「最適電流値Ｉ（２０，８０，６０，０）」は、図１１に示すシートＣ（２０％），シートＭ（８０％），シートＹ（６０％），シートＫ（０％）の４枚を太陽電池３０の受光面に積層したときに得られた最適電流値ということになる。
【０２０９】
ここに示す実施例の場合、段階Ａ２では、全１２９６通りの組み合わせについて、それぞれ上述の方法で最適電流値Ｉ（ｃ，ｍ，ｙ，ｋ）が実測されることになる。そして、最後の段階Ａ３において、上記実測により得られた発電特性と、当該実測に用いられた測定用印刷シートのサンプル網点面積率の組み合わせと、の対応関係を示す相関情報が作成される。
【０２１０】
この段階Ａ３において作成される相関情報は、結局、各色のシートの組み合わせを示す情報と実測された最適電流値Ｉ（最適電圧値Ｖや最適電力値Ｗでもよい）を示す情報との相関関係を示す情報ということになる。当該相関情報は、特定のプリント部３００によって形成されるインキ層の被覆面積と特定の太陽電池３０の発電特性との関係を示す情報ということになり、条件判定部２３０が、変換画像データＤ（Ｂ）をプリント部３００に与えた場合に形成される印刷画像１１の光の透過特性に基づいて、受光面に当該印刷画像１１が配置された太陽電池３０の発電特性を予測するために利用される情報ということになる。
【０２１１】
図１０に示す印刷画像作成装置において、このような相関情報を用意しておけば、条件判定部２３０は、次のような方法で、判定対象となる画像データに基づいて印刷された印刷画像１１を配置した場合の太陽電池３０の発電特性を予測することができる。
【０２１２】
まず、条件判定部２３０は、印刷画像１１の全領域のうち、ある程度の面積をもった部分領域（たとえば、図１に示す例の場合、個々のセル３１〜３６ごとの受光面領域でもよいし、これを更に細分割した領域でもよい。）を判定対象として設定する。そして、この部分領域についての画像データから、当該部分領域内の各色の網点面積率の平均値を算出する。たとえば、判定対象となる画像データが、データ変換部２２０によって変換された変換画像データＤ（Ｂ）であった場合には、既に網点画像データの形式になっているので、個々の色成分ごとの網点面積率の平均値を算出すればよい。判定対象となる画像データがデータ変換部２２０による変換前のＲＧＢやＣＭＹＫの色成分ごとの画素値をもった画素の集合体からなるデータであった場合には、個々の画素の色成分ごとの画素値の平均値を算出した後、これを網点画像データの形式に変換すればよい。
【０２１３】
いずれにしても、所定の部分領域について、平網の網点画像データ（それぞれ単一の網点面積率をもったＣＭＹＫの各版の網点データ）が平均のデータとして得られる。そこで、条件判定部２３０は、ＣＭＹＫの４通りの色のそれぞれについて、Ｊ通り（図１１に示す例では、Ｊ＝６）のサンプル網点面積率のうち、判定対象となる画像データから導出される本来の網点面積率（上述した平網の網点面積率）に最も近似するサンプル網点面積率を最近接サンプル網点面積率として選択することにより、特定のサンプル網点面積率の組み合わせを決定する。
【０２１４】
たとえば、図１１に示す例のように、Ｊ＝６に設定して、０％，２０％，４０％，６０％，８０％，１００％なる６通りのサンプル網点面積率についての相関情報が用意されているときに、所定の部分領域について、Ｃ（２２％），Ｍ（７８％），Ｙ（６４％），Ｋ（０％）のような平網の網点画像データ（当該部分領域内の平均データ）が得られた場合は、これらＣ（２２％），Ｍ（７８％），Ｙ（６４％），Ｋ（０％）を本来の網点面積率として、これらに最も近似するサンプル網点面積率Ｃ（２０％），Ｍ（８０％），Ｙ（６０％），Ｋ（０％）が最近接サンプル網点面積率として選択され、当該組み合わせが、特定のサンプル網点面積率の組み合わせとして決定される。
【０２１５】
そこで、条件判定部２３０は、決定した組み合わせに対応する相関情報を参照することにより、太陽電池３０の当該部分領域に関する発電特性を予測することができる。上例の場合、相関情報格納部２５０に格納されている全１２９６通りの組み合わせの中から、Ｃ（２０％），Ｍ（８０％），Ｙ（６０％），Ｋ（０％）なる組み合わせが決定されるので、これに対応して保存されている「最適電流値Ｉ（２０，８０，６０，０）」が太陽電池３０の当該部分領域に関する発電特性を示す予測値ということになる。
【０２１６】
この予測値は、図１２に示す基準光として、たとえば、図５のグラフに示す発光スペクトルを有するＬＥＤ照明光源からの光を２００ルックスで照射したときの特定の部分領域に関する発電特性（最適電流値Ｉ）を示すものである。すべての部分領域について同様の予測値を求めれば、太陽電池３０全体についての発電特性（最適電流値Ｉ）を予測することができる。
【０２１７】
一方、設計条件格納部２４０には、予め、太陽電池３０の発電特性に関する設計条件が定められている。この設計条件として、たとえば、「図５のグラフに示す発光スペクトルを有するＬＥＤ照明光源からの光を２００ルックスで照射したとき、最適電流値Ｉ（電流密度）が○○ｍＡ／平方ｃｍ以上」のような条件が設定されていれば、条件判定部２３０は、上記予測値が上記設計条件を満たしているか否かの判定を行うことができる。もちろん、「最適電圧値が○○Ｖ以上」のような最適電圧値に関する設計条件を設定したり、最適電流値と最適電圧値の双方に関する設計条件を設定したり、その積である最適電力値に関する設計条件を設定したりすることもできる。
【０２１８】
なお、図１２に示す実測モデルで述べた段階Ａ１〜Ａ３を実施する方法Ａでは、４枚の測定用印刷シート１０Ｃ，１０Ｍ，１０Ｙ，１０Ｋを積層した状態で基準光が照射されるため、インキ層だけでなく、個々の透光性シート自身による反射や吸収の影響を考慮すると、必ずしも正確な相関情報を用意することはできない。より正確な相関情報が必要な場合には、たとえば、各測定用印刷シートとして、図１０に示す透光性シート５の厚みの１／４の厚みをもったシートを採用すれば、透光性シート自身による吸収の影響を排除することができる。
【０２１９】
また、前述した方法Ａ，Ｂ，Ｃでは、段階Ａ２，Ｂ２，Ｃ２として説明した発電特性の実測時に、測定用印刷シート１０Ｃ，１０Ｍ，１０Ｙ，１０Ｋや測定用全色印刷シート１０（ｃ％，ｍ％，ｙ％，ｋ％）と太陽電池３０との間に拡散シート２０を設けていないが、より正確な相関情報が必要な場合には、両者間に拡散シート２０を挿入して測定を行うようにしてもよい。
【０２２０】
もっとも、実際には、予め拡散シート２０の透過率を単独で測定しておき、図１２に示す実測モデルに基づく測定時には拡散シート２０なしで測定を行い、この測定値に基づいて太陽電池３０の発電特性を求める際に、予め測定しておいた拡散シート２０の透過率を利用した補正を行うようにすればよい。すなわち、段階Ａ２，Ｂ２，Ｃ２における発電特性の実測時に、測定用印刷シート１０Ｃ，１０Ｍ，１０Ｙ，１０Ｋもしくは測定用全色印刷シート１０（ｃ％，ｍ％，ｙ％，ｋ％）と太陽電池３０の受光面との間に、所定の拡散シート２０を介挿させた場合に生じる損失を推測し、拡散シート２０なしで実測された発電特性に対して、推測された損失に基づく補正を施すようにすればよい。たとえば、拡散シート２０の全光線透過率が８０％であった場合、２０％が損失してしまうことになるので、実測によって得られた太陽電池３０の発電特性に対して０．８を乗じる補正を行えばよい。
【０２２１】
また、段階Ａ２，Ｂ２，Ｃ２における発電特性の実測処理を、コンピュータシミュレーションに置き換えることも可能である。すなわち、当該実測処理に代えて、ＣＭＹＫの各色インキ層の透過スペクトルおよび太陽電池の吸収スペクトルのデータを用いたシミュレーションを実行することにより、太陽電池の発電特性（たとえば、当該太陽電池から出力される電力についての電圧電流特性）を推測する処理を行い、段階Ａ３，Ｂ３もしくはＣ３では、このシミュレーションにより推測された発電特性と、当該推測に用いられた測定用印刷シートもしくは測定用全色印刷シートのサンプル網点面積率の組み合わせと、の対応関係を示す相関情報を作成すればよい。
【０２２２】
また、上例では、Ｊ＝６に設定し、０％，２０％，４０％，６０％，８０％，１００％なる６通りのサンプル網点面積率を設定しているが、判定対象となる画像データから導出される本来の網点面積率と、選択した最近接サンプル網点面積率と、の差に起因して誤差が生じることは否めない。たとえば、本来の網点面積率がＣ（２２％）である場合でも、上例の方法では、サンプル網点面積率として設定されているＣ（２０％）を最近接サンプル網点面積率として代用せざるを得ない。もちろん、発電特性についてより正確な予測を行うためには、Ｊの数を増やして、サンプル網点面積率の刻み幅を狭めるのが好ましい。ただ、Ｊの数を増やすと、それだけ組み合わせの数が増えるため、実測作業の労力は増加することになる。
【０２２３】
Ｊの数を一定に抑えながら、より正確な予測を行う方法として、サンプル網点面積率の間隔を補間する処理を採用することも可能である。すなわち、条件判定部２３０は、判定対象となる画像データから導出される本来の網点面積率と、選択した最近接サンプル網点面積率と、の差に起因して生じる誤差を補正するために、本来の網点面積率に２番目に近似するサンプル網点面積率を次近接サンプル網点面積率として選択し、この最近接サンプル網点面積率を次近接サンプル網点面積率に置換した組み合わせに対応する相関情報を参照することにより、誤差の補正を行うことができる。
【０２２４】
たとえば、本来の網点面積率がＣ（２２％）である場合に、最近接サンプル網点面積率Ｃ（２０％）を代用して得られた発電特性の予測値がＸであったとしよう。この場合、本来の網点面積率がＣ（２２％）に対して、次近接サンプル網点面積率としてＣ（３０％）を選択し、この次近接サンプル網点面積率Ｃ（３０％）を代用して得られた発電特性の予測値Ｙを求めるようにする。そして、Ｃ（２０％）とＣ（３０％）との間に線形補間法を適用すれば、Ｚ＝Ｘ＋α（Ｙ−Ｘ）なる演算によって補正後の予測値Ｚを算出することができる。ここで、αは、本来の網点面積率Ｃ（２２％）に基づく線形補間係数であり、上例の場合、α＝（２２％−２０％）／（３０％−２０％）なる演算により決定することができる。
【０２２５】
このような補正を、他の色成分Ｍ，Ｙ，Ｋについても同様に行えば、誤差を補正した補間値として、より正確な発電特性の予測値を得ることができる。
【０２２６】
以上、図１０に示す相関情報格納部２５０内に格納する相関情報の具体的内容の一例を示したが、本発明に用いる相関情報としては、特定のプリント部３００によって形成されるインキ層の被覆面積と特定の太陽電池３０の発電特性との関係を示す情報であれば、どのような情報を用いてもかまわない。ただ、本願発明者は、上述したように、サンプル網点面積率が異なる平網の測定用印刷シートの組み合わせによって実測した発電特性に基づいて作成された相関情報が最も実用的であると考えている。
【０２２７】
＜＜＜  §５．  複数セルを有する太陽電池の特性  ＞＞＞
図１に示す太陽電池３０は、平板状のセル３１〜３６を並べることによって構成されており、個々のセル３１〜３６がそれぞれ独立した発電機能を有している。複数のセルを並列接続した場合は、個々のセルの出力電圧のうち最も低い値が太陽電池３０全体の出力電圧となり、すべてのセルの出力電流の総和が太陽電池３０全体の出力電流になる。これに対して、複数のセルを直列接続した場合は、個々のセルの出力電流のうち最も低い値が太陽電池３０全体の出力電流となり、すべてのセルの出力電圧の総和が太陽電池３０全体の出力電圧になる。一般的には、出力電圧を維持するため、直列接続するケースが多い。もちろん、直列接続された複数のセルからなるグループを複数組設けて、これらを相互に並列接続する構成を採るものや、後段に昇圧回路を接続することにより、必要な出力電圧を確保するものもある。
【０２２８】
このように複数のセルによって構成されている太陽電池３０の受光面に配置する印刷画像１１を作成する場合、図１０に示す条件判定部２３０は、個々のセルごとの発電特性を考慮した判定を行い、図１０に示すデータ修正部２１０は、個々のセルごとの発電特性を考慮した修正を行うようにするのが好ましい。上述したように、太陽電池全体の出力電圧もしくは出力電流は、最も発電効率の低いセルの性能によって決められてしまうことになる。以下、複数セルを有する太陽電池の一般的な特性を説明しながら、個々のセルごとの判定および修正を行うメリットを説明する。
【０２２９】
図１４は、一般的な太陽電池のセル構成を示す平面図である。図示の例のように、多くの太陽電池は、細長い矩形状のセルをその長手方向に直交する方向に複数並べることにより構成されている。図１４(a) に示す例は、水平方向に伸びた細長いセル３１〜３６を垂直方向に並べて１つの太陽電池３０を構成した例であり、図１４(b) に示す例は、垂直方向に伸びた細長いセル３１〜３６を水平方向に並べて１つの太陽電池３０を構成した例である。
【０２３０】
もちろん、図１４(a) に示す太陽電池３０と図１４(b) に示す太陽電池３０とは、物理的な構造体としては同一のものであり、セルの配置面上で一方を９０°回転させれば他方になる関係にあり、両者の相違は実空間上での配置のみである。しかしながら、この太陽電池３０の前面に印刷画像１１を配置した実際の製品では、図１４(a) の例のように縦向きの状態で利用するか、図１４(b) の例のように横向きの状態で利用するか、のいずれかが定まっていることが多い。
【０２３１】
たとえば、図１に示す例は、縦向きの状態で利用することを想定しており、図３に示すように、スタンド７０に収容することにより、セル３１〜３６が上方から下方に向かって配置されることになる。このため、印刷画像１１も、このような縦向きに配置されることを前提とした絵柄になっている。
【０２３２】
本願発明者が、このように、実際の利用環境において、複数のセルが上方から下方に向かって配列された状態になる製品について、個々のセルに照射される光量の相違を調べたところ、上方に配置されたセルに比べて、下方に配置されたセルの方が、受光量が少ない傾向にあることが判明した。このような傾向が生じる理由についての詳細な解析は行っていないが、一般に、室内において人間が触れることが可能な位置に設置される製品の場合、天井からの照明光もしくは窓からの太陽光によって斜め上方からの照明を受けるため、上方に配置されたセルほど、より入射光量が多くなる傾向が生じるものと考えられる。
【０２３３】
このような現象を踏まえると、条件判定部２３０は、個々のセルごとにその発電特性を予測するのが好ましい。そのためには、相関情報格納部２５０に、個々のセルの二次元的配置情報と、プリント部３００によって形成されるインキ層の被覆面積と個々のセルの発電特性との関係を示す相関情報を格納しておくようにすればよい。
【０２３４】
たとえば、図１４(a) に示すように、６個のセル３１〜３６から構成される太陽電池３０の場合、相関情報格納部２５０には、相関情報に加えて、個々のセル３１〜３６の二次元的配置情報（たとえば、各セル３１〜３６の輪郭線の座標位置を示す情報）を格納しておくようにする。原画像入力部１００は、複数のセル３１〜３６を面状に並べることにより構成される太陽電池について、その受光面に配置するための原画像Ａを形成するデジタルデータを原画像データＤ（Ａ）として入力することになるが、相関情報格納部２５０に、このセル３１〜３６の二次元的配置情報を格納しておけば、条件判定部２３０は、この二次元的配置情報を参照することにより、各セル３１〜３６に相当する部分領域をそれぞれ認識することができる。したがって、条件判定部２３０は、個々のセルについて、当該セルの受光面に配置される部分領域の画像データを特定することができ、当該部分領域の
画像データに基づいて、当該セルについての発電特性を予測することができる。
【０２３５】
また、図１４(a) に示すように、セル３１〜３６が上方から下方に向かって配置される向きで利用される製品の場合、上述したとおり、上方に配置されたセルに比べて、下方に配置されたセルの方が、受光量が少なくなる傾向がある。このように、個々のセルに個別の事情が存在する場合には、設計条件格納部２４０には、個々のセルについて、それぞれ別個の個別設計条件を格納しておくようにするのが好ましい。
【０２３６】
たとえば、図１４(a) に示すような縦置きで利用されることを前提とした製品の場合、上方のセル３１に比べて下方のセル３６の方が受光量が少なくなる傾向にあるので、全セルについて共通の設計条件を設定してしまうと、実際の利用環境下では、上方のセル３１については設計条件に対して十分に余裕がある発電特性が得られるが、下方のセル３６については設計条件が満たされない、という事態が生じる可能性がある。そこで、個々のセルについて、それぞれ別個の個別設計条件を設定できるようにしておき、たとえば、上方から下方に向かって複数のセルが並べられた状態での利用が想定される太陽電池３０については、下方に配置されるセルほど、より多くの光を必要とする個別設計条件（別言すれば、より高い発電効率を要求する条件）を設定するのが好ましい。このように、上方のセル３１についての個別設計条件に比べて、下方のセル３６についての個別設計条件の方が厳しくなるような設定を行っておけば、より適切な判定を行うことができるようになる。
【０２３７】
すなわち、条件判定部２３０は、個々のセルについて、それぞれ当該セルについての個別設計条件を満たすか否かの条件判定を行うことになる。上例の場合、上方のセル３１に比べて、下方のセル３６についての個別設計条件が厳しくなっているため、たとえ、セル３１の前面に配置される部分画像とセル３６の前面に配置される部分画像とが、全く同一の画像であったとしても、上方のセル３１については条件を満たす旨の判定が行われても、下方のセル３６については条件を満たさない旨の判定が行われることもありうる。
【０２３８】
そこで、データ修正部２１０は、条件判定部２３０によって否定的な判定結果が得られたセルがあった場合には、当該セルについての個別設計条件が満たされるようにするための修正処理を施すようにすればよい。たとえば、上例のように、上方のセル３１については条件を満たす旨の判定が行われ、下方のセル３６については条件を満たさない旨の判定が行われた場合は、下方のセル３６について修正処理が行われることになる。
【０２３９】
複数セルを有する太陽電池の特性として、もう１つ留意しておくべき点は、多くの太陽電池が複数セルを直接接続して用いる形態をとっているため、いずれか１つのセルの発電特性が低いと、太陽電池全体の発電特性の低下を招いてしまう点である。以下、この点について説明する。
【０２４０】
図１５は、一般的な太陽電池３０のセル構成およびこの太陽電池からの電力供給形態を示すブロック図である。図示のとおり、この太陽電池３０は、複数ｎ個のセルを直列接続した形態を有している。具体的には、図示のとおり、第１番目のセル１，第２番目のセル２，第３番目のセル３，... ，第（ｎ−１）番目のセル（ｎ−１），第ｎ番目のセルｎが、この順序で直接接続されている。そして、第１番目のセル１の正側端子（発電時に正電圧を発生させる端子）は正電極Ｅ１に接続されており、第１番目のセル１の負側端子（発電時に負電圧を発生させる端子）は第２番目のセル２の正側端子に接続されており、第２番目のセル２の負側端子は第３番目のセル３の正側端子に接続されており、以下同様にして、最後に、第ｎ番目のセルｎの負側端子は負電極Ｅ２に接続されている。
【０２４１】
そして、正電極Ｅ１および負電極Ｅ２は電気回路４０の正負の端子に接続されており、太陽電池３０の発電によって生じた正負の電荷は、電気回路４０内の蓄電素子に一時的に蓄積された後、電気機器５０に対して安定して供給される。電気回路４０内に正負の電荷を効率的に取り込むため、通常、正電極Ｅ１としては、比較的電気抵抗が大きなＩＴＯなどが用いられ、負電極Ｅ２としては、比較的電気抵抗が小さなアルミニウムなどが用いられる（場合によっては、この逆のケースもある）。
【０２４２】
このように、複数セルを直接接続した太陽電池の場合、一般に、１つのセルの発電特性が低いと、太陽電池全体の発電特性が低下する現象が見られる。これは、ある１つのセルの電流特性が悪いと、当該セルがボトルネックとなり、太陽電池全体の電流特性に悪影響を与えてしまうためである。もっとも、本願発明者が行った実験によると、１つのセルの特性が全体に影響を及ぼす現象の程度は、太陽電池の種類によって異なることが判明した。以下、この点について説明する。
【０２４３】
図１６は、複数のセルを有する太陽電池についてのセルごとの遮光特性を示す第１のグラフである。より具体的には、複数ｎ個のセルを直列接続することによって構成される太陽電池において、いずれか１つのセルを１００％遮光した場合（ｎ個のセルのうち、１つのセルの受光面だけを完全に遮蔽し、残りのセルには所定の基準光を照射した場合）の当該太陽電池全体の電圧電流特性（ＶＩ特性）を示している。図１３で説明したとおり、この電圧電流特性では、できるだけショルダー部分が右上方向に張り出した形状のグラフ（Fill Factorが大きいグラフ）が得られるのが好ましい。
【０２４４】
図１６(a) は、ｎ＝１４、すなわち、１４個のセルを直列接続することにより構成された色素増感太陽電池（ＤＳＣ）についての測定結果を示すグラフである。図に示すグラフ０は、比較のためのグラフであり、１４個のセルすべてに基準光を照射したときの電圧電流特性を示している。これに対して、グラフ１は、１４個のセルのうち、正電極Ｅ１側から数えたときの第１番目のセルのみを１００％遮光した場合の特性を示しており、グラフ１４は、１４個のセルのうち、正電極Ｅ１側から数えたときの第１４番目のセル（負電極Ｅ２側から数えたときの第１番目のセル）のみを１００％遮光した場合の特性を示している。図にはグラフの符号は示されていないが、グラフ１〜グラフ１４の間に描かれた各グラフは、グラフ１に近い方から順にグラフ２〜グラフ１３であり、これらのグラフは、１４個のセルのうち、正電極Ｅ１側から数えたときの第２〜１３番目のセルのみを１００％遮光した場合の特性を示している。
【０２４５】
この図１６(a) のグラフに示す結果からわかることは、１４個のセルのすべてに基準光を照射した場合（グラフ０）に比べて、いずれか１個のセルを１００％遮光すると、太陽電池全体の電圧電流特性（供給可能な電力）が低下する、という点と、１４個のセルのうち、負電極Ｅ２に近い側のセルを遮光するほど、電圧電流特性の低下が激しい、という点である。
【０２４６】
ここで、１４個のセルは、すべて同じ材料からなり、すべて同じサイズのセルであるが、正電極Ｅ１に近いセルを遮光した場合（グラフ１）に比べて、負電極Ｅ２に近いセルを遮光した場合（グラフ１４）の方が、太陽電池全体の電圧電流特性に与える悪影響の程度が大きいという現象が生じたことになる。このような現象が生じる原因は、図１５に示すように、正電極Ｅ１としては、比較的電気抵抗が大きなＩＴＯなどが用いられ、負電極Ｅ２としては、比較的電気抵抗が小さなアルミニウムが用いられているためと考えられる。電気抵抗が大きなＩＴＯからなる正電極Ｅ１に遠いセルほど、太陽電池全体に与える悪影響の程度が大きくなることになる。
【０２４７】
このような現象を踏まえると、一般論として、第１の端部から第２の端部に向かって直列接続された複数のセルを有し、第１の端部には第１の電極が接続され、第２の端部には第２の電極が接続されており、第１の電極の電気抵抗が第２の電極の電気抵抗よりも大きくなるような設定がなされている太陽電池については、第２の端部に近い位置に配置されたセルほど、より多くの光を必要とする個別設計条件を設定するのが好ましい。すなわち、第２の端部に近い位置に配置されたセルほど、より厳しい個別設計条件を設定しておけば、第２の端部に近い位置に配置されたセルの発電特性が低いために太陽電池全体の発電特性を大幅に低下させてしまう現象を極力避けることができるようになる。
【０２４８】
一方、図１６(b) は、ｎ＝８、すなわち、８個のセルを直列接続することにより構成された屋内用のアモルファスシリコン太陽電池（ａ−Ｓｉ）についての測定結果を示すグラフである。ここでも、図に示すグラフ０は、比較のためのグラフであり、８個のセルすべてに基準光を照射したときの電圧電流特性を示している。これに対して、グラフ１は、８個のセルのうち、正電極Ｅ１側から数えたときの第１番目のセルのみを１００％遮光した場合の特性を示しており、グラフ８は、８個のセルのうち、正電極Ｅ１側から数えたときの第８番目のセル（負電極Ｅ２側から数えたときの第１番目のセル）のみを１００％遮光した場合の特性を示している。図にはグラフの符号は示されていないが、グラフ１〜グラフ８の間に描かれた各グラフは、グラフ１に近い方から順にグラフ２〜グラフ７であり、これらのグラフは、８個のセルのうち、正電極Ｅ１側から数えたときの第２〜７番目のセルのみを１００％遮光した場合の特性を示している。
【０２４９】
この図１６(b) のグラフも、８個のセルのすべてに基準光を照射した場合（グラフ０）に比べて、いずれか１個のセルを１００％遮光すると、太陽電池全体の電圧電流特性が低下し、かつ、８個のセルのうち、正電極Ｅ１に遠い側のセルを遮光するほど、電圧電流特性の低下が激しい、という特徴を示す点については、図１６(a) のグラフと同様である。ただ、図１６(a) に示すグラフと比較すると、いずれか１個のセルを１００％遮光すると、太陽電池全体の電圧電流特性が大幅に低下する現象が顕著に表れている。
【０２５０】
別言すれば、屋内用のアモルファスシリコン太陽電池（ａ−Ｓｉ）を用いた場合、たとえ１個のセルの電圧電流特性が低下した場合であっても、それがボトルネックとなって太陽電池全体の電圧電流特性を大幅に低下させる現象が生じることになる。
【０２５１】
これに対して、図１６(c) は、ｎ＝１０、すなわち、１０個のセルを直列接続することにより構成された屋外用のアモルファスシリコン太陽電池（ａ−Ｓｉ）についての測定結果を示すグラフである。ここでも、図に示すグラフ０は、比較のためのグラフであり、１０個のセルすべてに基準光を照射したときの電圧電流特性を示している。これに対して、グラフ１は、１０個のセルのうち、正電極Ｅ１側から数えたときの第１番目のセルのみを１００％遮光した場合の特性を示しており、グラフ１０は、１０個のセルのうち、正電極Ｅ１側から数えたときの第１０番目のセル（負電極Ｅ２側から数えたときの第１番目のセル）のみを１００％遮光した場合の特性を示している。図にはグラフの符号は示されていないが、グラフ１〜グラフ１０の間に描かれた各グラフは、グラフ１に近い方から順にグラフ２〜グラフ９であり、これらのグラフは、１０個のセルのうち、正電極Ｅ１側から数えたときの第２〜９番目のセルのみを１００％遮光した場合の特性を示している。
【０２５２】
この図１６(c) のグラフも、１０個のセルのすべてに基準光を照射した場合（グラフ０）に比べて、いずれか１個のセルを１００％遮光すると、太陽電池全体の電圧電流特性が低下し、かつ、１０個のセルのうち、負電極Ｅ２に近い側のセルを遮光するほど、電圧電流特性の低下が激しい、という特徴を示す点については、図１６(a) ，(b) のグラフと同様である。ただ、図１６(a) ，(b) に示すグラフと比較すると、いずれか１個のセルを１００％遮光すると、太陽電池全体の電圧電流特性が低下する現象は、それほど顕著ではない。
【０２５３】
別言すれば、屋外用のアモルファスシリコン太陽電池（ａ−Ｓｉ）を用いた場合、１個のセルの電圧電流特性が低下した場合であっても、それがボトルネックとなって太陽電池全体の電圧電流特性が低下する現象は、それほど顕著ではないことになる。これは、屋外用のアモルファスシリコン太陽電池の場合、隣接して接続されている各セル間にバイパスダイオードを用いた補償回路が設けられているため、１個のセルの電圧電流特性が低下した場合でも、当該セルがボトルネックとなって全体の足を引っ張る現象を低減できるためと考えられる。
【０２５４】
図１６は、いずれか１個のセルを１００％遮光した場合に、太陽電池全体の電圧電流特性がどのようになるかを示すグラフであるが、図１７は、遮光度を７０％，５０％，３０％に設定した場合の結果を示すグラフである。測定対象となる太陽電池は、図１６(b) のグラフを得るための測定で利用した８個のセルを有する屋内用のアモルファスシリコン太陽電池（ａ−Ｓｉ）である。図１６(b) のグラフが１００％遮光の場合の結果を示しているのに対して、図１７(a) のグラフは７０％遮光の場合の結果、図１７(b) のグラフは５０％遮光の場合の結果、図１７(c) のグラフは５０％遮光の場合の結果を示している。
【０２５５】
図１７(a) 〜(c) においても、グラフ０は、８個のセルすべてに基準光を照射したときの電圧電流特性を示し、グラフ１〜８が、８個のセルのうち、正電極Ｅ１側から数えたときの第１〜８番目のセルのみを遮光した場合の特性を示している。なお、グラフＡllは、８個のセルすべてを遮光した場合の特性を示すものである。図１７(a) 〜(c) のグラフは、遮光率が１００％ではなく、７０％〜３０％であるため、すべてのセルを遮光した場合にも発電は可能である。図１７(a) 〜(c) を見るとわかるとおり、遮光率が低くなるほど、太陽電池全体の電圧電流特性の低下は緩慢になるが、全体的な傾向は、図１６(b) のグラフに示されている傾向と変わりはない。
【０２５６】
一方、図１８は、連続的に配置されている複数のセルを７０％遮光した場合に、太陽電池全体の電圧電流特性がどのようになるかを示すグラフである。図１８(a) ，(b) ，(c) のグラフを得るために測定対象として用いた太陽電池は、それぞれ図１６(a) ，(b) ，(c) のグラフを得るために測定対象として用いた太陽電池と同じものである。図１６(a) ，(b) ，(c) のグラフは、１個のセルのみを遮光した場合の電圧電流特性を示すものであるが、図１８(a) ，(b) ，(c) のグラフは、複数のセルを遮光した場合の電圧電流特性を示している。
【０２５７】
たとえば、図１８(a) のグラフ０は、比較のためのグラフであり、１４個のセルすべてに基準光を照射したときの電圧電流特性を示している。これに対して、グラフ１は、１４個のセルのうち、正電極Ｅ１側から数えたときの第１番目のセルのみを７０％遮光した場合の特性を示しており、グラフ１〜２は、１４個のセルのうち、正電極Ｅ１側から数えたときの第１番目と第２番目のセルを７０％遮光した場合の特性を示しており、グラフ１〜３は、１４個のセルのうち、正電極Ｅ１側から数えたときの第１番目〜第３番目のセルを７０％遮光した場合の特性を示しており、以下同様に、グラフ１〜１２は、１４個のセルのうち、正電極Ｅ１側から数えたときの第１番目〜第１２番目のセルを７０％遮光した場合の特性を示している。
【０２５８】
図１８(b) ,(c) の各グラフも同様である。複数のセルが遮光されると、当然ながら、それだけ太陽電池全体の電圧電流特性の低下が激しくなるが、やはり全体的な傾向は、図１６のグラフに示す結果を踏襲したものになる。
【０２５９】
以上、図１６〜図１８のグラフに示す結果を踏まえると、特に、アモルファスシリコン（ａ−Ｓｉ）を用いた複数のセルを直列接続して構成される屋内用の太陽電池の場合、たった１個のセルの電圧電流特性の低下がボトルネックとなり、太陽電池全体の電圧電流特性に大きな悪影響を及ぼすことがわかる。§１で述べた例のように、本発明は、特に、室内に設置される中型装置（たとえば、ビーコン装置）の製造に利用するのに最適であるが、このような中型装置では、一般に、２００ルックス程度の低照度環境下での利用を想定した屋内型のアモルファスシリコン（ａ−Ｓｉ）を用いた太陽電池が用いられる。したがって、個々のセルごとの発電特性を考慮した判定を行い、個々のセルごとの発電特性を考慮した修正を行うようにし、ボトルネックとなるようなセルが生じないように、印刷画像に対して適切な修正を施すことが非常に重要である。
【０２６０】
＜＜＜  §６．  データ修正部による具体的な修正形態  ＞＞＞
これまで、§３において、図１０を参照しながら、本発明に係る印刷画像作成装置の基本構成を述べ、§４において、相関情報格納部２５０に格納する相関情報の具体例を示しながら条件判定部２３０による具体的な判定方法を述べ、§５において、複数セルを有する太陽電池の特性を説明しながら個々のセルごとに条件判定を行う方法について述べた。そこで、ここでは、データ修正部２１０における具体的な修正処理を述べることにする。
【０２６１】
既に述べたとおり、データ修正部２１０は、条件判定部２３０による判定の結果、判定対象となる画像データに基づいて印刷を行うと設計条件を満たさない旨の否定的な判定結果が得られたときに、肯定的な判定結果が得られるよう当該判定対象となる画像データに対して修正処理を施す機能をもった構成要素である。実用上は、設計条件格納部２４０内の設計条件や、相関情報格納部２５０内の相関情報を参照して、適切な修正処理を行うようにするのが好ましい。
【０２６２】
ここで、「判定対象となる画像データ」とは、そのデータフォーマットの形式的な相違を問わず、実体的に同一内容のデータであれば、同一の「判定対象となる画像データ」を意味するものであり、たとえば、原画像データＤ（Ａ）とこれに対してデータ変換部２２０において所定のフォーマット変換処理を施して得られる中間画像データや変換画像データＤ（Ｂ）とは、実質的に同一の「判定対象となる画像データ」になる。すなわち、原画像データＤ（Ａ）に基づいて形成される印刷画像１１は、原画像データＤ（Ａ）を中間画像データを介して変換画像データＤ（Ｂ）に変換し、この変換画像データＤ（Ｂ）をプリント部３００に与えることにより作成することになるので、結局、原画像データＤ（Ａ）や中間画像データに基づいて形成される印刷画像１１は、変換画像データＤ（Ｂ）に基づいて形成される印刷画像１１と同一であり、各画像データは、実体的に同一内容の画像データということになる。
【０２６３】
このような点に鑑みれば、データ修正部２１０による修正処理は、データ変換部２２０による変換前の原画像データＤ（Ａ）に対して行ってもよいし、データ変換部２２０による変換後の変換画像データＤ（Ｂ）に対して行ってもよいし、変換途中の中間画像データに対して行ってもよい。原画像データＤ（Ａ）に対して修正処理を施し、修正原画像データＤ（Ａ）′を作成した場合、これをデータ変換部２２０で変換すれば、修正変換画像データＤ（Ｂ）′が得られることになり、プリント部３００が当該修正変換画像データＤ（Ｂ）′に基づいて印刷を行えば、修正が施された印刷画像１１が作成されることになる。もちろん、変換画像データＤ（Ｂ）に対して修正処理を施し、修正変換画像データＤ（Ｂ）′を直接作成するようにしてもよいし、中間画像データ（ＣＭＹＫ形式の画像データ）に対して修正処理を施してもよい（この場合は、修正原画像データＤ（Ａ）′は作成されない）。
【０２６４】
なお、前述したとおり、条件判定部２３０は、データ修正部２１０による修正前の画像データを判定対象とする条件判定を行うとともに、データ修正部２１０による修正後の画像データを判定対象とする条件判定を行う機能を有しており、データ修正部２１０は、条件判定部２３０により肯定的な判定結果が得られるまでデータ修正を繰り返し実行する。したがって、上例の場合、たとえば、修正変換画像データＤ（Ｂ）′に対しても条件判定部２３０による判定が実行され、否定的な判定結果が得られた場合には、データ修正部２１０による再度の修正が行われ、修正変換画像データＤ（Ｂ）′′が作成されることになる。こうして、最終的には、条件判定部２３０によって肯定的な判定がなされた画像データがプリント部３００に与えられることになる。
【０２６５】
データ修正部２１０は、予め設定された特定の修正アルゴリズムに基づいて、判定対象となる画像データに対して所定の修正処理を施すことになる。修正アルゴリズムとしては、条件判定部２３０により否定的な判定結果が得られた場合に、肯定的な判定結果が得られる方向に修正することができるアルゴリズムであれば、どのようなアルゴリズムを採用してもかまわない。基本方針としては、形成される印刷画像の光の透過特性を向上させる修正が行われればよい。
【０２６６】
具体的には、インキ層の被覆面積を減少させる修正を行ったり、カラー画像の場合は、透光率の低い色のインキをより透光率の高い色のインキに置換する修正を行ったりすればよい。その他、§５で述べた複数セルを有する太陽電池の場合は、特定の印刷要素を別なセルに移動させる修正を行うことも可能である。以下、実用的と思われる修正処理の具体例をいくつか述べておく。
【０２６７】
＜６−１  複数セルに固有の修正形態＞
§５では、複数セルを有する太陽電池の特性を説明した。ここでは、このような特性を踏まえて、複数セルを有する太陽電池に固有の修正形態を述べる。
【０２６８】
既に§５で述べたとおり、複数セルを有する太陽電池の受光面に配置する画像の場合、条件判定部２３０は、個々のセルごとに、それぞれ当該セルの発電特性を考慮した判定を行い、データ修正部２１０は、個々のセルごとの発電特性を考慮した修正を行うことになる。そのため、原画像Ａは、個々のセルに対応する部分領域に分割して取り扱われることになる。
【０２６９】
ここでは、図１に示すように、太陽電池３０が６個のセル３１〜３６によって構成されており、その受光面に図示のような印刷画像１１を配置する場合を例にとってみよう。図１９は、データ修正部２１０における印刷要素の移動に基づく修正形態を示すための原画像Ａの平面図である。図１９(a) は、デザイナーが作成したオリジナルの原画像Ａを示す平面図である。図示のＡ１〜Ａ６は、この原画像Ａを分割して得られる部分領域であり、図１に示す太陽電池３０の各セル３１〜３６に対応するものである。たとえば、部分領域Ａ１は、セル３１の受光面と同一形状、同一サイズの領域であり、部分領域Ａ１内の画像がセル３１の受光面に配置されることになる。
【０２７０】
ここでは、このデザイナーが、太陽電池３０の発電特性やセル構成に一切関知せずに、純全たる意匠性のみを考慮して、図示のような原画像Ａを作成したものとしよう。したがって、デザイナーが原画像Ａを作成する際には、部分領域Ａ１〜Ａ６という認識はなく、あくまでも１枚の画像として、原画像Ａが作成されることになり、原画像データＤ（Ａ）として、原画像入力部１００に取り込まれる。
【０２７１】
一方、§５で述べたように、相関情報格納部２５０には、個々のセル３１〜３６の二次元的配置情報と、プリント部３００によって形成されるインキ層の被覆面積と個々のセルの発電特性（６つのセル３１〜３６が物理的に同一のセルであれば、共通の発電特性になる。）との関係を示す相関情報が格納されており、設計条件格納部２４０には、個々のセル３１〜３６について、それぞれ別個の個別設計条件が格納されている。したがって、条件判定部２３０は、個々のセル３１〜３６について、それぞれその受光面に配置される部分領域Ａ１〜Ａ６の画像データに基づいて、当該セルの発電特性を予測することができる。
【０２７２】
(1)   印刷要素の移動による修正形態
このような状況におけるデータ修正部２１０による修正形態の１つは、否定的な判定結果が得られたセルに対応する部分領域内に配置されている印刷要素の一部もしくは全部を、肯定的な判定結果が得られたセルに対応する部分領域内に移動させるデータ修正を施すことである。
【０２７３】
たとえば、条件判定部２３０が、図１９(a) に示す原画像Ａに対応する原画像データＤ（Ａ）を判定対象となる画像データとして、個々のセル３１〜３６について、それぞれ設定されている個別設計条件を参照して条件判定を行った結果、セル３１〜３５については個別設計条件を満たすとの肯定的な判定結果が得られたが、セル３６については個別設計条件を満たさないとの否定的な判定結果が得られた場合を考えてみよう。このような個別の判定結果は、図１９(a) に示す原画像Ａにおいて、部分領域Ａ１〜Ａ５に対応する画像データについては合格（条件を満たす）、部分領域Ａ６に対応する画像データについては失格（条件を満たさない）との結果を示すものである。
【０２７４】
そこで、データ修正部２１０は、部分領域Ａ６に対応する画像データについて、光の透過特性を向上させる修正を行う必要がある。そのような修正の一形態として、否定的な判定結果が得られたセル３６に対応する部分領域Ａ６内に配置されている印刷要素の一部（たとえば、星印１１ｃ）を、肯定的な判定結果が得られたセルに対応する部分領域（たとえば、セル３３に対応する部分領域Ａ３）内に移動させるデータ修正を施すことが可能である。
【０２７５】
図１９(b) は、このようなデータ修正を施すことにより得られる修正後の原画像Ａ′を示す平面図である。図１９(a) では、部分領域Ａ６に位置していた星印１１ｃが、図１９(b) では部分領域Ａ５に移動している。原画像Ａにおいて、インキ層が形成される部分が、３つの印刷要素１１ａ（文字列），１１ｂ（キャラクター絵柄），１１ｃ（星印）のみであり、それ以外の背景部分にはインキ層が形成されない、ということであれば、星印１１ｃを部分領域Ａ６外へ移動させることにより、部分領域Ａ６の光の透過特性は大幅に向上することになる。図１９(b) には、星印１１ｃを部分領域Ａ６から隣接する部分領域Ａ５に完全に移動させた例が示されているが、図示の例よりも移動量を少なくして、たとえば、部分領域Ａ６と部分領域Ａ５との境界線の位置に移動させるような修正を行ってもかまわないし、図示の例よりも移動量を多くして、部分領域Ａ１〜Ａ４に移動させるような修正を行ってもかまわない。
【０２７６】
一般的な画像の場合、個々の印刷要素に比べて背景画像は薄い色で表現される傾向（網点画像の場合、網点面積率の低い領域になる傾向）にあるため、たとえ背景部分にインキ層が形成される場合であっても、星印１１ｃのような特定の印刷要素の一部もしくは全部を部分領域の外へ移動させることにより、当該部分領域の光の透過特性を向上させる効果が得られる可能性が高い。
【０２７７】
もちろん、星印１１ｃを部分領域Ａ６の外へ移動させる修正だけでは、依然として、部分領域Ａ６が個別設計条件を満たさないケースもあろう。また、図１９(b) のように、星印１１ｃを部分領域Ａ６から部分領域Ａ５に移動させたために、今度は、部分領域Ａ５が個別設計条件を満たさなくなってしまうケースもあろう。したがって、データ修正部２１０による修正処理は、必ずしも完全なものではなく、奏功しない場合もありうる。
【０２７８】
ただ、前述したとおり、修正後の原画像Ａ′が得られたら、この修正後の原画像Ａ′に対して条件判定部２３０による再度の判定が行われ、否定的な判定結果が得られた場合には、データ修正部２１０による再度の修正が行われる、というプロセスが繰り返し行われるので、このような試行錯誤を繰り返すことにより、やがて、肯定的な判定がなされる修正画像に到達することが可能である。もちろん、データ修正部２１０による修正を何度繰り返しても、肯定的な判定結果が得られる修正画像まで到達しないというケースも考えられるが、そのようなケースでは、オペレータに対してエラーを提示するようにすればよい。エラーが提示された場合は、オペレータが手作業で修正を加えるか、デザイナーが作成した別な原画像に差し替えるかすればよい。
【０２７９】
なお、図１９(b) では、星印１１ｃを部分領域Ａ６から部分領域Ａ５に移動させる修正を行っているが、印刷要素を移動させるデータ修正を行う際には、より多くの光を必要とする個別設計条件（より厳しい条件）が設定されているセルに対応する部分領域内に配置されている印刷要素を、より少ない光を必要とする個別設計条件（より緩い条件）が設定されているセルに対応する部分領域内に移動させるデータ修正を施すようにするのが好ましい。
【０２８０】
たとえば、§５では、図１の例のように、上方から下方に向かって複数のセルが並べられた状態での利用が想定される太陽電池３０については、下方に配置されるセルほど、より多くの光を必要とする個別設計条件を設定するのが好ましいことを述べた。
【０２８１】
このような設計条件が設定されている場合は、否定的な判定結果が得られたセルに対応する部分領域内に配置されている印刷要素の一部を、より上方に位置する肯定的な判定結果が得られたセルに対応する部分領域内に移動させるデータ修正を施すようにすればよい。具体的には、図１９(b) に示す例の場合、星印１１ｃを、より厳しい個別設計条件（より多くの光を必要とする個別設計条件）が設定されている部分領域Ａ６から、より緩い個別設計条件が設定されている部分領域Ａ１〜Ａ５に移動させる修正を行うことにより、全部分領域Ａ１〜Ａ６について、肯定的な判定がなされる可能性が高くなる。
【０２８２】
また、§５では、図１５に示すような直列接続された複数のセルを有する太陽電池について、図１６〜図１８のグラフに示す測定結果を参照しながら、正電極Ｅ１に近い位置に接続されたセルに比べて、負電極Ｅ２に近い位置に接続されたセルの方が、セル単独での発電特性の低下が、太陽電池全体の発電特性に悪影響を及ぼす程度が大きくなるという現象を述べた。この現象は、前述したとおり、正電極Ｅ１（図示の例の場合、ＩＴＯ）の電気抵抗が、負電極Ｅ２（図示の例の場合、アルミニウム）の電気抵抗よりも大きいために生じるものと考えられる。
【０２８３】
§５で述べたとおり、このような現象を踏まえると、一般論としては、第１の端部から第２の端部に向かって直列接続された複数のセルを有し、第１の端部には第１の電極が接続され、第２の端部には第２の電極が接続されており、第１の電極の電気抵抗が第２の電極の電気抵抗よりも大きくなるような設定がなされている太陽電池については、第２の端部に近い位置に配置されたセルほど、より多くの光を必要とする個別設計条件を設定するのが好ましい。
【０２８４】
このような設計条件が設定されている場合は、否定的な判定結果が得られたセルに対応する部分領域内に配置されている印刷要素の一部を、第１の端部により近い位置に配置された肯定的な判定結果が得られたセルに対応する部分領域内に移動させるデータ修正を施すようにすればよい。たとえば、図１９(b) に示す例の場合、もし、上端に配置されたセル３１（部分領域Ａ１に対応するセル）が電気抵抗の大きなＩＴＯからなる正電極Ｅ１に接続され、下端に配置されたセル３６（部分領域Ａ６に対応するセル）が電気抵抗の小さなアルミニウムからなる負電極Ｅ２に接続されていた場合には、星印１１ｃを、負電極Ｅ２に近い部分領域Ａ６から、より正電極Ｅ１に近い部分領域Ａ１〜Ａ５に移動させる修正を行うことにより、全部分領域Ａ１〜Ａ６について、肯定的な判定がなされる可能性が高くなる。
【０２８５】
(2)   文字列の縦書き／横書きの仕様変更による修正形態
データ修正部２１０によって行われる、複数セルに固有の別な修正形態は、文字列からなる印刷要素の縦書き／横書きの仕様を変更する方法である。以下、このような修正形態の一例を図２０を参照しながら説明する。
【０２８６】
図２０(a) は、図１９(a) と同様に、デザイナーが作成したオリジナルの原画像Ａを示す平面図である。また、図示のＡ１〜Ａ６は、この原画像Ａを分割して得られる部分領域であり、図１に示す太陽電池３０の各セル３１〜３６に対応するものである。上述したように、デザイナーが、太陽電池３０の発電特性やセル構成に一切関知せずに、原画像Ａを作成した場合、部分領域Ａ１〜Ａ６という認識はないため、特定の部分領域の光の透過特性が極端に低下する可能性がある。特に、文字列には、一般的に黒色などの濃い色が用いられる傾向があるので、特定の部分領域のみに集中して文字列が配置されると、当該部分領域の光の透過特性は極端に低下することになる。ここで述べる実施例は、このような状況において効果的な修正方法を提案するものである。
【０２８７】
ここでは、図２０(a) に示す原画像Ａについて、条件判定部２３０が、個々の部分領域Ａ１〜Ａ６について、それぞれセル３１〜３６について設定されている個別設計条件を満たすか否かの判定を行った結果、セル３２〜３６については個別設計条件を満たすとの肯定的な判定結果が得られたが、セル３１については個別設計条件を満たさないとの否定的な判定結果が得られた場合を考えてみよう。このような個別の判定結果は、図２０(a) に示す原画像Ａにおいて、部分領域Ａ２〜Ａ６に対応する画像データについては合格（条件を満たす）、部分領域Ａ１に対応する画像データについては失格（条件を満たさない）との結果を示すものである。
【０２８８】
データ修正部２１０は、部分領域Ａ１に対応する画像データについて、光の透過特性を向上させる修正を行う必要があるが、ここに示す実施例では、部分領域Ａ１に割り付けられている印刷要素として、文字列１１ａに着目する。図示のとおり、文字列１１ａは、「PATENT」なる横書き仕様の文字列によって構成されている。一方、各部分領域Ａ１〜Ａ６は、セル３１〜３６の形状に合わせて、いずれも横長の矩形領域になっている。そのため、横書き仕様の文字列１１ａ「PATENT」は、部分領域Ａ１内にのみ割り付けられる結果となっている。上述したとおり、文字列には、一般的に黒色などの濃い色が用いられる傾向があるので、文字列１１ａの存在は、部分領域Ａ１の光の透過特性を極端に低下させる要因になっている可能性が高い。
【０２８９】
そこで、ここに示す実施例では、横書き仕様の文字列１１ａを縦書き仕様に変更することにより、部分領域Ａ１の光の透過特性を向上させる修正を行っている。図２０(b) は、このようなデータ修正を施すことにより得られる修正後の原画像Ａ′を示す平面図である。図２０(a) では、部分領域Ａ１にのみ割り付けられていた横書き仕様の文字列１１ａ「PATENT」が、図２０(b) では、縦書き仕様の文字列１１ａ′に改められ、部分領域Ａ１〜Ａ６に分散して割り付けられるように変更されている。なお、図示の例では、字間についての修正も併せて行われており、各文字が各部分領域Ａ１〜Ａ６に分散するよう配慮されている。
【０２９０】
このような変更を行った結果、部分領域Ａ１の光の透過特性は大幅に向上することになる。もちろん、部分領域Ａ２〜Ａ６の光の透過特性は若干低下することになるが、文字が分散しているため、個々の部分領域についての影響はそれ程大きくない。また、当該修正によって、別な部分領域について判定結果が肯定的な結果から否定的な結果に転じた場合には、当該別な部分領域に対して再度の修正を行えば問題はない。
【０２９１】
このような修正処理を実行するには、相関情報格納部２５０が、所定の長手方向軸に沿って伸びる細長い矩形状のセル（図２０に示す例の場合、水平方向に伸びる６個の矩形状のセル）を、当該長手方向軸に対して直交する直交軸方向（図２０に示す例の場合、垂直方向）に並べて配置することにより構成される太陽電池について、個々のセルの二次元的配置情報（たとえば、各セル３１〜３６の輪郭線の座標位置を示す情報）を格納しておくようにする。
【０２９２】
そうすれば、データ修正部２１０は、原画像Ａ内に、上記長手方向軸に沿って配置された文字列からなる印刷要素（図２０に示す例の場合、水平方向に配置された横書き仕様の文字列１１ａ「PATENT」）が含まれていた場合に、当該文字列の縦書き／横書きの仕様を変更することにより、当該文字列の配置方向を上記直交軸方向（図２０に示す例の場合、垂直方向）に変更するデータ修正を施すことができる。もちろん、図１４(b) に示すように、垂直方向に伸びる細長い矩形状のセルを、水平方向に並べて配置することにより構成される太陽電池の場合は、縦書き仕様の文字列を横書き仕様に変更する修正を行えばよい。
【０２９３】
なお、図１９に示す修正を行う場合は、原画像Ａに含まれる星印１１ｃを修正対象となる印刷要素としてパターン認識する処理が必要になり、図２０に示す修正を行う場合は、原画像Ａに含まれる文字列１１ａを修正対象となる印刷要素としてパターン認識する処理が必要になる。このように、原画像Ａから特定の印刷要素をパターン認識する処理は、原画像ＡがＲＧＢやＣＭＹＫといった各色成分の画素値をもった画素の集合体からなるラスターデータの場合、対象物を認識するための何らかのパターン認識アルゴリズムを用いて、認識対象となる印刷要素を構成する画素を抽出する必要がある。このようなパターン認識アルゴリズムとしては、種々のアルゴリズムが公知であるため、ここでは詳しい説明は省略する。
【０２９４】
ただ、上述したパターン認識アルゴリズムは、比較的複雑な手順を必要とするものになるので、実用上は、ラスターデータとなる前の段階の図形データや文字データに基づいて、上述した修正を行うようにするのが好ましい。一般に、デザイナーが原画像Ａを作成する場合、パソコンなどに組み込まれた画像作成ソフトウェアを利用して、ディスプレイ画面上で画像作成操作を行うことになる。このような画像作成ソフトウェアは、通常、個々の要素を図形データや文字データの形式で取り扱うことが多い。
【０２９５】
たとえば、図１９に示す星印１１ｃは、図形の輪郭線を示すベクターデータ、その内部を着色するための色を指定するデータ、図形の割付位置を示す座標データなどを含む図形データによって構成することができる。また、図２０に示す文字列１１ａは、文字コード、フォントデータ、サイズ指定コード、字間指定コード、色指定コード、縦書き／横書き指定コード、文字列の割付位置を示す座標データなどを含む文字データによって構成することができる。
【０２９６】
したがって、原画像入力部１００が、図形データや文字データを含む形式の原画像データＤ（Ａ）を入力し、データ変換部２２０において、これをラスター形式の画像データ（画素の集合体データ）に展開し、更に、網点画像データに変換して変換画像データＤ（Ｂ）を得る方式を採用する場合には、図１９に示す星印１１ｃの移動処理や、図２０に示す文字列１１ａの縦書き／横書き仕様の変更処理は、原画像データＤ（Ａ）内の図形データや文字データに対して実行することができる。
【０２９７】
たとえば、星印１１ｃを移動させるには、星印１１ｃを示す図形データ内の割付位置を示す座標データを修正する処理を行えばよいし、文字列１１ａの縦書き／横書き仕様を変更するには、文字列１１ａを示す文字データ内の縦書き／横書き指定コードを修正する処理を行えばよい。したがって、図１９や図２０に示す修正を実施する際には、実用上は、画素の集合体を示すラスターデータに対してではなく、図形データや文字データを含む形式の画像データに対して修正を施すようにするのが好ましい。
【０２９８】
＜６−２  網点に対する修正形態＞
続いて、データ変換部２２０が、原画像データＤ（Ａ）に基づいて、網点の集合体からなる網点画像を形成するための変換画像データＤ（Ｂ）を得る変換処理を行い、プリント部３００が、この変換画像データＤ（Ｂ）に基づいて、網点インキ層からなる印刷画像１１を形成する場合に有効な修正形態として、網点に対する修正を行う例を説明する。
【０２９９】
(1)   網点の間引きによる修正形態
網点に対する修正形態として最も単純な形態は、データ修正部２１０によって、変換画像データＤ（Ｂ）に対して、網点画像を構成する網点の一部を間引く修正処理を施すことである。図２１は、このような網点間引処理に基づく修正形態の一例を示す平面図であり、図２１(a) は修正前の網点分布状態、図２１(b) は修正後の網点分布状態を示している。図において、Ｍなる符号が記された円はＭ色成分の網点を示し、Ｋなる符号が記された円はＫ色成分の網点を示している。各網点の大きさは、網点画像データの形式をもった変換画像データＤ（Ｂ）によって指定される網点面積率によって定められる。
【０３００】
図示のとおり、ここに示す実施例の場合、Ｋ色成分の網点の１／３を間引く処理（間引率を１／３に設定した処理）が行われており、図２１(a) に示す６個のＫ色成分の網点のうち、２個が間引かれ、図２１(b) では４個のＫ色成分の網点が残っている。この例では、Ｍ色成分の網点の間引きは行われていない。
【０３０１】
この網点間引処理に基づく修正処理は、本来、形成すべきであった網点の一部を間引いて形成しないように変更する処理であり、間引かれた網点の領域に形成されるべきであったインキ層を排除する処理ということになる。当然ながら、排除されたインキ層によって遮蔽されるはずであった光が透過することになるので、光の透過特性は改善される。
【０３０２】
どの色成分の網点を、どの程度の間引率で間引くかは、予測される発電特性と設計条件とがどの程度乖離しているかに応じて適宜定めればよい。一般に、Ｋ色成分は、光の透過率を著しく減少させるインキ層を形成する成分なので、Ｋ色成分の網点を間引くと、発電特性を大きく向上させることができる。ただ、特定の色成分の網点のみを間引くと、画像の色味が変わってしまうので、色味の変化が好ましくない画像の場合は、各色成分の網点を満遍なく間引くようにするのが好ましい。
【０３０３】
このように、網点間引処理は、光の透過特性を直接的に改善する効果があり、非常に単純な修正処理であるが、本来は存在するはずの網点がなくなるため、原画像Ａの見た目が大きく変化してしまう弊害がある。一般的に、この網点間引処理による修正を施すと、画像がやや白っぽく見えるようになるので、意匠性は若干低下せざるを得ない。
【０３０４】
(2)   透過光の照射領域の分散によって生じる特異な現象
本願発明者は、本願に係る印刷画像作成装置を開発する実験過程で、非常に興味深い現象を確認した。そこで、まず、この興味深い現象について、図２２を参照しながら簡単に説明しておく。
【０３０５】
図２２は、印刷画像の網点形態と太陽電池の発電効率との関係を示す平面図である。図２２(a) は、直径ｄ１の寸法をもつほぼ円形の網点を透光性シート（厚み１００μｍ、Ａ５判サイズのＰＥＴフィルム）に印刷したサンプル（以下、網点サンプルシートと呼ぶ）の一例を示す平面図であり、図２２(b) は、一辺ｄ２（ｄ１に比べて十分に大きな値とする）をもつ正方形からなる市松パターン（チェス盤のようなパターン）を同じ透光性シートに印刷したサンプル（以下、チェス盤サンプルシートと呼ぶ）の一例を示す平面図である。いずれも、黒色インキのみを用いて網点や市松模様を形成しており、図２２に黒色で塗られている部分には、黒インキの層が形成されており、図２２に白色で示されている部分は、シートの地が露出している部分である。
【０３０６】
ここに示す実験では、図２２(a) に示す網点サンプルシートとして、網点面積率（光の遮蔽部分の面積率：図に黒く塗った領域の全領域に対する割合）が３０％，３５％，４０％，４５％，５０％，５５％，６０％，６５％，７０％になる合計９枚のシートを用意した。寸法値ｄ１は、網点面積率が５０％の場合にｄ１＝１０μｍとなるように設定した。
【０３０７】
一方、図２２(b) に示すチェス盤サンプルシートとして、寸法値ｄ２が、ｄ２＝０．２５ｍｍ，ｄ２＝０．５ｍｍ，ｄ２＝１．０ｍｍ，ｄ２＝２．０ｍｍなる合計４枚のシートを用意した。こちらは、同じサイズの黒い正方形（インキ層形成領域）と白い正方形（インキ層非形成領域）とを市松模様になるように配置したものなので、光の遮蔽部分の面積率は、４枚とも５０％になる。
【０３０８】
そして、上述した９枚の網点サンプルシートおよび４枚のチェス盤サンプルシートのそれぞれについて、太陽電池の受光面に配置したときの当該太陽電池の発電効率を測定した。具体的には、太陽電池として色素増感太陽電池（ＤＳＣ）を用い、その受光面に拡散シートを配置し、この拡散シートの上面に、印刷面が太陽電池側となるように上記サンプルシートを配置し、蛍光灯の光を照度２００ルックスで照射したときの太陽電池の出力電力を所定条件で測定した。
【０３０９】
この実験の目的は、図２２(a) に示す網点サンプルシートを用いた場合と図２２(b) に示すチェス盤サンプルシートを用いた場合とについて、被覆面積率が同じになる条件で比較した場合に、太陽電池の出力特性に何らかの差が生じるか否かを確認することである。上述したとおり、４枚のチェス盤サンプルシートは、いずれも市松模様のパターンであるため、光の遮蔽部分の面積率は５０％になる。そこで、網点サンプルシートを用いて得られた測定結果に対しては、網点面積率５０％の場合の出力電力に換算した想定換算値を算出して比較することにした。
【０３１０】
すなわち、９枚の網点サンプルシートには、網点面積率３０％〜７０％のバリエーションがあるため、網点面積率５０％のシートについては、そのままチェス盤サンプルシートを用いた測定結果と比較することができるが、残りの８枚の網点サンプルシートについては、網点面積率５０％であった場合の想定換算値を求め、この想定換算値についてチェス盤サンプルシートを用いた測定結果と比較することにした。たとえば、網点面積率３０％の網点サンプルシートについて得られた測定結果については、係数５０／（１００−３０）を乗じる補正を行い、網点面積率５０％であった場合の想定換算値を求めた。
【０３１１】
このように、理論的には、遮蔽部分の面積率（黒インキの層が形成された部分の面積率）が５０％である網点サンプルシートとチェス盤サンプルシートとについての比較であるのにもかかわらず、実際には、太陽電池の出力電力は、網点サンプルシートを用いた場合よりも、チェス盤サンプルシートを用いた場合の方が概ね大きくなる結果が得られた。
【０３１２】
具体的には、９枚の網点サンプルシートを用いた測定によって得られた出力電力を網点面積率５０％であった場合に換算し、これら換算値の平均を１００とした場合、ｄ２＝０．２５ｍｍに設定したチェス盤サンプルシートを用いた測定結果は同じ１００であるが、ｄ２＝０．５ｍｍに設定したチェス盤サンプルシートを用いた測定結果は１０１、ｄ２＝１．０ｍｍに設定したチェス盤サンプルシートを用いた測定結果は１０５、ｄ２＝２．０ｍｍに設定したチェス盤サンプルシートを用いた測定結果は１０７という結果が得られた。
【０３１３】
別言すれば、たとえインキ層の被覆面積が同じであったとしても（上例の実験では、被覆面積率を５０％に換算して比較している）、ｄ１＝１０μｍ程度の微細な網点の集合が印刷された網点サンプルシートを用いた場合よりも、ｄ２＝０．５ｍｍ，１．０ｍｍ，２．０ｍｍ程度の図形（図示の例の場合は正方形）の集合が印刷されたチェス盤サンプルシートを用いた場合の方が、太陽電池の発電効率は向上する、という現象が実験により確認されたことになる。
【０３１４】
このような現象が生じる原因についての理論的な解析は、現時点では十分にはなされていないが、本願発明者は、太陽電池の受光面に対する透過光の照射領域（図２２(a) ，(b) における白い部分）が、細かく分散して存在するよりも、ある程度まとまって存在する方が、太陽電池の発電効率が向上する何らかの要因が存在するものと予想している。すなわち、この現象は、透過光の照射領域の分散の具合によって生じる特異な現象と考えられる。
【０３１５】
たとえば図２２に示す例の場合、図２２(a) に示す網点サンプルシートにおける白い領域の面積の総和と、図２２(b) に示すチェス盤サンプルシートにおける白い領域の面積の総和とが等しかったとしても、前者では、透過光の照射領域が細かく分散されてしまうため、何らかの要因で太陽電池の発電効率は低下し、後者では、透過光の照射領域がまとまって存在するため、何らかの要因で太陽電池の発電効率は向上する、という現象が生じているものと、本願発明者は考えている。
【０３１６】
(3)   網点の解像度低下による修正形態
さて、上述したように、透過光の照射領域の分散によって特異な現象が生じることに着目すれば、網点の解像度を低下させる修正処理が、太陽電池の発電効率を向上させる上で有効なことがわかる。
【０３１７】
一般に、プリント部３００として機能する網点印刷機に対して与えられる網点画像データには、網点の解像度を指定するデータが含まれている。図２３は、２通りの解像度で印刷された画像を対比して示す平面図であり、図２３(a) は６００ｄｐｉの印刷画像、図２３(b) は３００ｄｐｉの印刷画像を示している。両者は、解像度が異なるため、図２３(a) では、細かな網点が多数配置されているのに対して、図２３(b) では、若干大きな網点が若干少なめに配置されている。いずれも、画像データとしては、同じ網点面積率が指定された画像であり、インキ層による被覆面積に変わりはない。
【０３１８】
したがって、図２３(a) に示す６００ｄｐｉの画像も、図２３(b) に示す３００ｄｐｉの画像も、色合い等に関しては同じ画像として観察されることになる。もちろん、解像度が異なるため、写真画像などの場合、前者の方が繊細で高品質な画像として把握され、後者は若干画質が低下した粗い画像として把握されることになるが、図１に例示するような平網部分の多い画像であれば、解像度低下による画質の劣化はそれほど顕著なものにはならない。
【０３１９】
そこで、データ修正部２１０は、変換画像データＤ（Ｂ）に対して、網点画像の一部の領域もしくは全部の領域の解像度を低下させる修正処理を施すことにより、太陽電池の発電特性を改善することが可能である。すなわち、網点の解像度として６００ｄｐｉが指定されていた場合、一部の領域もしくは全部の領域に対して、網点の解像度を３００ｄｐｉに低下させる修正を行えば、太陽電池の発電特性を向上させることが期待できる。
【０３２０】
これは、図２２を用いて説明した「透過光の照射領域の分散によって生じる特異な現象」に基づく効果である。図２３(a) に示す６００ｄｐｉの画像における白い領域の面積の総和と、図２３(b) に示す３００ｄｐｉの画像における白い領域の面積の総和とが等しかったとしても、前者では、透過光の照射領域（白い領域）が細かく分散されてしまうために太陽電池の発電効率は低下し、後者では、透過光の照射領域（白い領域）がまとまって存在するために太陽電池の発電効率は向上することになる。
【０３２１】
(4)   網点の不均一化による修正形態
図２２を用いて説明した「透過光の照射領域の分散によって生じる特異な現象」を利用した修正形態の一例として、上例では、図２３を参照しながら網点の解像度を低下させる方法を説明した。ここでは、同現象を利用した別な修正形態として、網点を不均一化する修正形態を述べておく。
【０３２２】
ここに示す修正形態では、変換画像データＤ（Ｂ）に対して、網点画像の一部の領域もしくは全部の領域に存在する網点の二次元的な空間分布を不均一化する修正処理が施される。たとえば、変換画像データＤ（Ｂ）を構成する網点画像データによって、図２４(a) に示すように一様に分布した網点からなる画像が示されていた場合、これら網点の空間分布が不均一化するように、図２４(b) に示すような画像に修正すれば、上述した「透過光の照射領域の分散によって生じる特異な現象」によって、太陽電池の発電特性の向上が期待できる。
【０３２３】
すなわち、この例の場合も、図２４(a) に示す均一画像における白い領域の面積の総和と、図２４(b) に示す不均一画像における白い領域の面積の総和とが等しかったとしても、前者では、透過光の照射領域（白い領域）が細かく分散されてしまうために太陽電池の発電効率は低下し、後者では、透過光の照射領域（白い領域）がまとまって存在するために太陽電池の発電効率は向上することになる。
【０３２４】
図２５は、図２４(a) に示す均一画像を不均一化して、図２４(b) に示す不均一画像を作成する手順の一例を示す図である。具体的には、データ修正部２１０は、変換画像データＤ（Ｂ）に対して、網点画像上に定義された所定の局所領域内に分散している複数の網点を、当該局所領域内の特定点に接近させる方向に移動させる修正処理を施せばよい。
【０３２５】
図２５(a) に示す例の場合、修正対象となる領域は、一点鎖線で区切ることにより、４つの局所領域Ｑ１〜Ｑ４に分割されている。そこで、各局所領域Ｑ１〜Ｑ４のそれぞれについて、内部の所定位置に特異点を定義する。図示の例の場合、黒丸で示した網点の中心位置に、それぞれ特異点を定義している。続いて、図２５(b) に示すように、個々の局所領域Ｑ１〜Ｑ４のそれぞれにおいて、当該局所領域内に分散している複数の網点（図の白丸）を、当該局所領域内の特定点（図の黒丸の中心）に接近させる方向に移動させる修正処理を施せばよい。図２４(b) に示す不均一画像は、このような修正処理によって作成されたものである。
【０３２６】
なお、図２４，図２５では、説明の便宜上、網点を極端に移動させて不均一化を誇張した例を示したが、実際には、網点の移動距離を図示の例より小さく設定しても、太陽電池の発電特性を向上させる効果は得られる。
【０３２７】
＜６−３  画素値に対する修正形態＞
最後に、画素の集合体からなる原画像データＤ（Ａ）について、画素値に対する修正を行う例を説明する。特に、ここで述べる修正方法は、カラー画像を前提とした修正方法であり、画像の色を修正することにより、太陽電池の発電効率を向上させることになる。
【０３２８】
(1)   色調変更による修正形態
図９には、３種類の太陽電池についての吸収スペクトルの例を示した。この吸収スペクトルにおいて、吸光度の大きな波長域の光は、太陽電池に吸収され発電に大きく寄与する光ということになる。したがって、太陽電池の受光面にまで到達する透過光スペクトルのピーク位置が、図９に示す吸収スペクトルのピーク位置に重なっていた方が、太陽電池の発電効率は向上することになる。
【０３２９】
図９に示す３種類の吸収スペクトルのグラフは、それぞれ固有の形をしているが、可視波長域に着目すると、いずれも、紫色〜青色に対応する波長域の吸光度に比べて、黄色〜赤色に対応する波長域での吸光度の方が高い傾向にある。したがって、太陽電池の受光面にまで到達する透過光としては、紫色〜青色に対応する波長域成分よりも、黄色〜赤色に対応する波長域成分が多く含まれていた方が、太陽電池の発電効率は向上する。
【０３３０】
一方、ＣＭＹＫの各色のインキの吸収スペクトルは、前述したように、図６に示す反射スペクトルを逆転した形状を有している。したがって、Ｃ色インキやＭ色インキでは、紫色〜青色に対応する波長域成分よりも黄色〜赤色に対応する波長域成分の吸収量が大きくなるのに対して、Ｙ色インキでは、逆に、黄色〜赤色に対応する波長域成分よりも紫色〜青色に対応する波長域成分の吸収量が大きくなる。これは、ＣＭＹＫの各色インキを用いた印刷画像については、Ｃ色インキやＭ色インキの量を減らし、Ｙ色インキの量を増やすような修正を施すと、太陽電池の受光面にまで到達する透過光に関して、紫色〜青色に対応する波長域成分が減り、黄色〜赤色に対応する波長域成分が増えるので、太陽電池の発電効率を向上させる効果が得られることを意味している。
【０３３１】
このような点を踏まえれば、データ修正部２１０は、原画像データＤ（Ａ）に対して、原画像Ａの一部もしくは全部を構成する特定領域の色調を変更する修正処理を施すことにより、太陽電池の発電効率を向上させることができることになる。具体的には、データ修正部２１０は、原画像Ａの一部もしくは全部を構成する特定領域について、Ｃ色成分およびＭ色成分を減少させ、Ｙ色成分を増加させる修正処理を施すようにすればよい。
【０３３２】
図２６は、このような色調変更処理に基づく修正形態を示す平面図である。図示のとおり、この例の場合に修正対象となる中間画像データは、ＣＭＹＫの各色についての画素値を有する画素の集合体である。図２６では、二次元マトリックス状に配置された画素配列において、第ｉ行第ｊ列目の画素Ｐ（ｉ，ｊ）にハッチングを施して示してある。ここでは、この画素Ｐ（ｉ，ｊ）のもつＣＭＹＫの各色についての元の画素値が、図示のとおり、Ｃold，Ｍold，Ｙold，Ｋoldであったものとしよう。
【０３３３】
この場合、データ修正部２１０による修正処理によって与えられる新たな画素値Ｃnew，Ｍnew，Ｙnew，Ｋnewは、図示のとおり、
Ｃnew ＝  ｆｃ・Ｃold  （但し、ｆｃ＜１）
Ｍnew ＝  ｆｍ・Ｍold  （但し、ｆｍ＜１）
Ｙnew ＝  ｆｙ・Ｙold  （但し、ｆｙ＞１）
Ｋnew ＝  ｆｋ・Ｋold  （但し、ｆｋ＝１）
なる演算によって定めればよい。
【０３３４】
ここで、ｆｃ，ｆｍ，ｆｙ，ｆｋは修正係数であり、ｆｃ，ｆｍとしては１より小さな値が設定され、ｆｙとしては１より大きな値が設定され、ｆｋ＝１に設定される。このような演算によって、画素Ｐ（ｉ，ｊ）の画素値を修正すれば、Ｃ色成分の画素値およびＭ色成分の画素値は減少し、Ｙ色成分の画素値は増加することになる。Ｋ色成分の画素値は変わらない。なお、上記演算によって新たな画素値がその最大値を超えてしまう場合は当該最大値を新たな画素値とし、新たな画素値がその最小値を下回ってしまう場合は当該最小値を新たな画素値とすればよい。
【０３３５】
このような修正処理により、カラー画像の修正対象となった領域についての色調が変更され、若干、赤みや黄色みが増すことになるので、意匠性の劣化が生じる可能性はあるが、人間が観察した場合に違和感が生じない程度の色調変化であれば、実用上、支障は生じない。
【０３３６】
(2)   ＧＣＲ処理による修正形態
本願発明者は、本願に係る印刷画像作成装置を開発する実験過程で、ＧＣＲ処理による修正も非常に効果的であることを見出した。ＧＣＲは、「Gray Component Replacement：グレー成分置換」の略として知られている手法であり、ＣＭＹＫの各色インキを用いてカラー印刷を行う際に、ＣＭＹの各色成分で表現されるグレー成分を、Ｋ色成分に置換する手法を指す。このＧＣＲの手法は、既に公知のものであり、印刷の分野では広く利用されている技術であるが、ここでは、説明の便宜上、その原理を簡単に述べておく。
【０３３７】
図２７は、一般的なＧＣＲ処理の原理を示すグラフである。いま、図２７(a) に示すように、ＣＭＹＫの各色成分の混合により、ある色が表現されているものとする。図示の例では、縦軸の画素値は％で表現されており、０％〜１００％の間の値をとる。たとえば、８ビットのデジタルデータによって１つの色成分の画素値を表現した場合、実際の画素値は、０〜２５５の範囲の値をとることになるが、図示の例では、縦軸の０％が画素値０に対応し、１００％が画素値２５５に対応することになる。図２７(a) に示す例は、Ｃ色成分が６０％，Ｍ色成分が５０％，Ｙ色成分が４０％，Ｋ色成分が０％の例であり、このような色を網点で表現する場合、Ｃ色インキを網点面積率６０％、Ｍ色インキを網点面積率５０％、Ｙ色インキを網点面積率４０％、Ｋ色インキを網点面積率０％でそれぞれ印刷すればよい。
【０３３８】
図２７(b) は、図２７(a) に示すＣ色成分，Ｍ色成分，Ｙ色成分の一部を、Ｋ色成分に置換した例である。具体的には、破線で示すとおり、Ｃ色成分のうちの５０％の分と、Ｍ色成分のうちの４０％の分と、Ｙ色成分のうちの４０％の分とが、Ｋ色成分の４０％に置換されている。その結果、実際の印刷に用いられる各色成分は、図２７(c) に示すとおり、Ｃ色成分が１０％，Ｍ色成分が１０％，Ｙ色成分が０％，Ｋ色成分が４０％になる。図２７(b) に破線で示す３色成分の混合によって表現されるグレー色が、図２７(b) に示す４０％のＫ色成分によって表現されるグレー色と同じであれば、理論的には、図２７(a) に示す画素値に基づいて印刷された平網画像の色と、図２７(c) に示す画素値に基づいて印刷された平網画像の色とは同じになる。
【０３３９】
もちろん、厳密には、このような置換を行うと、印刷される色は若干異なることになるが、人間が観察した場合に違和感が生じない程度の置換を行うのであれば、実用上、支障は生じない。このように、図２７(a) に示すＣＭＹＫの各色成分を、図２７(c) に示すＣＭＹＫの各色成分に置き換える処理は、ＧＣＲ処理として知られており、印刷の分野では広く利用されている。このＧＣＲ処理は、インキの全使用量を低減させる効果が得られるので、主として、製造コスト削減を目的として利用されている。
【０３４０】
本願発明者は、太陽電池の受光面に配置する印刷画像について、このＧＣＲ処理を施すと、太陽電池の発電効率が向上する現象を、次のような実験を行うことによって確認した。この実験では、次の３通りのサンプルシートを用いた。いずれも、透光性シート（厚み１００μｍ、Ａ５判サイズのＰＥＴフィルム）にＣＭＹＫの４色のインキによる網点を印刷したものである。
【０３４１】
＜基準シート＞
Ｃ色成分，Ｍ色成分，Ｙ色成分のインキからなるグレーの平網画像を印刷したもの。光の透過率の測定値は、５０．４％
【０３４２】
＜ＧＣＲ（１）＞
上記基準シートのＣＭＹの各色成分の一部をＫ色成分に置換するＧＣＲ処理を施して印刷したもの。ＣＭＹの各色成分からなるインキ層についてのみ考慮した光の合計透過率の測定値は、２７．１％。Ｋ色成分からなるインキ層についてのみ考慮した光の透過率の測定値は、２５．０％。全インキ層についての光の合計透過率は、５２．１％。
【０３４３】
＜ＧＣＲ（２）＞
上記基準シートのＣＭＹの各色成分の一部をＫ色成分に置換するＧＣＲ処理を施して印刷したもの。ＣＭＹの各色成分からなるインキ層についてのみ考慮した光の合計透過率は、１．８％。Ｋ色成分からなるインキ層についてのみ考慮した光の透過率は、５０．０％。全インキ層についての光の合計透過率は、５１．８％。
【０３４４】
実験は、上記３種類のサンプルシートのそれぞれについて、太陽電池の受光面に配置したときの当該太陽電池の発電効率を測定した。具体的には、太陽電池として色素増感太陽電池（ＤＳＣ）を用い、その受光面に拡散シートを配置し、この拡散シートの上面に、印刷面が太陽電池側となるように上記サンプルシートを配置し、蛍光灯の光を照度２００ルックスで照射したときの太陽電池の出力電力を所定条件で測定した。
【０３４５】
図２８は、上記３種類のサンプルシートに用いられているインキの透過率に関する情報と、実験により得られた太陽電池の発電効率との関係を示す表である。発電効率の欄には、基準シートについて測定された発電効率を１００％としたときの、ＧＣＲ（１）およびＧＣＲ（２）について測定された発電効率の割合を％値で示した。
【０３４６】
この３種類のサンプルシートは、いずれも、光の全透過率がほぼ５０％になるグレーの平網画像が印刷されたシートであるが、発電効率には若干の差が生じる結果となった。すなわち、基準シートとＧＣＲ（１）とを比較すると、前者の全透過率に比べて後者の全透過率の方が３％程度高いため、発電効率が１０３％になる結果が得られたのは、全透過率の違いに基づく結果と考えることができるが、基準シートとＧＣＲ（２）とを比較すると、前者の全透過率に比べて後者の全透過率は、２〜３％程度高いだけであるのに、発電効率が１０９％になる結果が得られており、実質、６％程度の効率向上が見られる。
【０３４７】
同様の実験を、写真画像について行ったところ、ＧＣＲ処理を施すことにより、概ね１０％程度の発電効率の向上が見られた。すなわち、ＣＭＹの各色成分のインキ層を形成するよりも、Ｋ色成分のインキ層のみを形成する方が、発電効率が向上することになる。このように、ＧＣＲ処理によって発電効率が向上する現象が生じる原因についての理論的な解析は、現時点では十分にはなされていないが、本願発明者は、ＣＭＹの各色成分のインキは可視波長域の吸収が大きいため、これらの網点を相互に重ねて黒を表現した場合、Ｋ色成分のインキのみで黒を表現した場合よりも発電効率の低下を招くのではないかと考えている。
【０３４８】
いずれにせよ、データ修正部２１０は、原画像Ａの一部もしくは全部を構成する特定領域内の画素について、ＣＭＹの３色合成成分をＫ色成分に置換するＧＣＲ処理に基づく修正処理を施すことにより、太陽電池の発電効率を向上させることができる。
【０３４９】
(3)   逆ＧＣＲ処理を併用する修正形態
図２８の表は、光の全透過率がほぼ５０％になるグレーの平網画像が印刷された３種類のサンプルシートについて発電効率を測定した結果を示すものである。このように、一般的には、ＧＣＲ処理を行うことにより、太陽電池の発電効率が向上する傾向が見られる。しかしながら、本願発明者が多種多様のサンプルシートを用いて実験を行った結果、光の全透過率が１０％前後しかない暗い画像の場合、ＧＣＲ処理を行うと、逆に太陽電池の発電効率が低下する現象が確認された。
【０３５０】
しかも、本願発明者が行った実験によると、このような暗い画像に対しては、ＧＣＲ処理を行う変わりに、逆ＧＣＲ処理を行うと、太陽電池の発電効率が向上する現象も確認できた。逆ＧＣＲ処理は、図２７(c) に示すＣＭＹＫの各色成分を、図２７(a) に示すＣＭＹＫの各色成分に置き換える処理であり、Ｋ色成分をＣＭＹの３色合成成分に置換する処理と言うことができる。要するに、暗い画像については、Ｋ色成分のインキ層のみを形成するよりも、ＣＭＹの各色成分のインキ層を形成する方が、発電効率が向上することになる。
【０３５１】
このように、暗い画像については、逆ＧＣＲ処理によって発電効率が向上する現象が生じる原因についての理論的な解析も、現時点では十分にはなされていないが、本願発明者は、暗い画像の場合、Ｋ色成分のインキ層によって、光の全波長域成分が遮蔽されてしまうよりは、ＣＭＹの各色成分のインキ層によって、少なくとも一部の波長域成分が透過するようにした方が、何らかの要因で発電効率を向上させるのではないかと考えている。
【０３５２】
したがって、このような暗い原画像に対して修正を行う場合には、データ修正部２１０は、原画像の一部もしくは全部を構成する特定領域内の画素について、Ｋ色成分をＣＭＹの３色合成成分に置換する逆ＧＣＲ処理に基づく修正処理を施すことにより、太陽電池の発電効率を向上させることができる。
【０３５３】
実用上は、データ修正部２１０に、ＧＣＲ処理と逆ＧＣＲ処理との双方を実行する機能をもたせておき、修正対象となる画像の特定領域に対して、原則としてＧＣＲ処理による修正を実行することとし、当該特定領域が「暗い画像」であった場合には、逆ＧＣＲ処理による修正を実行するようにすればよい。ここで、「暗い画像」であるか否かは、たとえば、ＣＭＹＫ（ＲＧＢでもよい）の各色成分の画素値の平均値を求め、当該平均画素値が所定値α以上である場合に「暗い画像」とする、というような判定方法で決定すればよい。
【０３５４】
図２９は、データ修正部２１０におけるＧＣＲ処理／逆ＧＣＲ処理に基づく修正切替の態様を示す図である。図に示すバーは、ＣＭＹＫの各色成分の平均画素値を示している。たとえば、ＣＭＹＫの各色成分の画素値をもった画素の集合体からなる中間画像データに対して、特定領域内の部分画像を修正する必要が生じた場合、当該特定領域に所属する個々の画素について、それぞれＣＭＹＫの各色成分の画素値の「色に関する平均値」を求め、更に、当該特定領域に所属する全画素について、上記「色に関する平均値」の平均を求め、こうして得られた平均画素値が、予め設定した所定値α以上である場合に、当該特定領域内の画像を「暗い画像」と判定すればよい。
【０３５５】
図示のとおり、所定値αを境界として、平均画素値が所定値α未満である場合には、ＧＣＲ処理によって発電効率の改善が図られるものと判断し、ＧＣＲ処理による修正を行うようにし、平均画素値が所定値α以上である場合には、逆ＧＣＲ処理によって発電効率の改善が図られるものと判断し、逆ＧＣＲ処理による修正を行うようにすればよい。
【０３５６】
要するに、データ修正部２１０には、原画像Ａの一部もしくは全部を構成する特定領域について、ＣＭＹの３色合成成分をＫ色成分に置換するＧＣＲ処理に基づく第１の修正処理と、Ｋ色成分をＣＭＹの３色合成成分に置換する逆ＧＣＲ処理に基づく第２の修正処理と、のいずれかを選択的に施す機能をもたせておき、特定領域内の画素の平均画素値が所定値α未満である場合には第１の修正処理を施し、所定値α以上である場合には第２の修正処理を施すようにすればよい。
【０３５７】
ここで、所定値αとしての最適値は、プリンタ３００が実際に利用するＣＭＹＫのインキの種類などに応じて変動する値になるが、本願発明者が行った実験によると、画素値の範囲を０％〜１００％の範囲に換算した場合に、所定値αを、８０％〜９０％の範囲内の所定値に設定すれば、ＧＣＲ処理か逆ＧＣＲ処理かの切替を適切に行うことができる。
【０３５８】
＜６−４  原画像全体や特定の印刷要素の変倍による修正形態＞
最後に、原画像全体や特定の印刷要素に対して変倍処理を施すことにより、データ修正を施す形態を述べておく。§６−１(1) では、特定の印刷要素を移動させる修正形態を述べた。具体的には、図１９を参照して、特定の印刷要素である星印１１ｃを、部分領域Ａ６から部分領域Ａ５に移動させることにより、部分領域Ａ５の光の透過特性を向上させる修正を行う例を説明した。
【０３５９】
ここで述べる印刷要素の変倍による修正形態は、特定の印刷要素に対して、縮小処理もしくは拡大処理を行うことにより、データ修正を施すものである。たとえば、図１９(a) に示す例において、特定の印刷要素である星印１１ｃに対して縮小処理を施したとすれば、星印１１ｃの占有面積は小さくなり、背景部分の面積が大きくなる。前述したとおり、一般的な画像の場合、個々の印刷要素に比べて背景画像は薄い色で表現される傾向（網点画像の場合、網点面積率の低い領域になる傾向）にあるため、星印１１ｃに対して縮小処理を施せば、部分領域Ａ６を含む原画像Ａ全体について、光の透過特性の向上が期待できる。文字列１１ａやキャラクター絵柄１１ｂについても同様である。
【０３６０】
一方、個々の印刷要素に比べて背景画像が濃い色で表現される傾向（網点画像の場合、網点面積率の高い領域になる傾向）にある画像の場合は、逆に、文字列１１ａ，キャラクター絵柄１１ｂ，星印１１ｃといった印刷要素に対して拡大処理を施してその占有面積は大きくすれば、背景部分の面積は小さくなるので、やはり原画像Ａ全体について、光の透過特性の向上が期待できる。
【０３６１】
特定の印刷要素に対して、縮小処理を行うか、拡大処理を行うかは、背景画像に対して濃いか薄いかを認識した上で定めることもできるが、いずれか一方を試してみて、光の透過特性が低下した場合には他方を採用する、という試行錯誤を行うようにしてもかまわない。
【０３６２】
なお、特定の印刷要素に対して縮小処理もしくは拡大処理を行う代わりに、原画像全体に対して縮小処理もしくは拡大処理を行うようにしてもかまわない。このように、原画像全体や特定の印刷要素に対して、縮小処理もしくは拡大処理を行うデータ修正方法は、比較的単純な修正方法でありながら、非常に効果的である。しかも、複数セルを有する太陽電池だけでなく、単一セルからなる太陽電池についても有効である。また、通常、原画像全体や個々の印刷要素のサイズを若干変えたとしても、画像全体の意匠性が大きく損なわれることはない。
【符号の説明】
【０３６３】
５：透光性シート
１０：印刷シート
１０Ｃ：測定用シート（シアン）
１０Ｋ：測定用シート（黒）
１０Ｍ：測定用シート（マゼンタ）
１０Ｙ：測定用シート（イエロー）
１１：印刷画像
１１ａ，１１ａ′：文字列
１１ｂ：キャラクター絵柄
１１ｃ：星印
２０：拡散シート
３０：太陽電池
３１〜３６：太陽電池の各セル
４０：電気回路
５０：電気機器
５１：ビーコン
７０，７０′：スタンド
７１：台座部
７２：支持体
７２Ｂ，７２Ｂ′：背面側壁部
７２Ｌ，７２Ｌ′：左面側壁部
７２Ｒ，７２Ｒ′：右面側壁部
７２Ｐ１，７２Ｐ２：区切用突起部
７３：上面開口部
７４：前面開口部
１００：原画像入力部
２００：画像変換部
２１０：データ修正部
２２０：データ変換部
２３０：条件判定部
２４０：設計条件格納部
２５０：相関情報格納部
３００：プリント部
Ａ：原画像
Ａ′：修正後の原画像
Ａ１〜Ａ６：画像上の部分領域
Ｃ：シアンインキ
Ｄ（Ａ）：原画像データ
Ｄ（Ｂ）：変換画像データ
ｄ１，ｄ２：網点寸法
Ｅ１，Ｅ２：電極
Ｇ１〜Ｇ３：電圧電流特性グラフ
Ｋ：黒インキ
Ｍ：マゼンタインキ
Ｐ：表示パネル
Ｐ（ｉ，ｊ）：画素
Ｑ１〜Ｑ４：局所領域
Ｖ：空隙部
Ｙ：イエローインキ
【図１】
2017216766.tif 000003
【図２】
2017216766.tif 000004
【図３】
2017216766.tif 000005
【図４】
2017216766.tif 000006
【図５】
2017216766.tif 000007
【図６】
2017216766.tif 000008
【図７】
2017216766.tif 000009
【図８】
2017216766.tif 000010
【図９】
2017216766.tif 000011
【図１０】
2017216766.tif 000012
【図１１】
2017216766.tif 000013
【図１２】
2017216766.tif 000014
【図１３】
2017216766.tif 000015
【図１４】
2017216766.tif 000016
【図１５】
2017216766.tif 000017
【図１６】
2017216766.tif 000018
【図１７】
2017216766.tif 000019
【図１８】
2017216766.tif 000020
【図１９】
2017216766.tif 000021
【図２０】
2017216766.tif 000022
【図２１】
2017216766.tif 000023
【図２２】
2017216766.tif 000024
【図２３】
2017216766.tif 000025
【図２４】
2017216766.tif 000026
【図２５】
2017216766.tif 000027
【図２６】
2017216766.tif 000028
【図２７】
2017216766.tif 000029
【図２８】
2017216766.tif 000030
【図２９】
2017216766.tif 000031